(57)【要約】【課題】情報コードにおけるコード領域内の少なくとも一部を、データ記録領域に記録された情報とは別の追加情報を記録可能な情報追加領域として使用しうる構成を提供する。【解決手段】情報コード１００の内部には、予め定められた形状の特定パターンが配置される特定パターン領域と、複数種類のセルによってデータを記録するデータ記録領域と、データ記録領域に記録された情報とは別の追加情報を記録可能な情報追加領域とが設けられている。【選択図】図１
2015084199.tif 000002
【特許請求の範囲】
【請求項１】
所定のコード領域の内部に情報を表示する単位となるセルを配列した情報コードを情報コード生成装置によって生成する情報コード生成方法であって、
前記コード領域の内部に、予め定められた形状の特定パターンが配置される特定パターン領域と、複数種類の前記セルによってデータを記録するデータ記録領域と、前記データ記録領域に記録された情報とは別の追加情報を記録可能な情報追加領域とを設けることを特徴とする情報コード生成方法。
【請求項２】
前記情報追加領域の識別表示を設けることを特徴とする請求項１に記載の情報コード生成方法。
【請求項３】
前記コード領域の内部に、前記特定パターン領域と、前記データ記録領域と、複数種類の前記セルによって誤り訂正符号を記録する誤り訂正符号記録領域と、前記情報追加領域と、を設けることを特徴とする請求項１又は請求項２に記載の情報コード生成方法。
【請求項４】
前記コード領域の内部において、前記特定パターン領域及び前記データ記録領域以外の位置に、前記セルによって解読対象データが記録されない領域である空き領域を、単一の前記セルのサイズよりも大きいサイズで設け、
前記空き領域の内部に前記情報追加領域を設けることを特徴とする請求項１から請求項３のいずれか一項に記載の情報コード生成方法。
【請求項５】
明色セル又は暗色セルを配列した構成で前記特定パターン領域及び前記データ記録領域を形成し、
少なくとも前記データ記録領域の一部を、前記情報追加領域を含む所定の機能領域とする構成で前記情報コードを生成し、
前記所定の機能領域の内部に、記号又は図形からなるガイド情報を形成し、且つ前記所定の機能領域の内部における前記ガイド情報の領域及び前記ガイド情報以外の領域の色をいずれも、情報コード読取装置によって明色又は暗色のいずれか一方の色と判定される明度で形成することを特徴とする請求項１から請求項３のいずれか一項に記載の情報コード生成方法。
【請求項６】
明色セル又は暗色セルを配列した構成で前記特定パターン領域及び前記データ記録領域を形成し、
少なくとも前記データ記録領域の一部を、前記情報追加領域を含む所定の機能領域とする構成で前記情報コードを生成し、
前記所定の機能領域の内部に、記号又は図形からなるガイド情報を形成し、
前記所定の機能領域の内部に形成される前記ガイド情報の領域と当該ガイド情報以外の領域との明暗構成に基づいて前記所定の機能領域内の各セル位置での明暗を特定する明暗マップを生成し、当該明暗マップに基づいて前記データ記録領域のコードワード及び誤り訂正符号記録領域のコードワードを設定することを特徴とすることを特徴とする請求項１から請求項３のいずれか一項に記載の情報コード生成方法。
【請求項７】
前記情報追加領域を１又は複数の所定色で構成すると共に当該所定色とは異なる他の色によって書き込むことが可能な領域として構成することを特徴とする請求項１から請求項６のいずれか一項に記載の情報コード生成方法。
【請求項８】
前記情報追加領域の外縁部を示すマークが前記所定色とは異なる色により当該情報追加領域の識別表示として示されるように前記情報コードを生成することを特徴とする請求項７に記載の情報コード生成方法。
【請求項９】
前記コード領域内における前記情報追加領域の位置を示す位置データを前記データ記録領域に記録するように前記情報コードを生成することを特徴とする請求項１から請求項８のいずれか一項に記載の情報コード生成方法。
【請求項１０】
前記コード領域において予め定められた所定位置に前記情報追加領域を配置するように前記情報コードを生成することを特徴とする請求項１から請求項８のいずれか一項に記載の情報コード生成方法。
【請求項１１】
前記データ記録領域に、前記情報追加領域の存在を示す所定の識別情報を記録することを特徴とする請求項１から請求項１０のいずれか一項に記載の情報コード生成方法。
【請求項１２】
前記コード領域の内部の前記情報追加領域に、色の組み合わせ又は形状の組合せによって前記追加情報を表現してなる第２情報コードを形成することを特徴とする請求項１から請求項１１のいずれか一項に記載の情報コード生成方法。
【請求項１３】
前記コード領域の内部に、事後的に記入が可能な記入領域を複数設け、複数の前記記入領域への記入パターンによって第２情報コードが表現可能な構成で前記情報コードを生成することを特徴とする請求項１から請求項１１のいずれか一項に記載の情報コード生成方法。
【請求項１４】
前記情報追加領域として、商品又は役務の価格情報、割引額情報、割引率情報、商品又は役務に付随する利益を特定する情報の少なくともいずれかの情報を追加する領域を設けることを特徴とする請求項１から請求項１３のいずれか一項に記載の情報コード生成方法。
【請求項１５】
前記データ記録領域に、商品又は役務を特定する特定情報、若しくは、商品又は役務の価格を特定する価格情報を記録し、
前記情報追加領域として、前記特定情報で特定される商品又は役務の価格、又は前記価格情報で特定される価格に対する割引額情報又は割引率情報を追加する領域を設けることを特徴とする特徴とする請求項１から請求項１３のいずれか一項に記載の情報コード生成方法。
【請求項１６】
前記情報コードの前記データ記録領域に、当該情報コードが付された対象物を特定する対象物特定情報と、データの送信先を特定する送信先情報とを記録し、
前記情報追加領域として、連絡先を特定する情報を記録するための連絡先記録領域を設けることを特徴とする請求項１から請求項１１のいずれか一項に記載の情報コード生成方法。
【請求項１７】
前記対象物は、配送物に付される帳票であり、
前記情報追加領域として、前記配送物の配達時期を指定する情報を記録するための配達時期記録領域を設けることを特徴とする請求項１６に記載の情報コード生成方法。
【請求項１８】
前記情報追加領域として、前記情報コードを読取可能な情報機器の機能を設定するための設定情報を記録する設定情報記録領域を設けることを特徴とする請求項１から請求項１１のいずれか一項に記載の情報コード生成方法。
【請求項１９】
前記データ記録領域に、物品の種別を特定する種別特定情報を記録し、前記情報追加領域として、前記種別特定情報で特定される前記種別での具体的内容を記録する内容記録領域を設けることを特徴とする請求項１から請求項１１のいずれか一項に記載の情報コード生成方法。
【請求項２０】
前記情報追加領域として、複数種類の記録パターンで情報を追加可能な内容記録領域を設け、
前記データ記録領域に、前記複数種類の記録パターンのそれぞれに対応したパターン別識別情報を記録することを特徴とする請求項１から請求項１１のいずれか一項に記載の情報コード生成方法。
【請求項２１】
所定のコード領域の内部に情報を表示する単位となるセルが配列されてなる情報コードであって、
前記コード領域の内部に、予め定められた形状の特定パターンが配置される特定パターン領域と、複数種類の前記セルによってデータを記録するデータ記録領域と、前記データ記録領域に記録された情報とは別の追加情報を記録可能な情報追加領域とが設けられていることを特徴とする情報コード。
【請求項２２】
前記情報追加領域の識別表示が設けられていることを特徴とする請求項２１に記載の情報コード。
【請求項２３】
前記コード領域の内部に、前記特定パターン領域と、前記データ記録領域と、複数種類の前記セルによって誤り訂正符号を記録する誤り訂正符号記録領域と、前記情報追加領域と、が設けられていることを特徴とする請求項２１又は請求項２２に記載の情報コード。
【請求項２４】
前記コード領域の内部において、前記特定パターン領域及び前記データ記録領域以外の位置に、前記セルによって解読対象データが記録されない領域である空き領域が、単一の前記セルのサイズよりも大きいサイズで設けられ、
前記空き領域の内部に前記情報追加領域が設けられていることを特徴とする請求項２１から請求項２３のいずれか一項に記載の情報コード。
【請求項２５】
明色セル又は暗色セルを配列した構成で前記特定パターン領域及び前記データ記録領域が形成され、
少なくとも前記データ記録領域の一部が、前記情報追加領域を含む所定の機能領域とされ、
前記所定の機能領域の内部に、記号又は図形からなるガイド情報が形成され、且つ前記所定の機能領域の内部における前記ガイド情報の領域及び前記ガイド情報以外の領域の色がいずれも、情報コード読取装置によって明色又は暗色のいずれか一方の色と判定される明度で形成されていることを特徴とする請求項２１から請求項２３のいずれか一項に記載の情報コード。
【請求項２６】
明色セル又は暗色セルを配列した構成で前記特定パターン領域及び前記データ記録領域が形成され、
少なくとも前記データ記録領域の一部が、前記情報追加領域を含む所定の機能領域とされ、
前記所定の機能領域の内部に、記号又は図形からなるガイド情報が形成され、
前記所定の機能領域の内部に形成される前記ガイド情報の領域と当該ガイド情報以外の領域との明暗構成に基づいて前記所定の機能領域内の各セル位置での明暗を特定する明暗マップが生成された上で、当該明暗マップに基づいて前記データ記録領域のコードワード及び誤り訂正符号記録領域のコードワードが設定されていることを特徴とすることを特徴とする請求項２１から請求項２３のいずれか一項に記載の情報コード。
【請求項２７】
前記情報追加領域が１又は複数の所定色で構成されると共に当該所定色とは異なる他の色によって書き込むことが可能な領域として構成されていることを特徴とする請求項２１から請求項２６のいずれか一項に記載の情報コード。
【請求項２８】
前記情報追加領域の外縁部を示すマークが前記所定色とは異なる色により当該情報追加領域の識別表示として示されていることを特徴とする請求項２７に記載の情報コード。
【請求項２９】
前記コード領域内における前記情報追加領域の位置を示す位置データが前記データ記録領域に記録されていることを特徴とする請求項２１から請求項２８のいずれか一項に記載の情報コード。
【請求項３０】
前記コード領域において予め定められた所定位置に前記情報追加領域が配置されていることを特徴とする請求項２１から請求項２８のいずれか一項に記載の情報コード。
【請求項３１】
前記データ記録領域に、前記情報追加領域の存在を示す所定の識別情報が記録されていることを特徴とする請求項２１から請求項３０のいずれか一項に記載の情報コード。
【請求項３２】
前記コード領域の内部の前記情報追加領域に、色の組み合わせ又は形状の組合せによって前記追加情報を表現してなる第２情報コードが形成されていることを特徴とする請求項２１から請求項３１のいずれか一項に記載の情報コード。
【請求項３３】
前記コード領域の内部に、事後的に記入が可能な記入領域が複数設けられ、複数の前記記入領域への記入パターンによって第２情報コードが事後的に表現可能とされていることを特徴とする請求項２１から請求項３１のいずれか一項に記載の情報コード。
【請求項３４】
前記情報追加領域として、商品又は役務の価格情報、割引額情報、割引率情報、商品又は役務に付随する利益を特定する情報の少なくともいずれかの情報を追加する領域が設けられていることを特徴とする請求項２１から請求項３３のいずれか一項に記載の情報コード。
【請求項３５】
前記データ記録領域に、商品又は役務を特定する特定情報、若しくは、商品又は役務の価格を特定する価格情報が記録され、
前記情報追加領域として、前記特定情報で特定される商品又は役務の価格、又は前記価格情報で特定される価格に対する割引額情報又は割引率情報を追加する領域が設けられていることを特徴とする特徴とする請求項２１から請求項３３のいずれか一項に記載の情報コード。
【請求項３６】
前記データ記録領域に、当該情報コードが付された対象物を特定する対象物特定情報と、データの送信先を特定する送信先情報とが記録され、
前記情報追加領域として、連絡先を特定する情報を記録するための連絡先記録領域が設けられていることを特徴とする請求項２１から請求項３１のいずれか一項に記載の情報コード。
【請求項３７】
前記対象物は、配送物に付される帳票であり、
前記情報追加領域として、前記配送物の配達時期を指定する情報を記録するための配達時期記録領域が設けられていることを特徴とする請求項３６に記載の情報コード。
【請求項３８】
前記情報追加領域として、前記情報コードを読取可能な情報機器の機能を設定するための設定情報を記録する設定情報記録領域が設けられていることを特徴とする請求項２１から請求項３１のいずれか一項に記載の情報コード。
【請求項３９】
前記データ記録領域に、物品の種別を特定する種別特定情報が記録され、
前記情報追加領域として、前記種別特定情報で特定される前記種別での具体的内容を記録する内容記録領域が設けられていることを特徴とする請求項２１から請求項３１のいずれか一項に記載の情報コード。
【請求項４０】
前記情報追加領域として、複数種類の記録パターンで情報を追加可能な内容記録領域が設けられ、
前記データ記録領域に、前記複数種類の記録パターンのそれぞれに対応したパターン別識別情報が記録されていることを特徴とする請求項２１から請求項３１のいずれか一項に記載の情報コード。
【請求項４１】
所定のコード領域の内部に情報を表示する単位となるセルを配列した情報コードを読み取る情報コード読取装置であって、
前記情報コードは、前記コード領域の内部に、予め定められた形状の特定パターンが配置される特定パターン領域と、複数種類の前記セルによってデータを記録するデータ記録領域と、前記データ記録領域に記録された情報とは別の追加情報を記録可能な情報追加領域とを設けた構成であり、
前記情報コードを撮像可能な撮像部と、
前記撮像部によって前記情報コードが撮像された場合に、その撮像された前記情報コードのコード画像における前記データ記録領域の内容に基づいて前記データ記録領域に記録された前記データを読み取るデータ記録領域読取部と、
前記コード画像の前記情報追加領域内を解析し、当該情報追加領域内に追加された所定の追加情報を取得する追加情報取得部と、
を有することを特徴とする情報コード読取装置。
【請求項４２】
前記情報コードは、前記コード領域の内部に、前記特定パターン領域と、前記データ記録領域と、複数種類の前記セルによって誤り訂正符号を記録する誤り訂正符号記録領域と、前記情報追加領域と、を設けた構成であることを特徴とする請求項４１に記載の情報コード読取装置。
【請求項４３】
前記情報コードは、前記コード領域の内部に、前記特定パターン領域と、前記データ記録領域と、複数種類の前記セルによって誤り訂正符号を記録する誤り訂正符号記録領域と、前記情報追加領域とが設けられ、且つ少なくとも前記データ記録領域の一部が前記情報追加領域とされた構成であり
前記データ記録領域読取部は、前記データ記録領域を解読する際に、前記情報追加領域の位置を誤り位置として前記誤り訂正符号記録領域に記録された前記誤り訂正符号に基づく消失訂正を行うことを特徴とする請求項４１又は請求項４２に記載の情報コード読取装置。
【請求項４４】
前記情報コードは、前記コード領域の内部において、前記特定パターン領域及び前記データ記録領域以外の位置に、前記セルによって解読対象データが記録されない領域である空き領域を、単一の前記セルのサイズよりも大きいサイズで設けた構成であり、前記空き領域の一部又は全部が前記情報追加領域となっていることを特徴とする請求項４１又は請求項４２に記載の情報コード読取装置。
【請求項４５】
前記情報コードは、明色セル又は暗色セルを配列した構成で前記特定パターン領域及び前記データ記録領域が形成され、少なくとも前記データ記録領域の一部が、前記情報追加領域を含む所定の機能領域とされ、前記所定の機能領域の内部に、記号又は図形からなるガイド情報が形成され、且つ前記所定の機能領域の内部における前記ガイド情報の領域及び前記ガイド情報以外の領域の色がいずれも、当該情報コード読取装置によって明色又は暗色のいずれか一方の色と判定される明度で形成されていることを特徴とする請求項４１から請求項４３のいずれか一項に記載の情報コード読取装置。
【請求項４６】
前記情報コードは、明色セル又は暗色セルを配列した構成で前記特定パターン領域及び前記データ記録領域が形成され、少なくとも前記データ記録領域の一部が、前記情報追加領域を含む所定の機能領域とされ、前記所定の機能領域の内部に、記号又は図形からなるガイド情報が形成され、前記所定の機能領域の内部に形成される前記ガイド情報の領域と当該ガイド情報以外の領域との明暗構成に基づいて前記所定の機能領域内の各セル位置での明暗を特定する明暗マップが生成された上で、当該明暗マップに基づいて前記データ記録領域のコードワード及び誤り訂正符号記録領域のコードワードが設定されていることを特徴とする請求項４１から請求項４３のいずれか一項に記載の情報コード読取装置。
【請求項４７】
前記情報コードは、前記コード領域の内部に前記情報追加領域の範囲を示す識別表示が設けられた構成であり、
前記追加情報取得部は、前記コード画像の前記情報追加領域内を解析し、当該情報追加領域に書き込まれた前記追加情報を取得することを特徴とする請求項４１から請求項４６のいずれか一項に記載の情報コード読取装置。
【請求項４８】
前記情報コードは、前記情報追加領域が１又は複数の所定色で構成されると共に当該所定色とは異なる他の色によって書き込むことが可能な領域として構成されており、
前記追加情報取得部は、前記コード画像の前記情報追加領域における前記他の色による書き込みを検出する検出部を有することを特徴とする請求項４７に記載の情報コード読取装置。
【請求項４９】
前記情報コードは、前記情報追加領域の外縁部を示すマークが前記所定色とは異なる色により前記識別表示として示されたものであり、
前記検出部は、前記コード画像において前記マーク内の一部又は全部が前記他の色によって塗り潰されているか否かを判別することを特徴とする請求項４８に記載の情報コード読取装置。
【請求項５０】
前記情報コードは、前記情報追加領域の外縁部を示すマークが前記所定色とは異なる色により前記識別表示として示されたものであり、
前記検出部は、前記コード画像の前記情報追加領域内を解析し、当該情報追加領域内において前記他の色によって形成された記号を抽出することを特徴とする請求項４８に記載の情報コード読取装置。
【請求項５１】
前記コード画像における前記データ記録領域のセルの配列に基づいて前記コード画像全体を複数行且つ複数列のセル配列として認識し、且つ当該セル配列の各行において各列位置の色をそれぞれ判別する色判別部を備え、
前記検出部は、前記色判別部による前記情報追加領域内の各行における各列位置の色の判別結果に基づいて前記記号を抽出することを特徴とする請求項５０に記載の情報コード読取装置。
【請求項５２】
前記情報コードは、前記コード領域内における前記情報追加領域の位置を示す位置データが前記データ記録領域に記録されてなるものであり、
前記追加情報取得部は、前記データ記録領域読取部による前記データ記録領域の読取結果から得られる前記位置データに基づいて前記コード画像内での前記情報追加領域の位置を特定し、当該情報追加領域を解析して前記追加情報を取得することを特徴とする請求項４１から請求項５１のいずれか一項に記載の情報コード読取装置。
【請求項５３】
前記情報コードは、前記コード領域において予め定められた所定位置に前記情報追加領域が配置されてなるものであり、
前記所定位置を特定する特定情報を記録した特定情報記録部を備え、
前記追加情報取得部は、前記特定情報記録部に記録された前記特定情報に基づいて前記コード画像内での前記情報追加領域の位置を特定し、当該情報追加領域を解析して前記追加情報を取得することを特徴とする請求項４１から請求項５１のいずれか一項に記載の情報コード読取装置。
【請求項５４】
前記情報コードは、前記データ記録領域に所定の識別情報が記録されてなるものであり、
前記追加情報取得部は、前記データ記録領域読取部による前記データ記録領域の読取結果に基づき、前記データ記録領域に前記識別情報が記録されていることを条件として前記情報追加領域内に追加された前記追加情報を取得することを特徴とする請求項４１から請求項５３のいずれか一項に記載の情報コード読取装置。
【請求項５５】
前記データ記録領域読取部によって読み取られた情報と、前記追加情報取得部によって取得された前記追加情報とを出力する出力部を有することを特徴とする請求項４１から請求項５４のいずれか一項に記載の情報コード読取装置。
【請求項５６】
前記情報コードは、前記コード領域の内部の前記情報追加領域に、色の組み合わせ又は形状の組合せによって前記追加情報を表現してなる第２情報コードが形成されており、
前記追加情報取得部は、少なくとも前記コード画像の前記第２情報コードを解析し、前記第２情報コードに記録された前記追加情報を取得することを特徴とする請求項４１から請求項５５のいずれか一項に記載の情報コード読取装置。
【請求項５７】
前記情報コードは、前記コード領域の内部に、事後的に記入が可能な記入領域が複数設けられ、複数の前記記入領域への記入パターンによって第２情報コードが事後的に表現可能とされており、
前記追加情報取得部は、少なくとも前記コード画像の複数の前記記入領域を解析し、複数の前記記入領域での記入数又は記入位置の少なくともいずれかを検出することを特徴とする請求項４１から請求項５５のいずれか一項に記載の情報コード読取装置。
【請求項５８】
前記コード領域内の複数の前記記入領域で事後的に形成可能となる複数の記入パターンのそれぞれに対応付けられた情報を特定可能な情報が記憶された情報記憶部を備え、
前記追加情報取得部は、前記コード画像の複数の前記記入領域を解析し、前記情報記憶部に記憶された情報に基づき、前記記入領域での記入内容で表された前記第２情報コードを解読した情報を生成することを特徴とする請求項５７に記載の情報コード読取装置。
【請求項５９】
前記情報コードは、前記情報追加領域として、商品又は役務の価格情報、割引額情報、割引率情報、商品又は役務に付随する利益を特定する情報の少なくともいずれかの情報を追加する領域が設けられたものであることを特徴とする請求項４１から請求項５８のいずれか一項に記載の情報コード読取装置。
【請求項６０】
前記情報コードは、前記データ記録領域に、商品又は役務を特定する特定情報、若しくは、商品又は役務の価格を特定する価格情報が記録され、前記情報追加領域として、前記特定情報で特定される商品又は役務の価格に対する、又は前記価格情報で特定される価格に対する割引額情報又は割引率情報を追加する領域が設けられており、
前記追加情報取得部は、前記情報追加領域から前記割引額情報又は前記割引率情報の少なくともいずれかを読み取る構成であり、
更に、前記データ記録領域読取部によって読み取られた前記特定情報又は前記価格情報のいずれかの読取情報と、前記追加情報取得部によって取得された前記割引額情報又は前記割引率情報の少なくともいずれかの取得情報とに基づき、前記読取情報及び前記取得情報を外部に送信する処理、又は前記読取情報及び前記取得情報に基づいて商品又は役務の価格を算出する処理を行う情報処理部を有することを特徴とする請求項４１から請求項５８のいずれか一項に記載の情報コード読取装置。
【請求項６１】
複数の時間帯のそれぞれに対応付けて、各々の前記時間帯での正規情報を登録する正規情報登録部と、
前記情報コードが読み取られた時間を特定する読取時間特定部と、
前記情報コードの読み取りの際に前記追加情報取得部によって取得された前記割引額情報又は前記割引率情報の少なくともいずれかと、前記正規情報登録部において当該情報コードの読み取られた時間帯に対応付けて登録された前記正規情報とに基づき、前記追加情報取得部が取得した情報の正否を判定する判定部と、
を有することを特徴とする請求項６０に記載の情報コード読取装置。
【請求項６２】
前記情報コードは、前記データ記録領域に、当該情報コードが付された対象物を特定する対象物特定情報と、データの送信先を特定する送信先情報とが記録され、前記情報追加領域として、連絡先を特定する情報を記録するための連絡先記録領域が設けられており、
前記追加情報取得部は、前記連絡先記録領域に記録された連絡先特定情報を取得する構成であり、
更に、前記データ記録領域読取部によって読み取られた前記対象物特定情報と、前記追加情報取得部によって取得された前記連絡先特定情報とを、前記データ記録領域読取部によって読み取られた前記送信先情報で特定される送信先に送信する送信処理部を有することを特徴とする請求項４１から請求項５５のいずれか一項に記載の情報コード読取装置。
【請求項６３】
前記対象物は、配送物又は配送物に付される帳票であり、
前記情報追加領域として、前記配送物の配達時期を指定する情報を記録するための配達時期記録領域が設けられており、
前記追加情報取得部は、前記連絡先特定情報と、前記配達時期記録領域に記録された配達時期指定情報とを取得する構成であり、
前記送信処理部は、前記対象物特定情報と、前記連絡先特定情報と、前記配達時期指定情報とを、前記データ記録領域読取部によって読み取られた前記送信先情報で特定される送信先に送信することを特徴とする請求項６２に記載の情報コード読取装置。
【請求項６４】
前記情報コードは、前記情報追加領域として、当該情報コード読取装置の機能を設定するための設定情報を記録する設定情報記録領域が設けられており、
前記追加情報取得部は、前記設定情報記録領域に記録された前記設定情報を取得する構成であり、
更に、前記追加情報取得部によって取得された前記設定情報に基づいて、当該情報コード読取装置における１又は複数の機能の設定を行う設定部を有することを特徴とする請求項４１から請求項５５のいずれか一項に記載の情報コード読取装置。
【請求項６５】
前記情報コードは、前記データ記録領域に、物品の種別を特定する種別特定情報が記録され、前記情報追加領域として、前記種別特定情報で特定される物品種別での具体的内容を記録する内容記録領域が設けられており、
前記追加情報取得部は、前記内容記録領域に記録された前記具体的内容の情報を取得する構成であり、
更に、前記データ記録領域に記録された前記種別特定情報と、前記追加情報取得部によって取得された前記具体的内容の情報とに基づき、物品の具体的種類を特定する種類特定部を有することを特徴とする請求項４１から請求項５５のいずれか一項に記載の情報コード読取装置。
【請求項６６】
前記情報コードは、前記情報追加領域として、複数種類の記録パターンのいずれかで情報を追加可能な内容記録領域が設けられ、前記データ記録領域に、前記複数種類の記録パターンのそれぞれのパターンに対応したパターン別識別情報が記録されており、
前記追加情報取得部は、前記内容記録領域に記録された記録パターンの種類を特定する構成であり、
更に、前記データ記録領域の記録内容に基づき、前記追加情報取得部によって把握された前記記録パターンの種類に対応する前記パターン別識別情報を特定する識別情報特定部を有することを特徴とする請求項４１から請求項５５のいずれか一項に記載の情報コード読取装置。
【請求項６７】
前記情報コードは、前記情報追加領域に複数の個別記録領域が設けられ、各々の前記個別記録領域は、複数種類の記録が可能とされており、
前記追加情報取得部は、複数の前記個別記録領域における各々の記録の種類を特定する構成であり、
更に、前記追加情報取得部によって特定された各々の前記個別記録領域の記録の種類を反映した情報を生成して記憶又は出力する反映情報生成部を有することを特徴とする請求項４１から請求項５５のいずれか一項に記載の情報コード読取装置。
【請求項６８】
所定のコード領域の内部に情報を表示する単位となるセルを配列した情報コードを生成する情報コード生成装置と、
前記情報コード生成装置によって生成された前記情報コードを読み取る情報コード読取装置と、
を備えた情報コード利用システムであって、
前記情報コード生成装置は、
前記コード領域の内部に、予め定められた形状の特定パターンが配置される特定パターン領域と、複数種類の前記セルによってデータを記録するデータ記録領域と、前記データ記録領域に記録された情報とは別の追加情報を記録可能な情報追加領域とを設けた構成で前記情報コードを生成し、
前記情報コード読取装置は、
前記情報コード生成装置によって生成された前記情報コードを撮像可能な撮像部と、
前記撮像部によって前記情報コードが撮像された場合に、その撮像された前記情報コードのコード画像における前記データ記録領域の内容に基づいて前記データ記録領域に記録された前記データを読み取るデータ記録領域読取部と、
前記コード画像の前記情報追加領域を解析し、当該情報追加領域内に追加された所定の追加情報を取得する追加情報取得部と、
を有することを特徴とする情報コード利用システム。
【請求項６９】
前記情報コード生成装置は、前記コード領域の内部に、前記特定パターン領域と、前記データ記録領域と、複数種類の前記セルによって誤り訂正符号を記録する誤り訂正符号記録領域と、前記情報追加領域と、を設ける構成で前記情報コードを生成することを特徴とする請求項６８に記載の情報コード利用システム。
【請求項７０】
前記情報コード生成装置は、前記コード領域の内部に、前記特定パターン領域と、前記データ記録領域と、複数種類の前記セルによって誤り訂正符号を記録する誤り訂正符号記録領域と、前記情報追加領域とを設け、且つ少なくとも前記データ記録領域の一部を前記情報追加領域とする構成で前記情報コードを生成し、
前記データ記録領域読取部は、前記データ記録領域を解読する際に、前記情報追加領域の位置を誤り位置として前記誤り訂正符号記録領域に記録された前記誤り訂正符号に基づく消失訂正を行うことを特徴とする請求項６８又は請求項６９に記載の情報コード利用システム。
【請求項７１】
前記情報コード生成装置は、前記コード領域の内部において、前記特定パターン領域及び前記データ記録領域以外の位置に、前記セルによって解読対象データが記録されない領域である空き領域を、単一の前記セルのサイズよりも大きいサイズで設け、前記空き領域の一部又は全部を前記情報追加領域とする構成で前記情報コードを生成し、
前記情報コード読取装置の前記追加情報取得部は、前記コード画像の前記空き領域内を解析し、当該空き領域内の前記情報追加領域に追加された前記追加情報を取得することを特徴とする請求項６８又は請求項６９に記載の情報コード利用システム。
【請求項７２】
前記情報コード生成装置は、
明色セル又は暗色セルを配列した構成で前記特定パターン領域及び前記データ記録領域を形成し、
少なくとも前記データ記録領域の一部を、前記情報追加領域を含む所定の機能領域とする構成で前記情報コードを生成し、
前記所定の機能領域の内部に、記号又は図形からなるガイド情報を形成し、且つ前記所定の機能領域の内部における前記ガイド情報の領域及び前記ガイド情報以外の領域の色をいずれも、前記情報コード読取装置によって明色又は暗色のいずれか一方の色と判定される明度で形成することを特徴とする請求項６８から請求項７０のいずれか一項に記載の情報コード利用システム。
【請求項７３】
前記情報コード生成装置は、
明色セル又は暗色セルを配列した構成で前記特定パターン領域及び前記データ記録領域を形成し、
少なくとも前記データ記録領域の一部を、前記情報追加領域を含む所定の機能領域とする構成で前記情報コードを生成し、
前記所定の機能領域の内部に、記号又は図形からなるガイド情報を形成し、
前記所定の機能領域の内部に形成される前記ガイド情報の領域と当該ガイド情報以外の領域との明暗構成に基づいて前記所定の機能領域内の各セル位置での明暗を特定する明暗マップを生成し、当該明暗マップに基づいて前記データ記録領域のコードワード及び誤り訂正符号記録領域のコードワードを設定することを特徴とする請求項６８から請求項７０のいずれか一項に記載の情報コード利用システム。
【請求項７４】
前記情報コード生成装置は、前記コード領域の内部に前記情報追加領域の範囲を示す識別表示を設け、
前記情報コード読取装置の前記追加情報取得部は、前記コード画像の前記情報追加領域内を解析し、当該情報追加領域に書き込まれた前記追加情報を取得することを特徴とする請求項６８から請求項７３のいずれか一項に記載の情報コード利用システム。
【請求項７５】
前記情報コード生成装置は、前記情報追加領域を１又は複数の所定色で構成すると共に当該所定色とは異なる他の色によって書き込むことが可能な領域として構成し、
前記情報コード読取装置の前記追加情報取得部は、前記コード画像の前記情報追加領域における前記他の色による書き込みを検出する検出部を有することを特徴とする請求項７４に記載の情報コード利用システム。
【請求項７６】
前記情報コード生成装置は、前記情報追加領域の外縁部を示すマークが前記所定色とは異なる色により前記識別表示として示されるように前記情報コードを生成し、
前記情報コード読取装置の前記検出部は、前記コード画像において前記マーク内の一部又は全部が前記他の色によって塗り潰されているか否かを判別することを特徴とする請求項７５に記載の情報コード利用システム。
【請求項７７】
前記情報コード生成装置は、前記情報追加領域の外縁部を示すマークが前記所定色とは異なる色により前記識別表示として示されるように前記情報コードを生成し、
前記情報コード読取装置の前記検出部は、前記コード画像の前記情報追加領域内を解析し、当該情報追加領域内において前記他の色によって形成された記号を抽出することを特徴とする請求項７５に記載の情報コード利用システム。
【請求項７８】
前記情報コード読取装置は、前記コード画像における前記データ記録領域のセルの配列に基づいて前記コード画像全体を複数行且つ複数列のセル配列として認識し、且つ当該セル配列の各行において各列位置の色をそれぞれ判別する色判別部を備え、
前記情報コード読取装置の前記検出部は、前記色判別部による前記情報追加領域内の各行における各列位置の色の判別結果に基づいて前記記号を抽出することを特徴とする請求項７７に記載の情報コード利用システム。
【請求項７９】
前記情報コード生成装置は、前記コード領域内における前記情報追加領域の位置を示す位置データを前記データ記録領域に記録するように前記情報コードを生成する構成であり、
前記情報コード読取装置の前記追加情報取得部は、前記データ記録領域読取部による前記データ記録領域の読取結果から得られる前記位置データに基づいて前記コード画像内での前記情報追加領域の位置を特定し、当該情報追加領域を解析して前記追加情報を取得することを特徴とする請求項６８から請求項７８のいずれか一項に記載の情報コード利用システム。
【請求項８０】
前記情報コード生成装置は、前記コード領域において予め定められた所定位置に前記情報追加領域を配置するように前記情報コードを生成する構成であり、
前記情報コード読取装置には、前記所定位置を特定する特定情報を記録した特定情報記録部が設けられ、
前記情報コード読取装置の前記追加情報取得部は、前記特定情報記録部に記録された前記特定情報に基づいて前記コード画像内での前記情報追加領域の位置を特定し、当該情報追加領域を解析して前記追加情報を取得することを特徴とする請求項６８から請求項７８のいずれか一項に記載の情報コード利用システム。
【請求項８１】
前記情報コード生成装置は、前記データ記録領域に所定の識別情報を記録するように前記情報コードを生成し、
前記情報コード読取装置の前記追加情報取得部は、前記データ記録領域読取部による前記データ記録領域の読取結果に基づき、前記データ記録領域に前記識別情報が記録されていることを条件として前記情報追加領域内に追加された前記追加情報を取得することを特徴とする請求項６８から請求項８０のいずれか一項に記載の情報コード利用システム。
【請求項８２】
前記情報コード読取装置は、前記データ記録領域読取部によって読み取られた情報と、前記追加情報取得部によって取得された前記追加情報とを出力する出力部を有することを特徴とする請求項６８から請求項８１のいずれか一項に記載の情報コード利用システム。
【請求項８３】
前記情報コード生成装置は、前記コード領域の内部の前記情報追加領域に、色の組み合わせ又は形状の組合せによって前記追加情報を表現してなる第２情報コードを形成し、
前記追加情報取得部は、少なくとも前記コード画像の前記第２情報コードを解析し、前記第２情報コードに記録された前記追加情報を取得することを特徴とする請求項６８から請求項８２のいずれか一項に記載の情報コード利用システム。
【請求項８４】
前記情報コード生成装置は、前記コード領域の内部に、事後的に記入が可能な記入領域を複数設け、複数の前記記入領域への記入パターンによって第２情報コードが表現可能な構成で前記情報コードを生成し、
前記追加情報取得部は、少なくとも前記コード画像の複数の前記記入領域を解析し、複数の前記記入領域での記入数又は記入位置の少なくともいずれかを検出することを特徴とする請求項６８から請求項８２のいずれか一項に記載の情報コード利用システム。
【請求項８５】
前記コード領域内の複数の前記記入領域で事後的に形成可能となる複数の記入パターンのそれぞれに対応付けられた情報を特定可能な情報が記憶された情報記憶部を備え、
前記追加情報取得部は、前記コード画像の複数の前記記入領域を解析し、前記情報記憶部に記憶された情報に基づき、前記記入領域での記入内容で表された前記第２情報コードを解読した情報を生成することを特徴とする請求項８４に記載の情報コード利用システム。
【請求項８６】
前記情報コード生成装置は、前記情報追加領域として、商品又は役務の価格情報、割引額情報、割引率情報、商品又は役務に付随する利益を特定する情報の少なくともいずれかの情報を追加する領域を設けることを特徴とする請求項６８から請求項８５のいずれか一項に記載の情報コード利用システム。
【請求項８７】
前記情報コード生成装置は、前記データ記録領域に、商品又は役務を特定する特定情報、若しくは、商品又は役務の価格を特定する価格情報を記録し、前記情報追加領域として、前記特定情報で特定される商品又は役務の価格に対する、又は前記価格情報で特定される価格に対する割引額情報又は割引率情報を追加する領域を設け、
前記情報コード読取装置の前記追加情報取得部は、前記情報追加領域から前記割引額情報又は前記割引率情報の少なくともいずれかを読み取る構成であり、
更に、前記情報コード読取装置は、前記データ記録領域読取部によって読み取られた前記特定情報又は前記価格情報のいずれかの読取情報と、前記追加情報取得部によって取得された前記割引額情報又は前記割引率情報の少なくともいずれかの取得情報とに基づき、前記読取情報及び前記取得情報を外部に送信する処理、又は前記読取情報及び前記取得情報に基づいて商品又は役務の価格を算出する処理を行う情報処理部を有することを特徴とする請求項６８から請求項８５のいずれか一項に記載の情報コード利用システム。
【請求項８８】
前記情報コード読取装置は、
複数の時間帯のそれぞれに対応付けて、各々の前記時間帯での正規情報を登録する正規情報登録部と、
前記情報コードが読み取られた時間を特定する読取時間特定部と、
前記情報コードの読み取りの際に前記追加情報取得部によって取得された前記割引額情報又は前記割引率情報の少なくともいずれかと、前記正規情報登録部において当該情報コードの読み取られた時間帯に対応付けて登録された前記正規情報とに基づき、前記追加情報取得部が取得した情報の正否を判定する判定部と、
を有することを特徴とする請求項８７に記載の情報コード利用システム。
【請求項８９】
前記情報コード生成装置は、前記情報コードの前記データ記録領域に、当該情報コードが付された対象物を特定する対象物特定情報と、データの送信先を特定する送信先情報とを記録し、前記情報追加領域として、連絡先を特定する情報を記録するための連絡先記録領域を設け、
前記情報コード読取装置の前記追加情報取得部は、前記連絡先記録領域に記録された連絡先特定情報を取得する構成であり、
更に、前記情報コード読取装置は、前記データ記録領域読取部によって読み取られた前記対象物特定情報と、前記追加情報取得部によって取得された前記連絡先特定情報とを、前記データ記録領域読取部によって読み取られた前記送信先情報で特定される送信先に送信する送信処理部を有することを特徴とする請求項６８から請求項８２のいずれか一項に記載の情報コード利用システム。
【請求項９０】
前記対象物は、配送物又は配送物に付される帳票であり、
前記情報コード生成装置は、前記情報追加領域として、前記配送物の配達時期を指定する情報を記録するための配達時期記録領域を設け、
前記情報コード読取装置の前記追加情報取得部は、前記連絡先特定情報と、前記配達時期記録領域に記録された配達時期指定情報とを取得する構成であり、
前記情報コード読取装置の前記送信処理部は、前記対象物特定情報と、前記連絡先特定情報と、前記配達時期指定情報とを、前記データ記録領域読取部によって読み取られた前記送信先情報で特定される送信先に送信することを特徴とする請求項８９に記載の情報コード利用システム。
【請求項９１】
前記情報コード生成装置は、前記情報追加領域として、当該情報コード読取装置の機能を設定するための設定情報を記録する設定情報記録領域を設け、
前記情報コード読取装置の前記追加情報取得部は、前記設定情報記録領域に記録された前記設定情報を取得する構成であり、
更に、前記情報コード読取装置は、前記追加情報取得部によって取得された前記設定情報に基づいて、当該情報コード読取装置における１又は複数の機能の設定を行う設定部を有することを特徴とする請求項６８から請求項８２のいずれか一項に記載の情報コード利用システム。
【請求項９２】
前記情報コード生成装置は、前記データ記録領域に、物品の種別を特定する種別特定情報を記録し、前記情報追加領域として、前記種別特定情報で特定される物品種別での具体的内容を記録する内容記録領域を設け、
前記情報コード読取装置の前記追加情報取得部は、前記内容記録領域に記録された前記具体的内容の情報を取得する構成であり、
更に、前記情報コード読取装置は、前記データ記録領域に記録された前記種別特定情報と、前記追加情報取得部によって取得された前記具体的内容の情報とに基づき、物品の具体的種類を特定する種類特定部を有することを特徴とする請求項６８から請求項８２のいずれか一項に記載の情報コード利用システム。
【請求項９３】
前記情報コード生成装置は、前記情報追加領域として、複数種類の記録パターンのいずれかで情報を追加可能な内容記録領域を設け、前記データ記録領域に、前記複数種類の記録パターンのそれぞれのパターンに対応したパターン別識別情報を記録し、
前記情報コード読取装置の前記追加情報取得部は、前記内容記録領域に記録された記録パターンの種類を特定する構成であり、
更に、前記情報コード読取装置は、前記データ記録領域の記録内容に基づき、前記追加情報取得部によって把握された前記記録パターンの種類に対応する前記パターン別識別情報を特定する識別情報特定部を有することを特徴とする請求項６８から請求項８２のいずれか一項に記載の情報コード利用システム。
【請求項９４】
前記情報コード生成装置は、前記情報追加領域に複数の個別記録領域を設け、各々の前記個別記録領域を、複数種類の記録が可能な構成とし、
前記情報コード読取装置の前記追加情報取得部は、複数の前記個別記録領域における各々の記録の種類を特定する構成であり、
更に、前記情報コード読取装置は、前記追加情報取得部によって特定された各々の前記個別記録領域の記録の種類を反映した情報を生成して記憶又は出力する反映情報生成部を有することを特徴とする請求項６８から請求項８２のいずれか一項に記載の情報コード利用システム。
【発明の詳細な説明】
【技術分野】
【０００１】
本発明は、情報コードの生成方法、情報コード、情報コード読取装置、及び情報コード利用システムに関するものである。
【背景技術】
【０００２】
現在では、情報コードの用途が多様化しており、コード領域内に写真や図などを配置するような技術も提案されている。例えば、特許文献１の技術では、２次元コードにおいて単一の値として読み取られる領域を形成するビット列を逆変換した逆変換ビット列を求め、逆変換ビット列を２次元コードのフォーマット情報に基づいて変換して２次元コードを生成することにより、単一の階調値から構成されたデザイン領域を有する特殊２次元コードを生成している。
【先行技術文献】
【特許文献】
【０００３】
【特許文献１】特許第５０５７５６０号公報
【発明の概要】
【発明が解決しようとする課題】
【０００４】
上記特許文献１の技術では、例えば、デザイン領域が白のモジュールにより構成されている特殊２次元コードの場合には、白として読み取られる範囲の階調値から構成されたデザインがデザイン領域に形成されるように特殊２次元コードと所与のデザインデータとを合成している。一方、デザイン領域が例えば黒のモジュールにより構成されている特殊２次元コードの場合には、黒として読み取られる範囲の階調値から構成されたデザインがデザイン領域に形成されるように特殊２次元コードと所与のデザインデータとを合成している。
【０００５】
しかしながら、特許文献１の技術では、一度設定されたデザイン領域を事後的に変更するという思想がなく、この点で利便性が損なわれていた。また、特許文献１の技術を含め、従来の情報コードは、セル配列等によって表現されるデータのみが読取対象であり、一旦形成された情報コードに新たなデータを追加することはできないという問題もあった。このため、情報コードに対して追加情報を記録したい場合には、新たに情報コードを形成し直さなければならず、この点でも利便性が損なわれていた。特に、新たに情報コードを形成し直す場合には、その場面に情報コード形成装置が用意されていなければならないため準備面での負担が大きく、また形成作業に要する労力も大きくならざるを得なかった。
【０００６】
本発明は、上述した課題を解決するためになされたものであり、情報コードにおけるコード領域内の少なくとも一部を、データ記録領域に記録された情報とは別の追加情報を記録可能な情報追加領域として使用しうる構成を提供する。
【課題を解決するための手段】
【０００７】
第１の発明は、所定のコード領域の内部に情報を表示する単位となるセルを配列した情報コードを情報コード生成装置によって生成する情報コード生成方法であって、
前記コード領域の内部に、予め定められた形状の特定パターンが配置される特定パターン領域と、複数種類の前記セルによってデータを記録するデータ記録領域と、前記データ記録領域に記録された情報とは別の追加情報を記録可能な情報追加領域とを設けることを特徴とする。
【０００８】
第２の発明は、所定のコード領域の内部に情報を表示する単位となるセルが配列されてなる情報コードであって、
前記コード領域の内部に、予め定められた形状の特定パターンが配置される特定パターン領域と、複数種類の前記セルによってデータを記録するデータ記録領域と、前記データ記録領域に記録された情報とは別の追加情報を記録可能な情報追加領域とが設けられていることを特徴とする。
【０００９】
第３の発明は、所定のコード領域の内部に情報を表示する単位となるセルを配列した情報コードを読み取る情報コード読取装置であって、
前記情報コードは、前記コード領域の内部に、予め定められた形状の特定パターンが配置される特定パターン領域と、複数種類の前記セルによってデータを記録するデータ記録領域と、前記データ記録領域に記録された情報とは別の追加情報を記録可能な情報追加領域とを設けた構成であり、
前記情報コードを撮像可能な撮像部と、
前記撮像部によって前記情報コードが撮像された場合に、その撮像された前記情報コードのコード画像における前記データ記録領域の内容に基づいて前記データ記録領域に記録された前記データを読み取るデータ記録領域読取部と、
前記コード画像の前記情報追加領域内を解析し、当該情報追加領域内に追加された所定の追加情報を取得する追加情報取得部と、
を有することを特徴とする。
【００１０】
第４の発明は、所定のコード領域の内部に情報を表示する単位となるセルを配列した情報コードを生成する情報コード生成装置と、
前記情報コード生成装置によって生成された前記情報コードを読み取る情報コード読取装置と、
を備えた情報コード利用システムであって、
前記情報コード生成装置は、
前記コード領域の内部に、予め定められた形状の特定パターンが配置される特定パターン領域と、複数種類の前記セルによってデータを記録するデータ記録領域と、前記データ記録領域に記録された情報とは別の追加情報を記録可能な情報追加領域とを設けた構成で前記情報コードを生成し、
前記情報コード読取装置は、
前記情報コード生成装置によって生成された前記情報コードを撮像可能な撮像部と、
前記撮像部によって前記情報コードが撮像された場合に、その撮像された前記情報コードのコード画像における前記データ記録領域の内容に基づいて前記データ記録領域に記録された前記データを読み取るデータ記録領域読取部と、
前記コード画像の前記情報追加領域を解析し、当該情報追加領域内に追加された所定の追加情報を取得する追加情報取得部と、
を有することを特徴とする。
【発明の効果】
【００１１】
請求項１の発明によれば、コード領域内においてデータ記録領域に記録された情報とは別の追加情報を記録可能な情報追加領域を設けた形で情報コードを生成することができ、その情報コードの情報追加領域に記録された追加情報を事後的に利用できるようになる。
【００１２】
請求項２の発明によれば、識別表示の存在により情報追加領域を把握しやすくなる。
【００１３】
請求項３の発明によれば、コード領域内に誤り訂正符号記録領域を設けた形で情報コードを生成することができ、情報追加領域に記録された追加情報を事後的に利用し得る情報コードを誤り訂正が可能な構成で実現することができる。
【００１４】
請求項４の発明によれば、コード領域内においてデータ記録領域及び特定パターン領域以外の位置にセルによって解読対象データが記録されない領域（空き領域）を確保することができ、この空き領域を情報追加領域として利用することができる。空き領域はセルによって解読対象データが記録されない領域であるため、情報追加領域がセルの影響を受け難くなり、情報追加領域をより自由に構成し易くなる。
【００１５】
請求項５の発明によれば、機能領域の内部が明色又は暗色のいずれか一方の色と判定され得る構成となるため、明色又は暗色の他方の色で書き込まれた場合にその書き込みをより確実に検出し易くなる。
【００１６】
請求項６の発明のように、予め、ガイド情報の領域とそれ以外の領域の明暗構成に合わせてコードワードを設定し、且つ誤り訂正符号領域を設定すれば、ガイド情報の領域が誤りの領域として認識され難くなり、より良好にデコードが行われやすくなる。
【００１７】
請求項７の方法で生成された情報コードを利用する利用者は、情報追加領域内に他の色（情報追加領域を構成する色以外の色）で書き込めばよく、この場合、読み取る装置（情報コード読取装置）は、書き込まれた色と背景色とを区別して認識すれば、書き込まれた内容を正確に認識し易くなる。
【００１８】
請求項８の方法で生成された情報コードを利用する利用者は、どの範囲に情報を書き込むべきかをより正確に把握することができる。
【００１９】
請求項９の方法で生成された情報コードを読取装置が読み取る場合、当該読取装置は、データ記録領域を解読して位置データを取得することで、コード画像内での情報追加領域の位置をより正確に特定することが可能となる。
【００２０】
請求項１０の方法で生成された情報コードを読取装置が読み取る場合、当該読取装置は、前もって所定位置を特定し得る情報を有していれば、コード画像内での情報追加領域の位置を正確に特定することが可能となる。
【００２１】
請求項１１の方法で情報コードを生成しておけば、読取装置側では、識別情報が存在する場合にのみ情報追加領域を解析して追加情報を取得する対応をとることができ、識別情報が存在しない場合には、無用な解析、情報取得を省略する対応をとることができる。
【００２２】
請求項１２の発明によれば、データ記録領域での表現内容とは異なる情報コード（第２情報コード）を表現することができるため、情報コード内のデータを利用する上での自由度がより大きくなり、情報コードの用途をより拡大しやすくなる。
【００２３】
請求項１３の発明によれば、利用者が事後的に第２情報コードの具体的内容を記入することができ、その第２情報コードの記録内容を読取装置で利用できるようになるため、利便性を効果的に高めることができる。
【００２４】
請求項１４の発明によれば、情報追加領域を利用して、商品又は役務の価格情報、割引額情報、割引率情報、商品又は役務に付随する利益を特定する情報の少なくともいずれかの情報を追加可能となり、これらの情報を読取装置などで利用できるようになるため、利便性を効果的に高めることができる。
【００２５】
請求項１５の発明によれば、データ記録領域に、商品又は役務を特定する特定情報、若しくは、商品又は役務の価格を特定する価格情報を記録しておくことで、商品又は役務、若しくは商品又は役務の価格を特定できるようにしておくことができる。更に、情報追加領域を利用して、特定情報で特定される商品又は役務の価格、又は価格情報で特定される価格に対する割引額情報又は割引率情報を追加することができるため、割引額や割引率の事後的な追加を複雑な操作を強いることなく簡単に行うことができ、情報コードの読み取り後に割引額や割引率の情報を容易に利用できるようになる。
【００２６】
請求項１６の発明で生成された情報コードを利用する場合、連絡先記録領域に連絡先を特定する情報を記録した上で当該情報コードを読み取ることにより、連絡先を特定する情報と、対象物を特定する対象物特定情報とを、予め決められた送信先（送信先情報で特定される送信先）に容易に送信できるようになる。これにより、その送信先では、どの対象物に関する情報が送られてきたかを、指定された連絡先と共に把握可能となる。
【００２７】
請求項１７の発明によれば、配送物の配達時期を連絡先及び対象物特定情報と共に特定の送信先に簡単に送信できる情報コードを実現できる。特に、この情報コードでは、配達時期の指定や連絡先の入力を、複雑なキー入力等を必須とせずに行えるため、配達時期の連絡を行おうとする利用者にとって利便性が高いものとなる。
【００２８】
請求項１８の発明によって生成された情報コードによれば、設定情報記録領域へ設定情報を記録し、これを情報機器に読み取らせることによって情報機器の機能を容易に設定することが可能となる。
【００２９】
請求項１９の発明で生成された情報コードを用いれば、１つの物品種別が更に多種類に細分化されるような対象物品を管理する上で、多種類の情報コードを用意する必要がなく、１つの種類の情報コードを多種類の物品に兼用できるようになる。
【００３０】
請求項２０の発明で生成された情報コードを用いれば、１つの物品種別が更に多種類に細分化されるような対象物品を管理する上で、多種類の情報コードを用意する必要がなく、１つの種類の情報コードを多種類の物品に兼用できるようになる。更に、内容記録領域に記録されたパターンに対応するパターン別識別情報を利用できるため、多種類の情報コードを用意しなくても、内容記録領域に記録されたパターンで特定される種類に固有に割り当てられた情報を用いて管理することが可能となる。
【００３１】
請求項２１の発明によれば、コード領域内においてデータ記録領域に記録された情報とは別の追加情報を記録可能な情報追加領域を設けた構成とすることができ、データ記録領域に記録された情報の解読のみならず、情報追加領域に記録された追加情報を事後的に利用できるようになる。
【００３２】
請求項２２の発明によれば、識別表示の存在により情報追加領域を把握しやすくなる。
【００３３】
請求項２３の発明によれば、情報追加領域に記録された追加情報を事後的に利用し得る情報コードを誤り訂正が可能な構成で実現することができる。
【００３４】
請求項２４の発明によれば、コード領域内においてデータ記録領域及び特定パターン領域以外の位置にセルによって解読対象データが記録されない領域（空き領域）を確保することができ、この空き領域を情報追加領域として利用することができる。空き領域はセルによって解読対象データが記録されない領域であるため、情報追加領域がセルの影響を受け難くなり、情報追加領域をより自由に構成し易くなる。
【００３５】
請求項２５の発明によれば、機能領域の内部が明色又は暗色のいずれか一方の色と判定され得る構成となるため、明色又は暗色の他方の色で書き込まれた場合にその書き込みをより確実に検出し易くなる。
【００３６】
請求項２６の発明のように、予め、ガイド情報の領域とそれ以外の領域の明暗構成に合わせてコードワードを設定し、且つ誤り訂正符号領域を設定すれば、ガイド情報の領域が誤りの領域として認識され難くなり、より良好にデコードが行われやすくなる。
【００３７】
請求項２７の発明に係る情報コードを利用する利用者は、情報追加領域内に他の色（情報追加領域を構成する色以外の色）で書き込めばよく、この場合、読み取る装置（情報コード読取装置）は、書き込まれた色と背景色とを区別して認識すれば、書き込まれた内容を正確に認識し易くなる。
【００３８】
請求項２８の発明に係る情報コードを利用する利用者は、どの範囲に情報を書き込むべきかをより正確に把握することができるようになる。
【００３９】
請求項２９の発明に係る情報コードを読取装置が読み取る場合、当該読取装置は、データ記録領域を解読して位置データを取得することで、コード画像内での情報追加領域の位置をより正確に特定することが可能となる。
【００４０】
請求項３０の発明に係る情報コードを読取装置が読み取る場合、当該読取装置は、前もって所定位置を特定し得る情報を有していれば、コード画像内での情報追加領域の位置を正確に特定することが可能となる。
【００４１】
請求項３１の発明のように情報コードを構成しておけば、当該情報コードを想定する読取装置側では、識別情報が存在する場合にのみ情報追加領域を解析して追加情報を取得する対応をとることができ、識別情報が存在しない場合には、無用な解析、情報取得を省略する対応をとることができる。
【００４２】
請求項３２の発明によれば、データ記録領域での表現内容とは異なる情報コード（第２情報コード）を表現することができるため、情報コード内のデータを利用する上での自由度がより大きくなり、情報コードの用途をより拡大しやすくなる。
【００４３】
請求項３３の発明によれば、利用者が事後的に第２情報コードの具体的内容を記入することができ、その第２情報コードの記録内容を読取装置で利用できるようになるため、利便性を効果的に高めることができる。
【００４４】
請求項３４の発明によれば、情報追加領域を利用して、商品又は役務の価格情報、割引額情報、割引率情報、商品又は役務に付随する利益を特定する情報の少なくともいずれかの情報を追加可能となり、これらの情報を読取装置などで利用できるようになるため、利便性を効果的に高めることができる。
【００４５】
請求項３５の発明によれば、データ記録領域に、商品又は役務を特定する特定情報、若しくは、商品又は役務の価格を特定する価格情報を記録しておくことで、商品又は役務、若しくは商品又は役務の価格を特定できるようにしておくことができる。更に、情報追加領域を利用して、特定情報で特定される商品又は役務の価格、又は価格情報で特定される価格に対する割引額情報又は割引率情報を追加することができるため、割引額や割引率の事後的な追加を複雑な操作を強いることなく簡単に行うことができ、情報コードの読み取り後に割引額や割引率の情報を容易に利用できるようになる。
【００４６】
請求項３６の発明に係る情報コードを利用する場合、連絡先記録領域に連絡先を特定する情報を記録した上で当該情報コードを読み取ることにより、連絡先を特定する情報と、対象物を特定する対象物特定情報とを、予め決められた送信先（送信先情報で特定される送信先）に容易に送信できるようになる。これにより、その送信先では、どの対象物に関する情報が送られてきたかを、指定された連絡先と共に把握可能となる。
【００４７】
請求項３７の発明によれば、配送物の配達時期を連絡先及び対象物特定情報と共に特定の送信先に簡単に送信できる情報コードを実現できる。特に、この情報コードでは、配達時期の指定や連絡先の入力を、複雑なキー入力等を必須とせずに行えるため、配達時期の連絡を行おうとする利用者にとって利便性が高いものとなる。
【００４８】
請求項３８の発明に係る情報コードによれば、設定情報記録領域へ設定情報を記録し、これを情報機器に読み取らせることによって情報機器の機能を容易に設定することが可能となる。
【００４９】
請求項３９の発明に係る情報コードを用いれば、１つの物品種別が更に多種類に細分化されるような対象物品を管理する上で、多種類の情報コードを用意する必要がなく、１つの種類の情報コードを多種類の物品に兼用できるようになる。
【００５０】
請求項４０の発明に係る情報コードを用いれば、１つの物品種別が更に多種類に細分化されるような対象物品を管理する上で、多種類の情報コードを用意する必要がなく、１つの種類の情報コードを多種類の物品に兼用できるようになる。更に、内容記録領域に記録されたパターンに対応するパターン別識別情報を利用できるため、多種類の情報コードを用意しなくても、内容記録領域に記録されたパターンで特定される種類に固有に割り当てられた情報を用いて管理することが可能となる。
【００５１】
請求項４１の発明によれば、データ記録領域に記録された情報とは別の追加情報が記録され得る情報追加領域が設けられてなる情報コードを読取対象とする読取装置を実現できる。そして、その情報コードの情報追加領域に記録された追加情報を事後的に利用可能となる。
【００５２】
請求項４２の発明によれば、情報追加領域に記録された追加情報を事後的に利用し得る読取装置を誤り訂正が可能な構成で実現することができる。
【００５３】
請求項４３の発明によれば、情報追加領域に記録された追加情報を事後的に利用し得る読取装置を実現しつつ、情報追加領域の位置を誤り位置として誤り訂正を行い、データ記録領域の内容についてもより確実に解読し得る構成を実現できる。更に、情報追加領域の位置を既知の位置として消失訂正を行うことができるため、誤り訂正符号のデータ量が抑制しやすくなり、コード領域内をより有効に使いやすくなる。
【００５４】
請求項４４の発明によれば、コード領域内においてデータ記録領域及び特定パターン領域以外の位置にセルによって解読対象データが記録されない領域（空き領域）が確保され、この空き領域が情報追加領域として利用された情報コードを読取対象として、その情報コードのデータ記録領域の内容、及び情報追加領域に記録された追加情報を事後的に利用し得る構成となる。
【００５５】
請求項４５の発明によれば、機能領域の内部が明色又は暗色のいずれか一方の色と判定される構成となるため、明色又は暗色の他方の色でガイド情報以外の書き込みがなされた場合にその書き込みをより確実に検出し易くなる。
【００５６】
請求項４６の発明のように、予め、ガイド情報の領域とそれ以外の領域の明暗構成に合わせてコードワードが設定され、且つ誤り訂正符号領域が設定されていれば、ガイド情報の領域が誤りの領域として認識され難くなり、より良好にデコードが行われやすくなる。
【００５７】
請求項４７の発明によれば、利用者が識別表示を目印として情報追加領域に情報を書き込んだ場合に、読取装置側では、情報追加領域内を選択的に解析して書き込まれた追加情報を取得することができるため、追加情報を正確に認識し利用し易くなる。
【００５８】
請求項４８の発明によれば、利用者が情報追加領域内を他の色（情報追加領域を構成する色以外の色）で書き込んだ場合に、その書き込んだ情報を読取装置によってより正確に認識することができる。
【００５９】
請求項４９の発明によれば、情報追加領域をマークシートとして利用することができ、利用者の利便性を一層高めることができる。
【００６０】
請求項５０の発明によれば、情報追加領域を、記号（文字、数字、その他の記号など）の入力領域として利用することができ、利用者の利便性を一層高めることができる。
【００６１】
請求項５１の発明のようにコード画像全体を複数行且つ複数列のセル配列として認識し、色判別部による情報追加領域内の各行における各列位置の色の判別結果に基づいて記号を抽出すれば、読取装置の傾き等に起因してコード画像に歪み等が生じたとしても正規化した上で処理することができるため、記号の認識精度が高まる。
【００６２】
請求項５２の発明では、情報追加領域の位置を特定するデータが予め情報コード読取装置内に存在しなくても、情報コード読取装置の追加情報取得部は、データ記録領域に記録された位置データに基づいてコード画像内での情報追加領域の位置をより正確に特定することが可能となる。
【００６３】
請求項５３の発明では、情報追加領域を配置すべき位置が予め定められ、情報コード読取装置には、その情報追加領域の位置を特定し得る情報が予め記録されているため、情報コード内に特別な位置情報等を含ませなくても読み取り時に情報追加領域の位置をより正確に特定することが可能となる。
【００６４】
請求項５４の発明では、データ記録領域に識別情報が記録されていなければ情報追加領域の解析、情報取得がなされないことになる。つまり、識別情報が存在せず、情報追加領域の解析が不要な場合には無用な解析、情報取得を省略することができる。
【００６５】
請求項５５の発明によれば、データ記録領域に予め記録された情報だけでなく、追加情報取得部に追加された情報についても読取装置によって出力することができ、既存の情報コード読取装置の仕組みでは実現し得ない対応（追加情報の出力）が可能となる。
【００６６】
請求項５６の発明によれば、データ記録領域での表現内容とは異なる情報コード（第２情報コード）が表現された情報コードを読取対象として、第２情報コードをも利用できるようになり、情報コードの用途をより拡大しやすくなる。
【００６７】
請求項５７の発明によれば、利用者が事後的に第２情報コードの具体的内容を記入し得る情報コードを読取対象として、事後的に生成された第２情報コードの記録内容をも利用できるようになるため、利便性を効果的に高めることができる。
【００６８】
請求項５８の発明によれば、利用者が生成した第２情報コードの記入パターンに対応した情報が生成される構成であるため、利用者が記録し得る情報量がより大きくなり、利便性がより一層高まる。
【００６９】
請求項５９の発明によれば、情報追加領域を利用して、商品又は役務の価格情報、割引額情報、割引率情報、商品又は役務に付随する利益を特定する情報の少なくともいずれかの情報を追加可能となり、これらの情報を読取装置などで利用できるようになるため、利便性を効果的に高めることができる。
【００７０】
請求項６０の発明によれば、データ記録領域に、商品又は役務を特定する特定情報、若しくは、商品又は役務の価格を特定する価格情報を記録しておくことで、商品又は役務、若しくは商品又は役務の価格を特定できるようにしておくことができる。更に、情報追加領域を利用して、特定情報で特定される商品又は役務の価格、又は価格情報で特定される価格に対する割引額情報又は割引率情報を追加することができるため、割引額や割引率の事後的な追加を複雑な操作を強いることなく簡単に行うことができ、情報コードの読み取り後に割引額や割引率の情報を容易に利用できるようになる。
【００７１】
請求項６１の発明によれば、読み取りがなされた時間と登録された正規情報とに基づいて、追加情報取得部によって取得された情報（割引額情報又は割引率情報の少なくともいずれか）が正しいものであるか否かをより正確に判定できるようになる。
【００７２】
請求項６２の発明によれば、連絡先記録領域に連絡先を特定する情報を記録した上で当該情報コードを読み取ることにより、連絡先を特定する情報と、対象物を特定する対象物特定情報とを、予め決められた送信先（送信先情報で特定される送信先）に容易に送信できるようになる。これにより、その送信先では、どの対象物に関する情報が送られてきたかを、指定された連絡先と共に把握可能となる。
【００７３】
請求項６３の発明によれば、配送物の配達時期を、連絡先及び対象物特定情報と共に特定の送信先に簡単に送信することが可能となる。特に、配達時期の指定や連絡先の入力を、複雑なキー入力等を必須とせずに行えるため、配達時期の連絡を行おうとする利用者にとって利便性が高いものとなる。
【００７４】
請求項６４の発明によれば、設定情報記録領域に設定情報が記録された情報コードを読み取るという簡単な操作で、読取装置内の機能を容易に設定することが可能となる。
【００７５】
請求項６５の発明によれば、１つの物品種別が更に多種類に細分化されるような対象物品を管理する上で、多種類の情報コードを用意する必要がなく、１つの種類の情報コードを多種類の物品に兼用できるようになる。
【００７６】
請求項６６の発明によれば、１つの物品種別が更に多種類に細分化されるような対象物品を管理する上で、多種類の情報コードを用意する必要がなく、１つの種類の情報コードを多種類の物品に兼用できるようになる。更に、内容記録領域に記録されたパターンに対応するパターン別識別情報を利用できるため、多種類の情報コードを用意しなくても、内容記録領域に記録されたパターンで特定される種類に固有に割り当てられた情報を用いて管理することが可能となる。
【００７７】
請求項６７の発明によれば、各個別記録領域に記録された内容を全て反映した固有情報を生成し、利用することが可能となる。例えば、１つの物品種別が更に多種類に細分化されるような対象物品を管理するために情報コードを用いる場合、各個別記録領域での記録内容によって具体的な物品種類を特定する構成とすれば、その具体的な物品種類に対応する固有情報を生成し、管理することができる。
【００７８】
請求項６８の発明によれば、コード領域内においてデータ記録領域に記録された情報とは別の追加情報を記録可能な情報追加領域を設けた形で情報コードを生成することができ、その情報コードの情報追加領域に記録された追加情報を事後的に利用し得るシステムを実現することができる。
【００７９】
請求項６９の発明によれば、コード領域内に誤り訂正符号記録領域を設けた形で情報コードを生成することができ、情報追加領域に記録された追加情報を事後的に利用し得るシステムを誤り訂正が可能な構成で実現することができる。
【００８０】
請求項７０の発明によれば、情報追加領域に記録された追加情報を事後的に利用し得るシステムを実現しつつ、情報追加領域の位置を誤り位置として誤り訂正を行い、データ記録領域の内容についてもより確実に解読し得る構成を実現できる。更に、情報追加領域の位置を既知の位置として消失訂正を行うことができるため、誤り訂正符号のデータ量を抑えることができ、コード領域内をより有効に使いやすくなる。
【００８１】
請求項７１の発明によれば、コード領域内においてデータ記録領域及び特定パターン領域以外の位置にセルによって解読対象データが記録されない領域（空き領域）を確保することができ、この空き領域を情報追加領域として利用することができる。空き領域はセルによって解読対象データが記録されない領域であるため、情報追加領域がセルの影響を受け難くなり、情報追加領域をより自由に構成し易くなる。
【００８２】
請求項７２の発明によれば、機能領域の内部が明色又は暗色のいずれか一方の色と判定される構成となるため、明色又は暗色の他方の色でガイド情報以外の書き込みがなされた場合にその書き込みをより確実に検出し易くなる。
【００８３】
請求項７３の発明のように、予め、ガイド情報の領域とそれ以外の領域の明暗構成に合わせてコードワードを設定し、且つ誤り訂正符号領域を設定すれば、ガイド情報の領域が誤りの領域として認識され難くなり、より良好にデコードが行われやすくなる。
【００８４】
請求項７４の発明によれば、利用者は識別表示を目印とすることができるため、情報追加領域の位置を容易に把握し易くなる。
【００８５】
請求項７５の発明によれば、利用者が情報追加領域内を他の色（情報追加領域を構成する色以外の色）で書き込んだ場合に、その書き込んだ情報が情報コード読取装置によってより正確に認識されることになる。
【００８６】
請求項７６の発明によれば、情報追加領域をマークシートとして利用できるようになる。このように情報コードの高機能化を図ることで、利用者の利便性を一層高めることができる。
【００８７】
請求項７７の発明によれば、情報追加領域を、記号（文字、数字、その他の記号など）の入力領域として利用できるようになる。このように情報コードの高機能化を図ることで、利用者の利便性を一層高めることができる。
【００８８】
請求項７８の発明のように、コード画像全体を複数行且つ複数列のセル配列として認識し、色判別部による情報追加領域内の各行における各列位置の色の判別結果に基づいて記号を抽出すれば、読取装置の傾き等に起因してコード画像に歪み等が生じたとしても正規化した上で処理することができるため、記号の認識精度が高まる。
【００８９】
請求項７９の発明では、情報追加領域の位置を特定するデータが予め情報コード読取装置内に存在しなくても、情報コード読取装置の追加情報取得部はコード画像内での情報追加領域の位置をより正確に特定することが可能となる。
【００９０】
請求項８０の発明では、情報追加領域を配置すべき位置が情報コード生成装置において予め定められ、情報コード読取装置には、その情報追加領域の位置を特定し得る情報が予め記録されているため、情報コード内に特別な位置情報等を含ませなくても読み取り時に情報追加領域の位置をより正確に特定することが可能となる。
【００９１】
請求項８１の発明では、データ記録領域に識別情報が記録されていなければ情報追加領域からの情報取得がなされないことになる。つまり、情報追加領域の解析が不要な場合にはデータ記録領域内に識別情報を記録しておかないことで、無用な解析、情報取得を省略することができる。逆に、情報追加領域を解析すべき場合にはデータ記録領域内に識別情報を記録しておけば情報追加領域の解析、情報取得につなげることができる。
【００９２】
請求項８２の発明によれば、データ記録領域に記録された情報だけでなく、情報追加領域に記録された情報についても読取装置によって出力することができ、既存の情報コードの仕組みでは実現し得ない対応（追加情報の出力）が可能となる。
【００９３】
請求項８３の発明によれば、データ記録領域での表現内容とは異なる情報コード（第２情報コード）を表現することができるため、情報コード内のデータを利用する上での自由度がより大きくなり、情報コードの用途をより拡大しやすくなる。
【００９４】
請求項８４の発明によれば、利用者が事後的に第２情報コードの具体的内容を記入することができ、その第２情報コードの記録内容を読取装置で利用できるようになるため、利便性を効果的に高めることができる。
【００９５】
請求項８５の発明によれば、利用者が生成した第２情報コードの記入パターンに対応した情報が生成される構成であるため、利用者が記録し得る情報量がより大きくなり、利便性がより一層高まる。
【００９６】
請求項８６の発明によれば、情報追加領域を利用して、商品又は役務の価格情報、割引額情報、割引率情報、商品又は役務に付随する利益を特定する情報の少なくともいずれかの情報を追加可能となり、これらの情報を読取装置などで利用できるようになるため、利便性を効果的に高めることができる。
【００９７】
請求項８７の発明によれば、データ記録領域に、商品又は役務を特定する特定情報、若しくは、商品又は役務の価格を特定する価格情報を記録しておくことで、商品又は役務、若しくは商品又は役務の価格を特定できるようにしておくことができる。更に、情報追加領域を利用して、特定情報で特定される商品又は役務の価格、又は価格情報で特定される価格に対する割引額情報又は割引率情報を追加することができるため、割引額や割引率の事後的な追加を複雑な操作を強いることなく簡単に行うことができ、情報コードの読み取り後に割引額や割引率の情報を容易に利用できるようになる。
【００９８】
請求項８８の発明によれば、読み取りがなされた時間と登録された正規情報とに基づいて、追加情報取得部によって取得された情報（割引額情報又は割引率情報の少なくともいずれか）が正しいものであるか否かをより正確に判定できるようになる。
【００９９】
請求項８９の発明によれば、連絡先記録領域に連絡先を特定する情報を記録した上で当該情報コードを読み取ることにより、連絡先を特定する情報と、対象物を特定する対象物特定情報とを、予め決められた送信先（送信先情報で特定される送信先）に容易に送信できるようになる。これにより、その送信先では、どの対象物に関する情報が送られてきたかを、指定された連絡先と共に把握可能となる。
【０１００】
請求項９０の発明によれば、配送物の配達時期を、連絡先及び対象物特定情報と共に特定の送信先に簡単に送信することが可能となる。特に、配達時期の指定や連絡先の入力を、複雑なキー入力等を必須とせずに行えるため、配達時期の連絡を行おうとする利用者にとって利便性が高いものとなる。
【０１０１】
請求項９１の発明によれば、設定情報記録領域に設定情報が記録された情報コードを読み取るという簡単な操作で、読取装置内の機能を容易に設定することが可能となる。
【０１０２】
請求項９２の発明によれば、１つの物品種別が更に多種類に細分化されるような対象物品を管理する上で、多種類の情報コードを用意する必要がなく、１つの種類の情報コードを多種類の物品に兼用できるようになる。
【０１０３】
請求項９３の発明によれば、１つの物品種別が更に多種類に細分化されるような対象物品を管理する上で、多種類の情報コードを用意する必要がなく、１つの種類の情報コードを多種類の物品に兼用できるようになる。更に、内容記録領域に記録されたパターンに対応するパターン別識別情報を利用できるため、多種類の情報コードを用意しなくても、内容記録領域に記録されたパターンで特定される種類に固有に割り当てられた情報を用いて管理することが可能となる。
【０１０４】
請求項９４の発明によれば、各個別記録領域に記録された内容を全て反映した固有情報を生成し、利用することが可能となる。例えば、１つの物品種別が更に多種類に細分化されるような対象物品を管理するために情報コードを用いる場合、各個別記録領域での記録内容によって具体的な物品種類を特定する構成とすれば、その具体的な物品種類に対応する固有情報を生成し、管理することができる。
【０１０５】
なお、上記いずれのシステムにおいても、前記情報コード生成装置は、解読対象データを取得するデータ取得部と、前記解読対象データを表現する複数のデータワードを前記コード領域に配置する際の各配置位置を特定する配置位置情報を記録する配置位置情報記録部と、前記コード領域の内部に前記空き領域を設ける場合、前記コード領域内の所定位置に特定のフォーマット構成でフォーマット情報を記録し、且つ、前記データ取得部で取得された前記解読対象データを表現する各データワードを、前記配置位置情報記録部に記録された前記配置位置情報に基づいて配置するように、前記データ記録領域を生成するデータ記録領域生成部と、を備えた構成とすることができる。
そして、前記情報コード読取装置は、前記配置位置情報記録部に記録される前記配置位置情報に対応する情報であり且つ前記コード領域での複数の前記データワードの各配置位置を特定する情報である対応情報を記録する対応情報記録部と、前記撮像部によって前記情報コードが撮像された場合に、前記コード領域の前記所定位置が前記特定のフォーマット構成であるか否かを判別する判別部と、前記判別部によって前記所定位置が前記特定のフォーマット構成であると判別された場合に、前記対応情報記録部に記録された前記対応情報に基づいて前記コード領域内の各データワードの位置を特定し、前記解読対象データを解読する解読部と、を備えた構成とすることができる。
この構成では、情報コード読取装置が判別部によって所定位置のフォーマット構成を確認することで、情報コード生成装置によって生成された特徴的な情報コード（空き領域を備えた情報コード）であるか否かを判別できるようになる。そして、特定のフォーマット構成であると判別できた場合には、コード領域での複数のデータワードの各配置位置を特定し得る情報（対応情報）に基づいてコード領域内の各データワードの位置を特定することができ、解読対象データを解読することができる。
【０１０６】
この場合、前記情報コード生成装置の前記データ記録領域生成部は、前記コード領域の内部に前記空き領域を設ける場合に、所定種類のマスクパターンを反映した状態で前記所定位置のセル配列を構成するようにすればよい。そして、前記情報コード読取装置の前記判別部は、前記撮像部によって前記情報コードが撮像された場合に、前記所定位置に前記所定種類のマスクパターンが反映されているか否かを判別するように構成し、前記情報コード読取装置の前記解読部は、前記所定位置に前記所定種類のマスクパターンが反映されていることを条件として、前記解読対象データを解読するように構成すればよい。。
この構成によれば、所定位置にかけるマスクパターンの種別によって情報コード生成装置によって生成された特徴的な情報コード（空き領域を備えた情報コード）であるか否かを確実に判別でき、フォーマット情報のデータ量を抑えつつ「特定のフォーマット構成」を実現しやすくなる。
【０１０７】
また、このように配置位置情報を設ける構成では、前記配置位置情報は、前記解読対象データを複数の前記データワードで表現したときの各順番のデータワードと、前記各順番のデータワードの前記コード領域内での各配置位置とを対応付けて定める情報とすればよく、前記対応情報は、前記コード領域において各配置位置で表される前記各順番のデータワードを、前記情報コードとは異なる他種コードで表現する場合の当該他種コード内での各対応位置を定める情報とすればよく、前記解読部は、前記判別部によって前記所定位置が前記特定のフォーマット構成であると判別された場合、前記コード領域の各配置位置で表される前記各順番のデータワードを、前記対応情報で定められる前記他種コード内での各対応位置に置換した構成で当該他種コードを解読すればよい。
この構成によれば、他種コードの読み取りの仕組みを利用して特徴的な情報コード（空き領域を備えた情報コード）を良好に読み取ることができる。
【図面の簡単な説明】
【０１０８】
【図１】図１は、本発明の第１実施形態に係る情報コード利用システムを概略的に例示する概略図である。
【図２】図２は、図１の情報コード利用システムを構成する情報コード読取装置の電気的構成を概略的に例示するブロック図である。
【図３】図３は、図１の情報コード利用システムで用いられる情報コードのデータ構成を概念的に説明する説明図である。
【図４】図４は、図１の情報コード利用システムで用いられる情報コードと対応する他種のコードを説明する説明図である。
【図５】図５は、図１の情報コード利用システムを構成する情報コード生成装置で生成される情報コードでの各データワードの配置と、他種のコードでの各データワードの配置との対応関係を説明する説明図である。
【図６】図６は、図１の情報コード利用システムで用いられる情報コードのフォーマットデータを概念的に説明する説明図である。
【図７】図７は、図１の情報コード利用システムを構成する情報コード生成装置で生成される情報コードでの各データワードの配置と、他種のコードでの各データワードの配置との対応関係を説明する説明図であり、図５とは異なる対応関係に変更した図である。
【図８】図８は、図１の情報コード利用システムを構成する情報コード生成装置での情報コードの生成の流れを例示するフローチャートである。
【図９】図９は、図１の情報コード利用システムを構成する情報コード読取装置での情報コードの読み取りの流れを例示するフローチャートである。
【図１０】図１０（Ａ）は、図１の情報コード利用システムで用いられる情報コードにおいて、追加情報の書き込みがなされていない状態を示す説明図であり、図１０（Ｂ）は、その情報コードに対して追加情報の書き込みがなされた状態を示す説明図であり、空き領域の外側のセル構成を省略して示す図である。
【図１１】図１１は、第２実施形態の情報コード利用システムを構成する情報コード生成装置で生成される情報コードでの各データワードの配置と、他種のコードでの各データワードの配置との対応関係を説明する説明図である。
【図１２】図１２は、第２実施形態の情報コード利用システムで用いられる情報コードのデータ構成を概念的に説明する説明図である。
【図１３】図１３は、第２実施形態の情報コード利用システムを構成する情報コード読取装置での情報コードの読み取りの流れを例示するフローチャートである。
【図１４】図１４（Ａ）は、第２実施形態の情報コード利用システムで用いられる情報コードにおいて、追加情報の書き込みがなされていない状態を示す説明図であり、図１４（Ｂ）は、その情報コードに対して追加情報の書き込みがなされた状態を示す説明図であり、空き領域の外側のセル構成を省略して示す図である。
【図１５】図１５は、第３実施形態に係る情報コード利用システムで用いられる情報コードを説明する説明図であり、図１５（Ａ）は、空き領域を空白にした状態を示す図であり、図１５（Ｂ）は、空き領域に情報追加領域を設けた状態を示す図であり、図１５（Ｃ）は、情報追加領域に記入がなされた状態を示す図である。
【図１６】図１６は、第３実施形態の変更例１に係る情報コード利用システムで用いられる情報コードを説明する説明図であり、図１６（Ａ）は、空き領域を空白にした状態を示す図であり、図１６（Ｂ）は、空き領域に情報追加領域を設けた状態を示す図であり、図１６（Ｃ）は、情報追加領域に記入がなされた状態を示す図である。
【図１７】図１７（Ａ）は、第３実施形態の変更例２に係る情報コード利用システムで用いられる情報コードを説明する説明図であり、図１７（Ｂ）は、空き領域内の各セル位置を概念的に説明する説明図であり、図１７（Ｃ）は、図１７（Ａ）（Ｂ）の状態（塗り潰しがなされていない状態）の空き領域の各セル位置を読み取ったときの認識結果を概念的に説明する説明図である。
【図１８】図１８は、第４実施形態に係る情報コード利用システムで用いられる情報コードを説明する説明図であり、図１８（Ａ）は、空き領域を空白にした状態を示す図であり図１８（Ｂ）は、空き領域に情報追加領域を設けた状態を示す図である。
【図１９】図１９（Ａ）は、第３実施形態の代表例又は変更例で用いる情報コードにおける解読対象データのデータ構成を概念的に示す説明図であり、図１９（Ｂ）は、第４実施形態で用いる情報コードにおける解読対象データのデータ構成を概念的に示す説明図である。
【図２０】図２０は、第５実施形態に係る情報コード利用システムで用いられる情報コードを説明する説明図であり、図２０（Ａ）は、記入領域が空白の状態を示す図であり、図２０（Ｂ）は、記入領域に記入がなされた状態を示す図である。
【図２１】図２１は、第５実施形態で扱われる情報コードについての登録された明暗パターンを例示する説明図であり、図２１（Ａ）は、割引率１０％として登録された明暗パターンを説明する説明図であり、図２１（Ｂ）は、割引率２０％として登録された明暗パターンを説明する説明図であり、図２１（Ｃ）は、割引率３０％として登録された明暗パターンを説明する説明図である。
【図２２】図２２（Ａ）は、第５実施形態で扱われる情報コードでの正規の明暗パターンを説明する説明図であり、図２２（Ｂ）は、その情報コードに不正な書き込みが行われた例を示す説明図である。
【図２３】図２３は、第５実施形態で扱われる情報コードの別例１を説明する説明図であり、図２３（Ａ）は、記入領域が空白の状態を示す図であり、図２３（Ｂ）は、記入領域内に事後的に記入がなされた状態を示す図である。
【図２４】図２４は、第５実施形態で扱われる情報コードの別例２を説明する説明図であり、図２４（Ａ）は、記入領域が空白の状態を示す図であり、図２４（Ｂ）は、記入領域内に事後的に記入がなされた状態を示す図である。
【図２５】図２５は、第５実施形態で扱われる情報コードの別例３を説明する説明図であり、図２５（Ａ）は、記入領域が空白の状態を示す図であり、図２５（Ｂ）は、記入領域内に事後的に記入がなされた状態を示す図である。
【図２６】図２６（Ａ）は、第５実施形態で扱われる情報コードの別例４を説明する説明図であり、図２６（Ｂ）は、第５実施形態で扱われる情報コードの別例５を説明する説明図である。
【図２７】図２７は、第６実施形態に係る情報コード利用システムで用いられる情報コードを説明する説明図である。
【図２８】図２８は、第６実施形態に係る情報コード利用システムでの読み取りの考え方を説明する説明図である。
【図２９】図２９（Ａ）は、第６実施形態の変更例１で用いられる情報コードを説明する説明図であり、図２９（Ｂ）は、第６実施形態の変更例２で用いられる情報コードを説明する説明図である。
【図３０】図３０は、第６実施形態の変更例１に係る情報コード利用システムでの読み取りの考え方を説明する説明図である。
【図３１】図３１は、第６実施形態の変更例３に係る情報コード利用システムでの読み取りの考え方を説明する説明図である。
【図３２】図３２は、第７実施形態に係る情報コード利用システムで用いられる情報コード等を説明する説明図である。
【図３３】図３３は、第７実施形態に係る情報コード利用システムでの情報コードの読み取りの流れを説明する説明図である。
【図３４】図３４は、第８実施形態に係る情報コード利用システムで用いられる情報コードを説明する説明図である。
【図３５】図３５は、第９実施形態に係る情報コード利用システムで用いられる情報コードを説明する説明図である。
【図３６】図３６は、第９実施形態に係る情報コード利用システムでの具体的な運用例を説明する説明図である。
【図３７】図３７は、第９実施形態の変更例１に係る情報コード利用システムでの読み取りの考え方を説明する説明図である。
【図３８】図３８は、第９実施形態の変更例２に係る情報コード利用システムでの読み取りの考え方を説明する説明図である。
【図３９】図３９は、他の実施形態に係る情報コード利用システムで用いられる情報コードを説明する説明図である。
【図４０】図４０は、他の実施形態に係る情報コード利用システムで用いられる情報コードの別例１を説明する説明図である。
【図４１】図４１は、他の実施形態に係る情報コード利用システムで用いられる情報コードの別例２を説明する説明図である。
【発明を実施するための形態】
【０１０９】
[第１実施形態]
以下、本発明を具現化した第１実施形態について、図面を参照して説明する。
図１に示す情報コード利用システム１は、所定のコード領域の内部に情報を表示する単位となるセルを配列した情報コード１００を生成する情報コード生成装置２と、情報コード生成装置２によって生成された情報コード１００を読み取る情報コード読取装置１０とを備えた構成をなしている。
【０１１０】
（情報コード生成装置）
情報コード生成装置２は、例えばパーソナルコンピュータ等の情報処理装置として構成されており、ＣＰＵなどからなる制御部３と、キーボード、マウス、その他の入力装置からなる操作部４と、ＲＯＭ、ＲＡＭ、ＨＤＤ、不揮発性メモリ等の記憶装置からなる記憶部５と、公知の表示装置（液晶ディスプレイやその他の表示デバイス）などからなる表示部６と、外部装置と有線通信或いは無線通信を行うための通信インタフェースとして機能する通信部７と、公知のプリンタ等と同様のハードウェア構成をなし且つ制御部３からの印刷データに基づいて情報コード１００等を印刷可能な印刷部８（印刷装置）とを備えている。
【０１１１】
（情報コード読取装置）
次に、情報コード読取装置１０の全体構成について説明する。図２に示すように、情報コード読取装置１０は、ハードウェア的には二次元コードを読取可能なコードリーダとして構成されており、図示しないケースによって外郭が構成され、このケース内に各種電子部品が収容された構成をなしている。
【０１１２】
この情報コード読取装置１０は、主に、照明光源２１、受光センサ２３、フィルタ２５、結像レンズ２７等の光学系と、メモリ３５、制御回路４０、操作スイッチ４２、液晶表示装置４６等のマイクロコンピュータ（以下「マイコン」という）系と、電源スイッチ４１、電池４９等の電源系と、から構成されている。なお、これらは、図略のプリント配線板に実装あるいはケース（図示略）内に内装されている。
【０１１３】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ２３を挟んだ両側に照明光源２１が設けられており、ケースに形成された読取口（図示略）を介して読取対象物Ｒに向けて照明光Ｌｆを照射可能に構成されている。この読取対象物Ｒとしては、例えば、樹脂材料、金属材料等の様々な対象が考えられ、このような読取対象物Ｒに例えば図１のような情報コード１００（後述）が印刷などによって形成されている。
【０１１４】
受光センサ２３は、情報コード１００（後述）を撮像可能な「撮像部」の一例に相当し、読取対象物Ｒや情報コード１００に照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ２３は、結像レンズ２７を介して入射する入射光を受光面２３ａで受光可能に図略のプリント配線板に実装されている。
【０１１５】
フィルタ２５は、例えば反射光Ｌｒの波長相当以下の光の通過を許容し、当該波長相当を超える光の通過を遮断し得る光学的なローパスフィルタで、ケースに形成された読取口（図示略）と結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本実施形態では、ケースに形成された読取口（図示略）に入射する反射光Ｌｒを集光し、受光センサ２３の受光面２３ａに情報コード１００のコード画像を結像するように構成されている。
【０１１６】
マイコン系は、増幅回路３１、Ａ／Ｄ変換回路３３、メモリ３５、アドレス発生回路３６、同期信号発生回路３８、制御回路４０、操作スイッチ４２、ＬＥＤ４３、ブザー４４、液晶表示装置４６、通信インタフェース４８等から構成されている。このマイコン系は、マイコン（情報処理装置）として機能し得る制御回路４０及びメモリ３５を中心として構成され、前述した光学系によって撮像された情報コード１００の画像信号をハードウェア的およびソフトウェア的に信号処理し得るものである。
【０１１７】
光学系の受光センサ２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【０１１８】
メモリ３５は、半導体メモリ装置などによって構成され、例えばＲＡＭ（ＤＲＡＭ、ＳＲＡＭ等）やＲＯＭ（ＥＰＲＯＭ、ＥＥＰＲＯＭ等）等がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、受光センサ２３等の各ハードウェアを制御可能なシステムプログラム等が予め格納されている。
【０１１９】
制御回路４０は、情報コード読取装置１０全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本実施形態の場合、電源スイッチ４１、操作スイッチ４２、ＬＥＤ４３、ブザー４４、液晶表示装置４６、通信インタフェース４８等が接続されている。また、通信インタフェース４８には、情報コード読取装置１０の上位システムに相当するホストコンピュータＨＳＴなどを接続できるようになっている。
【０１２０】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。
【０１２１】
（情報コード）
次に、図１の情報コード利用システムで利用される情報コード１００について図１、図５等を参照して説明する。なお、図１の例と図５右図の例では、セル配列や特定パターンのサイズ等が若干異なるが基本的な考えは同様であり、同様の特徴を有している。図１、図５等に示す情報コード１００は、例えば上述の情報コード生成装置２によって生成されるものであり、所定のコード領域の内部に情報を表示する単位となるセル１０２を配列した構成となっている。図１、図５等の情報コード１００において、「コード領域」は、複数配列された暗色セルを全て含み得る矩形状の領域であり、特定パターン領域とデータ記録領域を全て含む最小の正方形領域又は長方形領域となっている。具体的には、３つの位置検出パターン（切り出しシンボル）１０４を全て含む最小の正方形領域又は長方形領域となっている。なお、「コード領域」は、情報コードを構成する複数種類のセルを全て含む最小の正方形領域又は長方形領域であればよく、図１、図５のような例に限られるものではない。また、図１、図５等の例では、複数のセル１０２が、矩形状（例えば外径が正方形状）の明色（白色）セル及び暗色（黒色）セルのいずれかによって構成されており、コード領域の内部において後述する空き領域１１０の周囲にこれらセル１０２がマトリックス状に配置されている。明色セル及び暗色セルは、それぞれ白色セル、黒色セルに限られるものではなく、暗色セルが所定の明度で構成される場合、明色セルはそれよりも明度が高ければよい。また、情報コード１００において上記コード領域の周囲には、当該コード領域を取り囲むように明色又は暗色のマージン領域が構成されるようになっており、図１、図５等の例では、明色（例えば、白色或いは暗色セルよりも明度の大きい他色）のマージン領域がコード領域の周囲に隣接して配置されている。
【０１２２】
この情報コード１００は、矩形状（例えば、正方形状或いは長方形状等）のコード領域の内部に、予め定められた形状の特定パターン（具体的には、単一のセルよりも大きい領域の固定形状）が配置される特定パターン領域と、複数種類のセル１０２によってデータを記録するデータ記録領域と、複数種類のセル１０２によって誤り訂正符号を記録する誤り訂正符号記録領域とが設けられている。図１、図５等のように、情報コード１００の特定パターンは、例えば、ＱＲコード（登録商標）の公知の所定型番（図５の例では、ＪＩＳ等で規格化されたＱＲコードの所定型番）の特定パターンと同一の形状及び位置となっており、図１、図５等の例では、コード領域の３つの角部にそれぞれ、特定パターンとしての位置検出パターン（切り出しシンボル）１０４が配置されている。また、上記所定型番において予め定められた位置に、特定パターンとしてのタイミングパターン１０６やアライメントパターン１０８も設けられている。なお、タイミングパターン１０６やアライメントパターン１０８は配置されていなくてもよい。このように、情報コード１００では、予め定められた位置に決まった形状の特定パターン（位置検出パターン１０４、タイミングパターン１０６、アライメントパターン１０８（図５では省略））が配置されるようになっている。なお、コード領域の内部において、後述する空き領域１１０以外の位置は、このような特定パターンの領域、記録領域（データ記録領域及び誤り訂正符号記録領域のいずれかからなる領域）などによって構成されている。
【０１２３】
情報コード１００のセルの行数及び列数、特定パターンの形状及び位置、フォーマット情報の位置、コードワードの候補位置（コードワードの配置順序を特定するアドレス）等は読取装置がどのような方法で把握してもよい。例えば、情報コード１００の種別において複数の型番が設けられていてもよく、この場合、型番毎にセルの行数及び列数、特定パターンの形状及び位置、フォーマット情報の位置、コードワードを配置する候補位置（アドレス）が予め定められていればよい。そして、上記型番を特定する型番情報がコード領域内の決められた位置（予約領域）に配置されていれば、読取装置１０はこの位置を既知の位置として把握しておくことで、この型番情報に基づいて情報コード１００のセルの行数及び列数、特定パターンの形状及び位置、フォーマット情報の位置、コードワードの候補位置（アドレス）を把握できるようになる。なお、この方法に限定されるものではなく、読取装置１０が把握し得る方法であれば他の方法でもよい。
【０１２４】
そして、コード領域の内部において、特定パターン領域、データ記録領域、誤り訂正符号記録領域以外の位置には、セル１０２によってデータが記録されない領域であり且つ誤り訂正符号による誤り訂正の対象にならない領域である空き領域１１０が、単一のセル１０２のサイズよりも大きいサイズで設けられている。なお、図１、図５等の例では、データ記録領域、誤り訂正符号記録領域がコード領域の周縁に沿って環状且つ矩形状に配置されており、コード領域の中央部（コード領域の中心を含む所定領域）に空き領域１１０が構成されている。なお、「セル１０２によってデータが記録されない領域」とは、即ち、後述するデータコードワードや誤り訂正コードワードなどのコードワードが記録されない領域であり、且つフォーマット情報が記録されない領域であることを意味する。また、「誤り訂正符号による誤り訂正の対象にならない領域」とは、即ち、誤り訂正符号記録領域に記録された誤り訂正符号を用いた誤り訂正が行われない領域であることを意味する。従って、空き領域１１０に何らかの情報（後述する追加情報等）が記録されていても、空き領域１１０の周囲に存在する誤り訂正符号記録領域の誤り訂正符号によってその情報に対する誤り訂正がなされることはない。
【０１２５】
なお、以下の説明では、図５右図のような上記所定型番に対応する構成と、図５左図のような所定型番よりもサイズが小さい別の型番（Ｖｅｒ．番号）とが対応付けられ、図５右図の情報コード１００の各コードワードの位置と、図５左図の他種コード１２０の各コードワードの位置とが図５下図のような配置変換表によって対応付けられている例を代表例として説明する。この例では、図５左図の他種コード１２０で格納し得るデータ量であれば、図５右図のような情報コード１００により空き領域１１０を設けた上で表現できるようになっている。逆に、図５右図の情報コード１００を読み取る場合には、情報コード１００の各コードワードを、図５左図のような他種コード１２０のコードワードとして読み取ることができるようになっている。
【０１２６】
また、図５右図では、空き領域１１０の周囲に配置される各コードワードの領域を破線枠等によって概念的に示している。また、フォーマット情報を記録する領域（所定位置１０５）は、所定種類のハッチングにて概念的に示している。なお、図５右図では、フォーマット情報を記録する領域や、コードワードを記録する領域では、升目のみを示し、明色セルや暗色セルの具体的配列を省略して示している。また、図５右図の例では、セル配列と対応付けるべく空き領域１１０（コード領域の中央部分）の内部にも升目を付しているが、空き領域１１０の構成は自由であり、図１のように構成してもよく、その他の構成であってもよい。
【０１２７】
フォーマット情報（形式情報）は、例えば図６のように構成されて情報コード１００内の所定位置１０５（所定種類のハッチング位置）に特定のフォーマット構成で記録されている。このフォーマット情報は、誤り訂正レベルを特定する訂正レベル情報と、マスク番号を特定するマスク番号情報とを含んでいる。訂正レベル情報は、情報コード１００で用いる誤り訂正レベルを特定する情報であり、例えば他種コード１２０に変換して読み取る場合の当該他種コード１２０で用いる誤り訂正レベルにも相当する。また、マスク番号は、情報コード１００のコードワード領域（データコードワードや誤り訂正コードワードが記録されている領域）にかけられているマスクがどのマスク種別であるかを特定する情報である。
【０１２８】
図６に示すようにフォーマット情報は、所定種類のマスクパターン（特定マスク）を反映した状態で記録されており、公知のＱＲコードと同様の方法でフォーマット情報のマスク種別を識別することで、図５右図に示すような特定のコード種別（空き領域１１０を設けた種別）であることを検出できるようになっている。公知規格のＱＲコードでは、例えばモデル１として構成する場合には、図６のようなフォーマット情報に対してモデル１用のマスクをかけたときに表現されるデータ（セル配列）を所定位置に記録し、モデル２として構成する場合には、図６のようなフォーマット情報に対してモデル２用のマスクをかけたときに表現されるデータ（セル配列）を所定位置に記録するようになっている。一方、図５に示す本実施形態の情報コード１００（空き領域１１０を有する特別種類のコード）では、図６のようなフォーマット情報に対してモデル１、２とは異なる種類の特定マスク（図６では額縁ＱＲ用と例示）をかけたときに表現されるデータ（セル配列）を所定位置１０５に記録するようになっている。そして、公知規格のモデル１及びモデル２、情報コード１００の種別のいずれの場合でも、記録する訂正レベル（訂正レベル情報）及びマスク番号（マスク番号情報）に対応するチェックデジットが付された上でフォーマット情報が構成されており、その上で各種別用のマスクがかけられるようになっている。具体的には、各種別用のマスクパターンを用いて公知の方法でマスク処理が行われ、マスク処理後のビットパターンが所定位置１０５に記録されるようになっている。従って、情報コード１００のようにフォーマット情報に対して特定マスク（図６では額縁ＱＲ用と例示）をかけた上で所定位置１０５に記録する場合、このように所定位置１０５に記録された情報を上記特定マスクに基づいてマスク処理を解除して解読すればチェックデジットが合うため、情報コード１００の種別であることを特定することができる。逆に、情報コード１００の所定位置１０５のデータを、モデル１やモデル２のマスクに基づいてマスクを外しても、チェックデジットが合わなくなるため、公知規格のモデル１やモデル２でないことを特定することができる。
【０１２９】
この情報コード１００では、特定パターン（位置検出パターン１０４等）を検出し、公知のＱＲコードと同様の方法でコード領域、コードの向き、各セル位置を特定した後、公知のＱＲコードと同様の方法でフォーマット情報が記録された所定位置１０５を解読することで、解読時に成功したマスクの種別により情報コード１００の種別（空き領域１１０を有する特別種類）であることを特定することができる。そして、解読されたフォーマット情報により、情報コード１００で用いる誤り訂正レベルを特定でき、且つ情報コード１００のコードワード領域（セルによってデータコードワードや誤り訂正コードワードが記録されている領域）にかけられているマスク種別を特定できるようになっている。
【０１３０】
更に、空き領域１１０の内部には、情報追加領域１２１、１２２、１２３、１２４の範囲を示す識別表示（マーク１２１ａ、１２２ａ、１２３ａ、１２４ａ）がそれぞれ設けられており、この情報追加領域１２１、１２２、１２３、１２４の内部に事後的に書き込みが行えるようになっている。具体的には、情報追加領域１２１、１２２、１２３、１２４におけるマーク１２１ａ、１２２ａ、１２３ａ、１２４ａ内のそれぞれの部分が１又は複数の所定色（例えば白色等）で構成されており、それら情報追加領域１２１、１２２、１２３、１２４の外縁部を示すマーク１２１ａ、１２２ａ、１２３ａ、１２４ａが所定色（情報追加領域１２１、１２２、１２３、１２４におけるマーク内の領域を構成する色）とは異なる色（例えば黒色等）により識別表示として示されている。このように構成されているため、情報追加領域１２１、１２２、１２３、１２４に対して前記所定色（情報追加領域１２１、１２２、１２３、１２４におけるマーク内の領域を構成する背景色）とは異なる他の色によって書き込むことが可能となり、所定色とは異なる色によって書き込まれたときには、上述の情報コード読取装置１０により、その書き込みを認識できるようになっている。
【０１３１】
なお、図５右図、図１０（Ａ）等の例では、識別表示として、四角形状の図形からなるマーク１２１ａ、１２２ａ、１２３ａ、１２４ａを例示し、マーク１２１ａ、１２２ａ、１２３ａ、１２４ａのそれぞれの内側が情報追加領域１２１、１２２、１２３、１２４として構成される例を示したが、情報追加領域１２１、１２２、１２３、１２４の境界（外縁）が特定できる構成であれば、識別表示の形状や構成はどのようなものであってもよい。例えば、情報追加領域１２１、１２２、１２３、１２４が所定色（例えば白色）によって構成されている場合、情報追加領域１２１、１２２、１２３、１２４の周囲に隣接する背景がその所定色以外であれば、情報追加領域と背景とが異なる色によって区分けされることになる。この場合、情報追加領域の周囲に隣接する背景が識別表示に相当することになる。
【０１３２】
情報コード１００に記録する内容は、例えば、図３のような構成をなしており、データ配列の先頭部分にヘッダデータ（額縁ＱＲ用ヘッダー）が設定され、ヘッダデータの後に入力データ（解読対象データ）が続くようになっている。図３の例では、入力データ（解読対象データ）については、例えば公知の方法で圧縮し、データワード（データコードワード）に変換しているが、このような圧縮を行わなくてもよい。なお、情報コード１００で用いるヘッダデータは、以降の説明では、「額縁ＱＲ用ヘッダー」とも称する。また、本明細書では、このようなヘッダデータ及び入力データ（解読対象データ）のデータワード（データコードワード）を記録する領域、及び上述のフォーマット情報を記録する領域が「データ記録領域」に相当する。また、図３の例では、ヘッダデータ（額縁ＱＲ用ヘッダー）として、後述する他種コード１２０（情報コード１００を解読するために用いるコード種別であり、配置変換表（図５）によって情報コード１００と対応付けられたコード）の種別（型番）を特定し得る情報（図３では、Ｖｅｒ．番号と例示）や、空き領域内の形式を特定し得る識別情報が記録されている。なお、図３の例では、ヘッダデータとして、他種コードの種類（Ｖｅｒ．番号）に加え、空き領域１１０の形式が図１、図５、図１０等に示すマークシート方式であることを特定する情報（第１情報）と、空き領域１１０内でのマーク領域（書き込み可能位置）を特定し得る情報（第２情報に相当する「チェック欄位置情報」）とが記録されている。このうち、空き領域１１０の形式がマークシート方式であることを特定する情報（第１情報）は、情報追加領域の存在を示す「識別情報」の一例に相当する。また、空き領域内でのマーク領域（書き込み可能位置）を特定し得る情報（第２情報）は、コード領域内における情報追加領域の位置を示す「位置データ」の一例に相当する。
【０１３３】
図３、図５の例では、マーク可能領域（チェック欄）として構成される情報追加領域１２１、１２２、１２３、１２４のそれぞれの列位置及び行位置を特定し得る情報がチェック欄位置情報（位置データ）として記録されている。より具体的には、図５に示すような矩形状に構成される情報コード１００を複数行且つ複数列に格子状に分割したときの各情報追加領域１２１、１２２、１２３、１２４のそれぞれの行位置及び列位置の組み合わせがチェック欄位置情報（位置データ）として記録されている。なお、図５のように情報コード１００を格子状に分割したときの各行及び各列の幅は、それぞれ単一のセルの行方向の幅及び列方向の幅に相当している。このような内容で、各情報追加領域１２１、１２２、１２３、１２４の位置を特定できるようになっている。
【０１３４】
そして、入力データ（解読対象データであるデータワード）の後には誤り訂正符号となる誤り訂正コードワード（ＥＣＣワード）が続いている。情報コード１００では、この誤り訂正符号を記録する領域が誤り訂正符号記録領域となる。なお、データワード（図３の例ではヘッダデータ及び入力データ（解読対象データ））に基づいて誤り訂正符号（誤り訂正コードワード）を生成する方法は、公知の二次元コード（ＱＲコード等）の規格で定められた方法などを用いることができる。例えば、データワード（データコードワード）に基づいて誤り訂正コードワードを生成する方法として、ＪＩＳＸ０５１０：２００４に規定された誤り訂正コード語の生成方法（ＪＩＳＸ０５１０：２００４、８．５誤り訂正）などを用いることができる。なお、誤り訂正コードワードの生成方法はこれに限られず、公知の様々な方法を用いることができる。
【０１３５】
また、情報コード１００では、解読対象データを表現する各データワード（データコードワード）や誤り訂正コードワードが予め定められた配置位置情報に基づいてコード領域内に配置されている。本構成では、図５のように、情報コード１００のコード領域内において予め各コードワードの配置候補位置が定められており、各配置候補位置にそれぞれ番号（アドレス）が割り当てられている。そして、配置位置情報は、図３に示す記録内容を構成する各コードワードをそれぞれどの配置候補位置に配置すべきかを特定する情報となっている。なお、図５右図の例では、１〜２５番の配置候補位置を概略的に例示しており、各配置候補位置では、先頭と最後のビット部分に番号を付して明示している。また、図５右図では、２６番以降の配置候補位置は省略している。
【０１３６】
具体的には、他種コード１２０（公知のＱＲコード）の型番（図３に示すヘッダデータで特定される他種コード１２０の型番）では、各順番のコードワードを他種コード１２０内のどの位置に配置すべきかが公知規格等により予め定められており、他種コード１２０を解読する場合にはこのように定められた配置に基づいて各順番のコードワードを解読する。例えば、図５左図に示す他種コード１２０の例では、０番目のコードワードを右下に配置し、１番目のコードワードをその上に配置し、２番目のコードワードをその上に配置するといった具合に各コードワードの配置位置が予め決められている。従って、この他種コード１２０を解読する場合には、このように決められた配置に基づいて０番目のコードワード、１番目のコードワード、２番目のコードワード、３番目のコードワード・・・といった具合に順番に解読することになる。
【０１３７】
一方、図５に示す配置位置情報（配置変換表）では、このように他種コード１２０で予め定められた各配置位置（各順番のコードワードの配置位置）の番号を、情報コード１００において予め定められた候補位置（各コードワードの配置候補位置）の番号にそれぞれ対応付けている。具体的には、「他種コード１２０における１番目のコードワードの配置位置が情報コード１００の１番目の配置候補位置に相当」、「他種コード１２０における２番目のコードワードの配置位置が情報コード１００の２番目の配置候補位置に相当」、「他種コード１２０における３番目のコードワードの配置位置が情報コード１００の３番目の配置候補位置に相当」といった情報が、例えばテーブルデータなどとしてそれぞれ記録されており、他種コード１２０における各番号のコードワードの配置位置を、情報コード１００の各配置候補位置にそれぞれ対応付けている。このように構成されているため、情報コード１００を解読する場合には、コード領域内の各配置候補位置のコードワード（各アドレスのコードワード）を配置位置情報（配置変換表）で対応付けられた他種コード１２０の各配置位置にそれぞれ配置し直し、このように配置し直された他種コード１２０を公知の方法で解読すれば良い。例えば、図５下図に示す配置変換表を用いて情報コード１００の解読を行う場合、情報コード１００の１番目の配置候補位置のコードワードを他種コード１２０における１番目のコードワードの配置位置に配置し、情報コード１００の２番目の配置候補位置のコードワードを他種コード１２０における２番目のコードワードの配置位置に配置し、情報コード１００のＮ番目の配置候補位置のコードワードを他種コード１２０において当該Ｎ番目の配置候補位置に対応付けられているＭ番目のコードワードの配置位置に配置するといった具合にそれぞれ配置し直した上で、このように配置し直された他種コード（ＱＲコード）を公知の方法で解読すればよい。なお、上述の配置位置情報（配置変換表）については、情報コード１００を生成する情報コード生成装置２及び情報コード１００を読み取る情報コード読取装置１０に共通のデータ（共通の配置変換表）がそれぞれ設けられていることが望ましい。
【０１３８】
（情報コードの生成処理）
次に、図８等を参照して情報コード生成処理及び情報コード生成方法について説明する。以下では、図５のように他種コード１２０がＱＲコード（登録商標）であり、情報コード１００がＱＲコードと同様の特定パターンを有する場合を例に挙げて説明する。なお、この例では、空き領域１１０を有する情報コード１００を「額縁ＱＲ」とも称する。
【０１３９】
図８の情報コード生成処理は、情報コード生成装置２によって行われる処理であり、例えば、操作部４での所定操作によって実行開始される。この処理では、まず、外部からコード化するデータ（解読対象データ）と、属性データと、コード種別データ（情報コード１００を生成するか、一般的な二次元コード（例えば一般的なＱＲコード）を生成するかを特定するデータ）を取得する（Ｓ１）。なお、本構成では、制御部３、操作部４が「データ取得部」の一例に相当し、解読対象データ（外部からの入力データ）を取得するように機能する。また、このような例に限らず、例えば、制御部３と通信部７が「データ取得部」として構成され、外部から通信によって入力されるデータを解読対象データとして取得するように機能してもよい。
【０１４０】
Ｓ１でデータを取得した後には、その取得したデータを圧縮する方法を公知の方法で定め（Ｓ２）、入力データを圧縮したデータ（解読対象データ）を複数のデータワード（データコードワード）で表現する（Ｓ３）。そして、Ｓ３の後には、Ｓ１で取得されたコード種別データが、空き領域１１０を有する情報コード１００の種別（額縁ＱＲ）であるか否かを判断する。Ｓ１で取得されたコード種別データが、空き領域１１０を有する情報コード１００の種別（額縁ＱＲ）である場合には、Ｓ４にてＹｅｓに進み、空き領域１１０を有する情報コード１００の種別（額縁ＱＲ）で用いられる特有のヘッダデータ（上述）を生成し、図３のように複数のデータワードを含んだデータ配列の先頭にセットする（Ｓ５）。図３のヘッダデータには、上述したように、図５右図に示す他種コード１２０の種別（型番）を特定し得る情報（バージョン番号情報等）と、空き領域１１０の形式がマークシート方式であることを特定する情報（第１情報）と、空き領域１１０内でのマーク領域（書き込み可能位置）を特定し得る情報（第２情報に相当する「チェック欄位置情報」）とが記録されることになる。一方、Ｓ１で取得されたコード種別データが、空き領域１１０を有する情報コード１００の種別（額縁ＱＲ）でない場合（一般的な二次元コードを選択するデータ（例えば、モデル１又はモデル２を選択するデータ）である場合）には、Ｓ４にてＮｏに進む。
【０１４１】
Ｓ４でＮｏに進む場合、Ｓ３で生成されたデータワード（データコードワード）の構成に基づいて公知の方法で誤り訂正符号を生成し、この誤り訂正符号を表現する複数の誤り訂正ワード（誤り訂正コードワード）を生成する（Ｓ６）。一方、Ｓ４からＳ５に進む場合、Ｓ３、Ｓ５で生成された最終的なデータワード（ヘッダデータ及び入力データを表現する複数のデータコードワード）の構成に基づいて公知の方法で誤り訂正符号を生成し、この誤り訂正符号を表現する複数の誤り訂正ワード（誤り訂正コードワード）を生成する（Ｓ６）。
【０１４２】
Ｓ６の後には、Ｓ１で取得されたコード種別データが、空き領域１１０を有する情報コード１００の種別（額縁ＱＲ）であるか否かを判断し（Ｓ７）、Ｓ１で取得されたコード種別データが、空き領域１１０を有する情報コード１００の種別（額縁ＱＲ）でない場合には、Ｓ７にてＮｏに進み、公知の方法で二次元コード（例えばＱＲコード）を生成することになる。Ｓ７でＮｏに進む場合、Ｓ３で生成されたデータワード（データコードワード）及びＳ６で生成された誤り訂正ワード（誤り訂正コードワード）を格納しうるサイズの二次元コードの型番（この例では、規格化された公知のＱＲコードの複数の型番において、Ｓ３で生成されたデータワード及びＳ６で生成された誤り訂正ワードを格納しうるサイズの型番）を決定し、当該型番で予め定められた配置パターンに従い、Ｓ３で生成されたデータワード及びＳ６で生成された誤り訂正ワードを配置する（Ｓ９）。
【０１４３】
一方、Ｓ１で取得されたコード種別データが、空き領域１１０を有する情報コード１００の種別（額縁ＱＲ）である場合には、Ｓ７にてＹｅｓに進み、Ｓ３、Ｓ５で生成されたデータワード（データコードワード）と、Ｓ６で生成された誤り訂正ワード（誤り訂正コードワード）と、空き領域と、を格納しうる情報コード１００の型番を決定する（Ｓ１０）。なお、空き領域のサイズは、予め定められた一定サイズであってもよく、Ｓ１０の前段階でユーザが入力などによって指定してもよい。また、空き領域のサイズは、行数及び列数で特定してもよく、何ワード分に相当するか、あるいは何セル分に相当するか等の情報によって特定してもよい。図５、図８の例では、例えば情報コード１００の種別で予め定められた複数の型番（サイズ）において、Ｓ３、Ｓ５で生成されたデータワード（データコードワード）、Ｓ６で生成された誤り訂正ワード（誤り訂正コードワード）、及び空き領域を格納しうるサイズの型番を決定することになる。なお、情報コード１００の種別で複数の型番を使用可能とする場合、各型番毎に、行数及び列数、特定パターンの形状及び配置、フォーマットデータの配置、各コードワードの配置候補位置をそれぞれ定めておけばよい。また、いずれの型番でも、図５右図のように外周側から順番に各コードワードの配置候補位置を定めるようにし（例えば、外周側から内側に渦巻き状に配置候補位置を順番に設定し）、番号が若い配置候補位置ほど外側とするように各コードワードの配置候補位置を定め、用意された配置候補位置の内、コードワードが配置されない部分（即ち、使用されない部分）については、空き領域として用いるようにすれば、中央部により広い空き領域を確保し易くなる。また、Ｓ３、Ｓ５で生成されたデータワード（データコードワード）、Ｓ６で生成された誤り訂正ワード（誤り訂正コードワード）、及び空き領域を格納しうるサイズの型番が複数存在する場合には、その中から一番小さい型番（サイズ）を決定するようにしてもよく、ユーザがその中からいずれかの型番（サイズ）を指定できるようにしてもよい。そして、情報コード１００を生成する際には、このように決定された型番において予め定められたサイズ（行数及び列数）、特定パターンの配置、コードワードの各配置候補位置を用いると共に、具体的な各コードワードの配置位置は、上述の配置変換表に従って決定することになる。なお、以下では、Ｓ１０において図５右図のような型番が決定された例について具体的に説明する。
【０１４４】
Ｓ１０の後には、Ｓ３、Ｓ５で生成されたデータワード（データコードワード）及びＳ６で生成された誤り訂正ワード（誤り訂正コードワード）を上述の配置位置情報（配置変換表）に基づいて配置することになる。情報コード生成装置２では、上述の配置位置情報（配置変換表）が記憶部５に記憶されており、この配置変換表では、上述したように他種コード１２０で定められた各配置位置（各順番のコードワードの配置位置）を、情報コード１００において予め定められた候補位置（各コードワードの配置候補位置）にそれぞれ対応付けている。Ｓ１１の処理では、記録すべきコードワード（Ｓ３、Ｓ５で生成されたデータワード（データコードワード）及びＳ６で生成された誤り訂正ワード（誤り訂正コードワード））を、図４、図５左図で示す他種コード１２０（情報コード１００よりもサイズが小さく、且つＳ３、Ｓ５で生成されたデータワード及びＳ６で生成された誤り訂正ワードを格納し得るサイズの二次元コード）で表現するときの各コードワード（各順番のコードワード）の配置位置を特定した上で、それら各順番のコードワードを、配置位置情報（配置変換表）によって各順番のコードワードの配置位置に対応付けられている情報コード１００内の各配置候補位置に配置する。例えば、図５の配置位置情報（配置変換表）では、他種コード１２０での１番目のコードワードの配置位置と、情報コード１００の１番の配置候補位置とが対応付けられているため、記録すべきコードワード（Ｓ３、Ｓ５で生成されたデータワード及びＳ６で生成された誤り訂正ワード）の内の１番目のコードワードについては情報コード１００内の１番の配置候補位置に配置する。また、他種コード１２０での２番目のコードワードの配置位置と、情報コード１００の２番の配置候補位置とが対応付けられているため、記録すべきコードワードの内の２番目のコードワードについては情報コード１００内の２番の配置候補位置に配置する。このように、記録すべきコードワードにおいてＮ番目のコードワードを配置する他種コード１２０での配置位置（Ｎ番目のコードワードの配置位置）と、情報コード１００のＭ番の配置候補位置とが対応付けられていれば、記録すべきコードワードの内のＮ番目のコードワードについては情報コード１００内のＭ番の配置候補位置に配置することになる。
【０１４５】
つまり、Ｓ３、Ｓ５で生成されたデータワード及びＳ６で生成された誤り訂正ワードだけなら、情報コード１００よりも小サイズの他種コード１２０（公知のＱＲコードとして構成されたもの）で表現できるが、Ｓ３、Ｓ５で生成されたデータワード、Ｓ６で生成された誤り訂正ワード、及び空き領域１１０を格納する場合には、これよりも大きいサイズの情報コード１００によって表現する必要がある。そこで、本実施形態では、Ｓ３、Ｓ５で生成されたデータワード、Ｓ６で生成された誤り訂正ワード、及び空き領域１１０を、他種コード１２０よりも大きいサイズの情報コード１００によって表し、Ｓ３、Ｓ５で生成されたデータワード及びＳ６で生成された誤り訂正ワードを他種コード１２０（公知のＱＲコード）で表現した場合のコードワードの各配置と、これよりも大きいサイズの情報コード１００に格納する場合のコードワードの各配置との対応関係を、予め定められた配置変換表によって特定できるようにしている。
【０１４６】
なお、本構成では、図５のような「配置変換表」が「解読対象データを表現する複数のデータワードをコード領域に配置する際の各配置位置を特定する配置位置情報」の一例に相当しており、この配置変換表（配置位置情報）は、解読対象データを複数のデータワードで表現したときの各順番のデータワードと、各順番のデータワードのコード領域内での各配置位置とを対応付けて定める情報として構成されている。また、記憶部５が「配置位置情報記録部」の一例に相当し、このような配置変換表のデータ（配置位置情報）を記録するように機能する。
【０１４７】
Ｓ９又はＳ１１の後には、Ｓ９又はＳ１１で配置場所が決定されたコードワードに対してかけるべきマスクパターンを公知の所定方法（例えばＱＲコードで用いられる公知方法）で決定し、その決定されたマスクパターンをＳ９又はＳ１１で配置場所が決定されたコードワードに反映するように公知のマスク処理方法でマスクをかける（Ｓ１２）。そして、Ｓ１２で設定したマスクパターンの情報（マスク番号）及び誤り訂正レベルの情報に基づいてチェックデジットを算出し、図６のように誤り訂正レベル、マスク番号、チェックデジットを含んだフォーマット情報を生成する（Ｓ１３）。なお、フォーマット情報として記録するマスク番号や誤り訂正レベルなどのデータは、Ｓ１で入力できるようにしてもよい。
【０１４８】
そして、Ｓ１で取得されたコード種別データが、空き領域１１０を有する情報コード１００の種別（額縁ＱＲ）である場合には、Ｓ１４にてＹｅｓに進み、Ｓ１３で生成されたフォーマット情報に、上述の特定マスク（額縁ＱＲマスク）を反映するようにマスク処理を行う（図６参照）。一方、Ｓ１で取得されたコード種別データが、空き領域１１０を有する情報コード１００の種別（額縁ＱＲ）でない場合には、Ｓ１４にてＮｏに進み、Ｓ１６で設定するマスクパターンとは異なるマスクパターンのマスク（モデル１のマスク又はモデル２のマスク）をセットする。Ｓ１５又はＳ１６によりフォーマット情報に対してマスクをかけた後には、そのマスク処理後のフォーマット情報をコード領域内の所定位置１０５に配置する（Ｓ１７）。
【０１４９】
このようにして、特定パターン領域、データ記録領域、誤り訂正領域が構成された後には、空き領域１１０の構成要素を配置する（Ｓ１８）。図３の例では、情報追加領域（チェック欄）の位置がそれぞれ行位置及び列位置によって指定されているため、Ｓ１８では、このように指定された各位置に、情報追加領域（チェック欄）１２１、１２２、１２３、１２４の図形データをそれぞれ配置し、情報追加領域１２１、１２２、１２３、１２４の外縁を特定し得る図形（図１０等の例ではマーク１２１ａ、１２２ａ、１２３ａ、１２４ａ）も配置する。図３、図５等に示す例では、例えば情報追加領域（チェック欄）の図形が矩形状の図形（例えば、領域内全体が単一色又は複数色の明色の背景で構成されてなる四角形の図形）として予め定められており、Ｓ１８では、例えば、このように決められた図形の中心位置がヘッダデータで指定される各チェック欄位置となるように各図形を配置する。また、情報追加領域１２１、１２２、１２３、１２４の外縁部を示す枠（マーク１２１ａ、１２２ａ、１２３ａ、１２４ａ）が矩形状の枠（例えば、四角形の暗色の枠）として予め定められており、Ｓ１８では、このように決められた枠が情報追加領域１２１、１２２、１２３、１２４の外縁部に沿って配置されるように各図形を配置する。
【０１５０】
なお、上述した例では、図３のヘッダデータに含まれる情報追加領域の各位置（チェック欄の位置）、情報追加領域の形状及び色、識別表示の形状や色などが予め定められていたが、情報追加領域の各位置（チェック欄の位置）をユーザが入力によって指定できるようにしてもよく、更に、情報追加領域の形状や色、或いは識別表示の形状や色などをユーザが入力によって指定できるようにしてもよい。この場合、ユーザが指定した位置に、ユーザが指定した形状及び色の情報追加領域が構成されることになり、ユーザが指定した形状や色の識別表示によってその範囲が示されることになる。また、図１、図１０のように、各情報追加領域（チェック欄）１２１、１２２、１２３、１２４に隣接する位置に、文字や数字等の記号や図形などを配置してもよい。この場合、例えば、表示すべき記号や図形及びその記号や図形の位置をユーザが入力できるようにし、Ｓ１８では、指定された記号や図形を指定された位置（例えば各チェック欄の横位置など）に配置すればよい。
【０１５１】
このようにして情報コード１００又は他の二次元コードが生成された後には、そのコードを印刷部８によって印刷する（Ｓ１９）。なお、Ｓ１９では、印刷に代えて、表示部６にて情報コード１００等の表示を行ってもよく、Ｓ１７までの処理によって生成された情報コード１００のデータを外部装置（例えば、携帯端末やコンピュータ等の情報機器）に送信してもよい。
【０１５２】
本構成では、情報コード生成装置２の制御部３が「データ記録領域生成部」の一例に相当し、情報コード１００のコード領域の内部に空き領域１１０を設ける場合、コード領域内の所定位置に特定のフォーマット構成でフォーマット情報を記録し、且つ、データ取得部で取得された解読対象データ（入力データ）を表現する各データワードを、配置位置情報記録部に記録された配置位置情報に基づいて配置するように、データ記録領域を生成している。また、制御部３によって構成される「データ記録領域生成部」では、コード領域の内部に空き領域１１０を設ける場合、所定種類のマスクパターン（特定マスク）を反映した状態で所定位置１０５のセル配列を構成している。
【０１５３】
（情報コードの読取処理）
次に、図２の情報コード読取装置１０によって図１、図５右図等に示す情報コード１００を読み取る場合の処理について説明する。図９の読取処理は、例えばユーザによって所定操作（例えば、操作スイッチ４２の操作等）がなされたときに実行されるものであり、まず、図９のＳ４０に示すように、受光センサ２３の撮像エリアにある二次元コードを撮像して当該二次元コードの撮像画像を取得すると共に、その二次元コードの形を検出する。具体的には、位置検出パターン１０４の認識や二次元コードの外形を公知の方法で試みる。例えば、ＱＲコード（登録商標）で行われる、１：１：３：１：１の波形を検出する公知の方法等により位置検出パターン１０４を検出し、撮像された二次元コードの外形をＱＲコード（登録商標）で行われる公知の方法で検出する。このとき、Ｓ４０で情報コード１００が撮像された場合には、情報コード１００の外形が検出されることになる。なお、Ｓ４０での処理方法は、特定パターンの形状や二次元コードの外形を検出し得る方法であれば他の方法であってもよい。
本構成では、受光センサ２３が「撮像部」の一例に相当し、情報コード生成装置２によって生成された情報コード１００を撮像するように機能する。
【０１５４】
Ｓ４０の後には、情報コード１００の所定位置１０５の情報（フォーマット情報）を解読し、撮像された情報コードの種別及びマスク訂正レベルを取得する。具体的には、例えば、上述したように所定位置１０５に記録された情報を上述の特定マスク（額縁ＱＲ用マスク）に基づいてマスク処理を解除して解読を試みる。上述の特定マスクのマスクを解除し得る方法でマスク処理を解除した時にチェックデジットが合う場合（即ち、所定位置１０５を解読したときの訂正レベルのデータとマスク番号のデータとに基づいて算出されたチェックデジットが、所定位置１０５に記録されたチェックデジットと合うような場合）には、情報コード１００の種別（空き領域１１０を有する種別）であることを特定することでき、フォーマット情報に含まれる誤り訂正レベル及びマスク番号も取得できることとなる。このように特定のマスクに基づいてマスク処理を解除できたとき（即ち、情報コード１００の種別（額縁ＱＲ）であることが認識できたとき）には、Ｓ４２にてＹｅｓに進む。一方、図６に示すモデル１用のマスクやモデル２用のマスクなど、特定のマスク（額縁ＱＲ用マスク）以外の他のマスクによってマスク処理を解除できたときには、Ｓ４２にてＮｏに進む。他のマスクによってマスク処理が解除できるときは、Ｓ４０で撮像された二次元コードが公知のＱＲコードのケースであるため、Ｓ４２でＮｏに進む場合は、公知の方法で当該ＱＲコードを解読して解読結果を出力することになる。なお、図９では、Ｓ４２でＮｏとなる場合の処理は省略して示している。
【０１５５】
Ｓ４２でＹｅｓに進む場合、まず、データ記録領域に記録されたデータを解読する（Ｓ４３）。具体的には、Ｓ４１で取得されたフォーマット情報に含まれるマスク番号に基づいてコード全体（具体的には、コードワードの領域）のマスクを解除する。そして、データワードの先頭に設けられたヘッダデータ（額縁ＱＲヘッダー）に基づいて、元のコードサイズ（他種コード１２０の型番、形式）を特定し、図５と同様の配置変換表に従って、図５右図に示すような情報コード１００から図５左図に示すような元のコード（他種コード１２０）の配置に戻す。具体的には、情報コード１００の各配置候補位置のコードワード（データコードワード及び誤り訂正コードワード）を、配置変換表において各配置候補位置に対応付けられている他種コード１２０内での配置位置に配置し直す。このように配置変換することにより、情報コード１００に配置されていたデータコードワードや誤り訂正コードワードを記録してなる他種コード１２０が得られることになる。そして、他種コード１２０は、公知のＱＲコードであるため、公知のＱＲコードと同様の方法でデータを解読する（即ち、誤り訂正コードワードに基づいて公知の方法で誤り訂正計算を実施すると共に、データコードワードを解読する）。
【０１５６】
本構成では、制御回路４０が「判別部」の一例に相当し、撮像部によって情報コード１００が撮像された場合に、コード領域の所定位置１０５が特定のフォーマット構成であるか否かを判別するように機能する。具体的には、所定位置１０５に所定種類のマスクパターン（特定マスク）が反映されているか否かを判別するように機能する。
【０１５７】
また、制御回路４０が「データ記録領域読取部」「解読部」の一例に相当し、撮像部によって情報コード１００が撮像された場合に、その撮像された情報コード１００のコード画像におけるデータ記録領域及び誤り訂正符号記録領域の内容に基づいてデータ記録領域に記録されたデータを読み取るように機能する。具体的には、判別部によって所定位置１０５が特定のフォーマット構成であると判別された場合（より詳しくは、所定位置１０５に所定種類のマスクパターンが反映されている場合）に、対応情報記録部に記録された対応情報（配置変換表）に基づいてコード領域内の各データワードの位置を特定し、解読対象データを解読するように機能する。
【０１５８】
なお、配置変換表は、「対応情報」の一例に相当し、コード領域において各配置位置で表される各順番のデータワードを、情報コード１００とは異なる他種コード１２０において予め定められた方式（例えば公知規格等で定められた方式など）で表現する場合の当該他種コード１２０内での各対応位置を定める情報として構成されている。そして、解読部に相当する制御回路４０は、判別部によって所定位置１０５が特定のフォーマット構成であると判別された場合、コード領域の各配置位置で表される各順番のデータワードを、対応情報で定められる他種コード１２０内での各対応位置に置換した構成で当該他種コード１２０を解読するように機能する。
【０１５９】
Ｓ４３にてデータ記録領域のデータを解読した後には、ヘッダデータ（額縁ＱＲヘッダー）に含まれる形式情報を読み取る。そして、この形式情報が「マークシート形式」を示す形式情報でない場合には、Ｓ４５でＮｏに進む。例えば、第２実施形態で後述する「ＯＣＲ形式」を示す形式情報である場合には、Ｓ４５にてＮｏに進み、図１３のＳ６６〜Ｓ７０の処理（後述）を行うようにしてもよい。なお、図９では、Ｓ４５でＮｏに進む場合の処理を省略して示している。
【０１６０】
Ｓ４５でＹｅｓに進む場合（即ち、ヘッダデータ（額縁ＱＲヘッダー）に含まれる形式情報が「マークシート形式」を示す形式情報である場合）、ヘッダデータに含まれるチェック欄位置情報（位置データ）を読み取り、情報コード１００内における情報追加領域の位置を特定する（Ｓ４６）。そして、特定された情報追加領域の全ての認識が終了したか否かを判断し（Ｓ４７）、終了していない場合にはＳ４７にてＮｏに進み、認識が終了していない情報追加領域の判定及び判定結果の出力を行う。具体的には、Ｓ４８では、チェック欄位置情報（各情報追加領域の行位置及び列位置を指定する位置データ）で特定されるいずれかの情報追加領域の位置（位置データで指定された行位置及び列位置）の実画像をコード画像内から抽出し、その情報追加領域の位置における実画像の画素色を判定する。この例では、例えばその情報追加領域の位置において実画像の輝度（受光量）が閾値以上であれば「白色」と判定する。また、その情報追加領域の位置において実画像の輝度（受光量）が閾値未満となる領域があれば「黒色」と判定する。そして、Ｓ４８の後には、Ｓ４８での判定結果の情報を、既に解読されているデータの後ろに付して出力する（Ｓ４９）。Ｓ４９の後にはＳ４６に戻り、Ｓ４８で判定が終了していない情報追加領域が存在する場合にはＳ４７でＮｏに進む。一方、全ての情報追加領域に対してＳ４８、Ｓ４９の処理が終わった場合にはＳ４７にてＹｅｓに進み、当該読取処理を終了する。なお、Ｓ４９で出力する場合、情報追加領域１２１、１２２、１２３、１２４の各位置と、各位置の判定結果（明色又は暗色のいずれかを示す情報）とを対応付けて出力しても良い。
【０１６１】
なお、本構成では、制御回路４０が「追加情報取得部」の一例に相当し、コード画像の空き領域１１０内を解析し、当該空き領域１１０内に追加された所定の追加情報を取得するように機能し、具体的には、コード画像の情報追加領域１２１、１２２、１２３、１２４内を解析し、これら情報追加領域１２１、１２２、１２３、１２４に書き込まれた追加情報を取得するように機能する。また、「追加情報取得部」に相当する制御回路４０は、データ記録領域読取部によるデータ記録領域の読取結果に基づき、データ記録領域に識別情報（上述の「マークシート形式」を示す形式情報や後述の「ＯＣＲ形式」を示す形式情報など）が記録されていることを条件として空き領域１１０内に追加された追加情報を取得するように機能する。
【０１６２】
より具体的には、情報コード１００は、コード領域内における情報追加領域１２１、１２２、１２３、１２４の位置を示す位置データ（上述のチェック欄位置情報等）がデータ記録領域に記録されてなるものであり、「追加情報取得部」に相当する制御回路４０は、データ記録領域読取部によるデータ記録領域の読取結果から得られる位置データに基づいてコード画像内での情報追加領域１２１、１２２、１２３、１２４の位置を特定し、当該情報追加領域１２１、１２２、１２３、１２４を解析して追加情報を取得するようになっている。
【０１６３】
また、制御回路４０が「検出部」の一例に相当し、コード画像の情報追加領域１２１、１２２、１２３、１２４における他の色（情報追加領域１２１、１２２、１２３、１２４内の色とは異なる色）による書き込みを検出するように機能し、具体的には、情報追加領域１２１、１２２、１２３、１２４の外縁部を示すマーク１２１ａ、１２２ａ、１２３ａ、１２４ａが所定色（情報追加領域の色）とは異なる色により識別表示として示されるように構成され、検出部は、コード画像においてマーク１２１ａ、１２２ａ、１２３ａ、１２４ａ内の一部又は全部が他の色によって塗り潰されているか否かを判別している。
【０１６４】
また、制御回路４０は、出力部の一例に相当し、データ記録領域読取部によって読み取られた情報と、追加情報取得部によって取得された追加情報とを出力するように機能する。なお、Ｓ４９で出力結果を印刷部８によって印刷する場合、制御回路４０と印刷部８が出力部に相当する。また、Ｓ４９で出力結果を表示部６によって表示する場合、制御回路４０と表示部６が出力部に相当する。また、Ｓ４９で出力結果を外部装置に送信する場合、制御回路４０と通信部７が出力部に相当する。
【０１６５】
図９の処理の具体例を挙げると、例えば図５の情報コード１００が図１０（Ａ）のように構成されていた場合、Ｓ４６〜Ｓ４９の処理により、各情報追加領域１２１、１２２、１２３、１２４の所定位置（例えば中心位置）の色が判別されることになる。従って、図１０（Ａ）のように、各情報追加領域１２１、１２２、１２３、１２４に書き込みがなされていない場合には、各情報追加領域１２１、１２２、１２３、１２４の色の判別データが出力されることになる。なお、図１０（Ａ）では、情報追加領域１２１、１２２、１２３、１２４の色が白色等の明色であるため、例えば、各情報追加領域１２１、１２２、１２３、１２４のデータは「白」「白」「白」「白」と出力される。また、図１０（Ｂ）のように、情報追加領域１２２、１２３に黒色等の暗色で書き込まれた場合、各情報追加領域１２１、１２２、１２３、１２４のデータは「白」「黒」「黒」「白」と出力される。読取装置や外部装置では、このように出力されるデータを解析することで、どの位置にチェックが付されたかを把握することが可能となる。また、各情報追加領域１２１、１２２、１２３、１２４の色の判別方法は様々であり、例えば、情報追加領域１２１、１２２、１２３、１２４の中心位置の輝度が閾値以上であれば「白」（或いは明）と判別し、中心位置の輝度が閾値未満であれば「黒」（或いは暗）と判別するといった方法を用いることができる。
【０１６６】
また、各情報追加領域の色の判別方法は２値に限られるものではなく、例えば、予め想定された複数色のいずれに該当するかを公知の色判別方法によって判別するといった手法を用いてもよい。この場合、「赤」であれば２、「青」であれば３といった具合に、判別された色に対応する値を出力すればよい。
【０１６７】
本構成によれば、コード領域の内部に、データ記録領域、誤り訂正符号記録領域、特定パターン領域以外の領域が確保された情報コード１００を生成することができる。特に、空き領域１１０は、誤り訂正符号記録領域による誤り訂正の対象とならず、この空き領域１１０に対しては誤り訂正符号を設定する必要がないため、データ記録領域に対して効率的に且つ効果的に誤り訂正符号を付すことができる。
更に、情報コード読取装置には、データ記録領域に記録されたデータを読み取るデータ記録領域読取部と、コード画像の空き領域内を解析し、当該空き領域内に追加された所定の追加情報を取得する追加情報取得部とが設けられている。この構成によれば、情報コード読取装置は、データ記録領域において各セルによって記録された情報だけでなく、空き領域に追加された情報も取得することができ、例えば、コード形成後に事後的に追加された情報等を取得し、利用することが可能となる。
【０１６８】
また、情報コード生成装置は、空き領域の内部に情報追加領域の範囲を示す識別表示を設け、情報コード読取装置の追加情報取得部は、コード画像の情報追加領域内を解析し、当該情報追加領域に記録された追加情報を取得するように構成されている。
この構成によれば、利用者は識別表示を目印とすることができるため、情報を書き込む位置を容易に把握し易くなる。また、読取装置は、情報追加領域内を選択的に解析して書き込まれた追加情報を取得することができるため、追加情報を正確に認識し利用し易くなる。
【０１６９】
また、情報コード生成装置は、情報追加領域を１又は複数の所定色で構成すると共に当該所定色とは異なる他の色によって書き込むことが可能な領域として構成し、情報コード読取装置の追加情報取得部は、コード画像の情報追加領域における他の色による書き込みを検出する検出部を有している。
この構成によれば、利用者が情報追加領域内を他の色（情報追加領域を構成する色以外の色）で書き込んだ場合に、その書き込んだ情報が情報コード読取装置によってより正確に認識されることになる。
【０１７０】
また、情報コード生成装置は、情報追加領域の外縁部を示すマークが所定色とは異なる色により識別表示として示されるように情報コードを生成し、情報コード読取装置の検出部は、コード画像においてマーク内の一部又は全部が他の色によって塗り潰されているか否かを判別するように構成されている。
この構成によれば、セルによってデータが記録された情報コードを構成しつつ、セルによって解読対象データが記録されない領域をマークシートとして利用できるようになる。このように情報コードの高機能化を図ることで、利用者の利便性を一層高めることができる。
【０１７１】
また、情報コード生成装置は、情報追加領域の外縁部を示すマークが所定色とは異なる色により識別表示として示されるように情報コードを生成し、情報コード読取装置の検出部は、コード画像の情報追加領域内を解析し、当該情報追加領域内において他の色によって形成された記号を抽出するように構成されている。
この構成によれば、セルによってデータが記録された情報コードを構成しつつ、セルによって解読対象データが記録されない領域を、記号（文字、数字、その他の記号など）の入力領域として利用できるようになる。このように情報コードの高機能化を図ることで、利用者の利便性を一層高めることができる。
【０１７２】
また、情報コード読取装置は、コード画像におけるデータ記録領域のセルの配列に基づいてコード画像全体を複数行且つ複数列のセル配列として認識し、且つ当該セル配列の各行において各列位置の色をそれぞれ判別する色判別部を備えており、情報コード読取装置の検出部は、色判別部による情報追加領域内の各行における各列位置の色の判別結果に基づいて記号を抽出するように構成されている。
このようにコード画像全体を複数行且つ複数列のセル配列として認識し、色判別部による情報追加領域内の各行における各列位置の色の判別結果に基づいて記号を抽出すれば、読取装置の傾き等に起因してコード画像に歪み等が生じたとしても正規化した上で処理することができるため、記号の認識精度が高まる。
【０１７３】
また、情報コード生成装置は、コード領域内における情報追加領域の位置を示す位置データをデータ記録領域に記録するように情報コードを生成する構成であり、情報コード読取装置の追加情報取得部は、データ記録領域読取部によるデータ記録領域の読取結果から得られる位置データに基づいてコード画像内での情報追加領域の位置を特定し、当該情報追加領域を解析して追加情報を取得するように構成されている。
この構成では、情報追加領域の位置を特定するデータが予め情報コード読取装置内に存在しなくても、情報コード読取装置の追加情報取得部はコード画像内での情報追加領域の位置をより正確に特定することが可能となる。
【０１７４】
また、情報コード生成装置は、データ記録領域に所定の識別情報を記録するように情報コードを生成し、情報コード読取装置の追加情報取得部は、データ記録領域読取部によるデータ記録領域の読取結果に基づき、データ記録領域に識別情報が記録されていることを条件として空き領域内に追加された追加情報を取得するように構成されている。
この構成では、データ記録領域に識別情報が記録されていなければ空き領域の解析、情報取得がなされないことになる。つまり、空き領域の解析が不要な場合にはデータ記録領域内に識別情報を記録しておかないことで、無用な解析、情報取得を省略することができる。逆に、空き領域を解析すべき場合にはデータ記録領域内に識別情報を記録しておけば情報追加領域の解析、情報取得につなげることができる。
【０１７５】
また、情報コード読取装置は、データ記録領域読取部によって読み取られた情報と、追加情報取得部によって取得された追加情報とを出力する出力部を有する。
この構成によれば、データ記録領域に予め記録された情報だけでなく、空き領域に事後的に追加された情報についても読取装置によって出力することができ、既存の情報コードの仕組みでは実現し得ない対応（追加情報の出力）が可能となる。
【０１７６】
また、情報コード生成装置２は、解読対象データを取得するデータ取得部と、解読対象データを表現する複数のデータワードをコード領域に配置する際の各配置位置を特定する配置位置情報を記録する配置位置情報記録部と、コード領域の内部に空き領域１１０を設ける場合、コード領域内の所定位置に特定のフォーマット構成でフォーマット情報を記録し、且つ、データ取得部で取得された解読対象データを表現する各データワードを、配置位置情報記録部に記録された配置位置情報に基づいて配置するように、データ記録領域を生成するデータ記録領域生成部と、を備えている。一方、情報コード読取装置１０は、配置位置情報記録部に記録される配置位置情報に対応する情報であり且つコード領域での複数のデータワードの各配置位置を特定する情報である対応情報を記録する対応情報記録部と、撮像部によって情報コード１００が撮像された場合に、コード領域の所定位置が特定のフォーマット構成であるか否かを判別する判別部と、判別部によって所定位置が特定のフォーマット構成であると判別された場合に、対応情報記録部に記録された対応情報に基づいてコード領域内の各データワードの位置を特定し、解読対象データを解読する解読部と、を備えている。
この構成では、情報コード読取装置１０が判別部によって所定位置１０５のフォーマット構成を確認することで、情報コード生成装置２によって生成された特徴的な情報コード１００（空き領域１１０を備えた情報コード１００）であるか否かを判別できるようになる。そして、特定のフォーマット構成であると判別できた場合には、コード領域での複数のデータワードの各配置位置を特定し得る情報（対応情報）に基づいてコード領域内の各データワードの位置を特定することができ、解読対象データを解読することができる。
【０１７７】
また、情報コード生成装置２のデータ記録領域生成部は、コード領域の内部に空き領域１１０を設ける場合、所定種類のマスクパターンを反映した状態で所定位置１０５のセル配列を構成している。そして、情報コード読取装置１０の判別部は、撮像部によって情報コード１００が撮像された場合、所定位置１０５に所定種類のマスクパターンが反映されているか否かを判別し、情報コード読取装置１０の解読部は、所定位置１０５に所定種類のマスクパターンが反映されていることを条件として、解読対象データを解読する。
この構成によれば、所定位置１０５にかけるマスクパターンの種別によって情報コード生成装置２によって生成された特徴的な情報コード１００（空き領域１１０を備えた情報コード１００）であるか否かを確実に判別でき、フォーマット情報のデータ量を抑えつつ「特定のフォーマット構成」を実現しやすくなる。
【０１７８】
また、配置位置情報（対応情報）は、解読対象データを複数のデータワードで表現したときの各順番のデータワードと、各順番のデータワードのコード領域内での各配置位置とを対応付けて定める情報であり、具体的には、コード領域において各配置位置で表される各順番のデータワードを、情報コード１００とは異なる他種コード１２０で表現する場合の当該他種コード１２０内での各対応位置を定める情報となっている。そして、解読部は、判別部によって所定位置１０５が特定のフォーマット構成であると判別された場合、コード領域の各配置位置で表される各順番のデータワードを、対応情報で定められる他種コード１２０内での各対応位置に置換した構成で当該他種コード１２０を解読する。この構成によれば、他種コード１２０の読み取りの仕組みを利用して特徴的な情報コード１００（空き領域１１０を備えた情報コード１００）を良好に読み取ることができる。
【０１７９】
[第２実施形態]
次に、第２実施形態について、図面を参照して説明する。
第２実施形態の情報コード利用システム１で用いられる情報コード１００は、空き領域１１０の構成のみが第１実施形態の情報コード１００と異なる。また、第２実施形態で行われる情報コードの生成方法及び情報コード生成装置２は、空き領域１１０の生成方法（具体的には、図８のＳ５で作成されるヘッダデータの内容、及びＳ１８の処理）のみが第１実施形態と異なる。また、第２実施形態で用いられる情報コード読取装置１０は、空き領域１１０の解析方法（具体的には、図１３のＳ６５〜Ｓ７０の処理）のみが第１実施形態と異なる。なお、これら相違点以外は第１実施形態と同様であるため、以下の説明では、これら相違点以外の説明は省略する。
【０１８０】
（情報コード）
図１１、図１４に示すように、第２実施形態で生成される情報コード１００も空き領域１１０の内部には、情報追加領域２２１、２２２、２２３の範囲を示す識別表示が設けられており、この情報追加領域２２１、２２２、２２３の内部に事後的に書き込みが行えるようになっている。具体的には、図１４のように情報追加領域２２１、２２２、２２３が１又は複数の所定色（例えば、白色、黄色などの明色の単一色パターン、或いは白色、黄色などの複数の明色からなる模様など）で構成されており、その情報追加領域２２１、２２２、２２３の外縁部を示すマーク２２１ａ，２２２ａ，２２３ａが所定色（情報追加領域を構成する色）とは異なる色（例えば、黒色、藍色等の暗色）により識別表示として示されている。このように構成されているため、情報追加領域２２１、２２２、２２３に対して前記所定色とは異なる他の色によって書き込むことが可能となり、所定色とは異なる色によって書き込まれたときには、読取装置側でその書き込みを認識できるようになっている。
【０１８１】
情報コード１００に記録する内容は、例えば、図１２のような構成をなしており、データ配列の先頭部分にヘッダデータが設定され、ヘッダデータの後に入力データ（解読対象データ）が続くようになっている。図１２の例でも、入力データ（解読対象データ）については公知の方法で圧縮し、データワード（データコードワード）に変換している。なお、この情報コード１００で用いるヘッダデータも、以降の説明では、「額縁ＱＲ用ヘッダー」とも称する。また、この例でも、このようなヘッダデータ及び入力データ（解読対象データ）のデータワード（データコードワード）を記録する領域、及び上述のフォーマット情報を記録する領域が「データ記録領域」に相当する。また、図１２の例でも、ヘッダデータ（額縁ＱＲ用ヘッダー））として、第１実施形態で説明した他種コード１２０（情報コード１００を解読するために用いるコード種別であり、配置変換表（図１１）によって情報コード１００と対応付けられたコード）の種別（型番）を特定し得る情報や、空き領域内の形式を特定し得る識別情報が記録されている。また、図１２の例では、空き領域の形式が図１１、図１３等に示すＯＣＲ形式（記号認識形式）であることを特定する情報（第１情報）と、空き領域内での情報追加領域（書き込み可能位置）を特定し得る情報（第２情報に相当する「記入欄位置情報」）とが記録されている。このうち、空き領域の形式がＯＣＲ形式であることを特定する情報（第１情報）は、情報追加領域の存在を示す「識別情報」の一例に相当する。また、空き領域内での記入欄位置（書き込み可能位置）を特定し得る情報（第２情報）は、コード領域内における情報追加領域の位置を示す「位置データ」の一例に相当する。
【０１８２】
図１１、図１３の例では、記入可能領域（記入欄）として構成される情報追加領域２２１、２２２、２２３のそれぞれの、左上の列位置及び行位置及び右下の列位置及び行位置を特定し得る情報が記入欄位置情報（位置データ）として記録されている。より具体的には、図１１に示すような矩形状に構成される情報コード１００を複数行且つ複数列に格子状に分割したときの各情報追加領域２２１、２２２、２２３のそれぞれの左上及び右下の行位置及び列位置の組み合わせが記入欄位置情報（位置データ）として記録されている。なお、この例でも、図１１のように格子状に分割したときの各行及び各列の幅は、それぞれ単一のセルの行方向の幅及び列方向の幅に相当している。また、図１２のように情報追加領域の左上の列位置及び行位置及び右下の列位置及び行位置を特定することにより、当該情報追加領域は、左上の列位置から右下の列位置までの列範囲であり、左上の行位置から右下の行位置までの行範囲であることを特定できるようになっている。
【０１８３】
（情報コードの生成処理）
本実施形態で用いられる情報コード生成装置２では、図８のＳ５において、上述したようなヘッダデータを作成することになる。そして、図８のＳ１８では、このようなヘッダデータに基づいて図１１、図１４のような空き領域１１０を構成することになる。図１２の例では、それぞれの情報追加領域２２１、２２２、２２３（記入欄）の左上及び右下位置が行位置及び列位置によって指定されているため、Ｓ１８では、このように指定された各位置が角位置となるような矩形状（例えば長方形状）の図形データを情報追加領域（記入欄）２２１、２２２、２２３の図形としてそれぞれ配置する。図１１、図１４等に示す例では、例えば情報追加領域（記入欄）２２１、２２２、２２３の図形が矩形状の図形（領域全体が単一色又は複数色の明色で構成されてなる四角形状の図形）として予め定められており、Ｓ１８では、このように決められた図形の左上位置及び右下位置がヘッダデータで指定される各記入欄の左上位置及び右下位置となるように各図形を配置する。また、各情報追加領域（記入欄）２２１、２２２、２２３の外縁部に沿って、各外縁部を特定するマーク２２１ａ、２２２ａ、２２３ａ（識別表示）を配置する。なお、各情報追加領域（チェック欄）２２１、２２２、２２３に隣接する位置に、文字や数字等の記号や図形などを配置してもよい。この場合、例えば、文字や文字の表示位置をユーザが入力できるようにし、Ｓ１８では、入力された文字を指定された表示位置に配置すればよい。
【０１８４】
（情報コードの読取処理）
次に、本実施形態で用いられる情報コード読取装置１０での読取処理について図１３を参照して説明する。図１３に示す読取処理は、Ｓ６０〜Ｓ６３は、第１実施形態の図９で説明したＳ４０〜Ｓ４３と同様である。そして、Ｓ６３にてデータ記録領域のデータを解読した後には、ヘッダデータ（額縁ＱＲヘッダー）に含まれる形式情報を読み取る（Ｓ６４）。そして、この形式情報が「ＯＣＲ形式」を示す所定の形式情報でない場合には、Ｓ６５でＮｏに進む。例えば、第１実施形態で後述する「マークシート形式」を示す形式情報である場合には、Ｓ６５にてＮｏに進み、図９のＳ４６〜Ｓ４９の処理（後述）を行うようにしてもよい。なお、図１３では、Ｓ６５でＮｏに進む場合の処理を省略して示している。
【０１８５】
Ｓ６５でＹｅｓに進む場合（即ち、ヘッダデータ（額縁ＱＲヘッダー）に含まれる形式情報が「ＯＣＲ形式」を示す所定の形式情報である場合）、ヘッダデータに含まれる記入欄位置情報（位置データ）を読み取り、情報コード１００内における情報追加領域の位置（複数行及び複数列で構成される情報コード内の列範囲及び行範囲）を特定する（Ｓ６６）。そして、特定された情報追加領域の全ての認識が終了したか否かを判断し（Ｓ６７）、終了していない場合にはＳ６７にてＮｏに進み、認識が終了していない情報追加領域の判定及び判定結果の出力を行う。具体的には、Ｓ６８では、記入欄位置情報（各情報追加領域の行範囲及び列範囲を指定する位置データ）で特定されるいずれかの情報追加領域の位置において、情報追加領域内の各行における各列位置の色を全て判別する。即ち、情報追加領域における全ての行と列の組み合わせで特定される各位置の色を判別する。各位置での色の判別方法は、ＱＲコード等における各セルの色の判別方法と同様であり（即ち、情報追加領域内にセルが配列されている場合の公知の色判別方法と同様であり）、情報追加領域内の全ての行と列の組み合わせに対して色の判別結果を得る。つまり、情報追加領域内では、図１３の「１、２、３」で示されるように、暗色の部分は暗色のセル形状として特定され、明色の部分は明色のセル形状として特定されることになり、ドットマトリックス状に文字が検出されることになる。そして、Ｓ６９では、各情報追加領域において背景色（例えば、明色で構成される情報追加領域の元々の色）と異なる部分として抽出された形（例えば暗色の領域として抽出された形）を、予め用意された記号パターンと比較し、該当する記号を決定する。なお、抽出された形を記号パターンと比較して記号を決定する技術は、ＱＣＲ等の分野の公知技術を利用できる。そして、Ｓ６９の後には、Ｓ６９での判定結果の情報を、既に解読されているデータの後ろに付して出力する（Ｓ７０）。Ｓ７０の後にはＳ６６に戻り、Ｓ６８で判定が終了していない情報追加領域が存在する場合には６７でＮｏに進む。一方、全ての情報追加領域に対してＳ６８〜Ｓ７０の処理が終わった場合にはＳ６７にてＹｅｓに進み、当該読取処理を終了する。
【０１８６】
図１３の処理では、例えば図１１の情報コード１００が図１４（Ａ）のように構成されていた場合、Ｓ６６〜Ｓ７０の処理により、各情報追加領域２２１、２２２、２２３に記録された記号（文字、数字等）が認識されることになる。従って、図１４（Ａ）のように、各情報追加領域２２１、２２２、２２３に書き込みがなされていない場合には、追加情報が認識されず、追加情報が出力されないことになる。一方、図１４（Ｂ）のように、情報追加領域２２１、２２２、２２３に黒色等の暗色で数字が書き込まれた場合、各情報追加領域２２１、２２２、２２３のデータは「１」「２」「３」と出力される。読取装置や外部装置では、このように出力されるデータを解析することで、どのようなデータが入力されたかを把握することが可能となる。
【０１８７】
本実施形態では、制御回路４０が「色判別部」の一例に相当し、コード画像におけるデータ記録領域のセルの配列に基づいてコード画像全体を複数行且つ複数列のセル配列として認識し、且つ当該セル配列の各行において各列位置の色をそれぞれ判別するように機能する。
また、「検出部」に相当する制御回路４０は、コード画像の情報追加領域内を解析し、当該情報追加領域内において他の色（情報追加領域の色）によって形成された記号を抽出するように機能し、具体的には、色判別部による情報追加領域内の各行における各列位置の色の判別結果に基づいて記号を抽出するように機能する。
【０１８８】
なお、上述した例では、情報追加領域２２１、２２２、２２３に記録された記号をドットマトリックス状に認識する例を示したが、情報追加領域２２１、２２２、２２３内の各画像内を、セル形状として認識せずに周知のＯＣＲ技術を用いて解析を行い、情報追加領域２２１、２２２、２２３内に記録された記号を抽出するようにしてもよい。
【０１８９】
［第３実施形態]
次に、第３実施形態について説明する。
第３実施形態の情報コード利用システムは、ハードウェア構成については第１実施形態と同一であり、上述した図１、図２のような構成が用いられる。
【０１９０】
第３実施形態の情報コード利用システムでは、情報コード生成装置２（図１等参照）により図１５（Ｂ）のような情報コード２００を生成する。この構成でも、コード領域の内部に、予め定められた形状の特定パターン（位置検出パターン２０４）が配置される特定パターン領域と、複数種類のセルによってデータ（少なくとも解読対象となる解読対象データ）を記録するデータ記録領域と、データ記録領域に記録された情報とは別の追加情報を記録可能な情報追加領域２２１，２２２，２２３，２２４とを設け、且つ情報追加領域２２１，２２２，２２３，２２４の範囲を示す識別表示（マーク２２１ａ、２２２ａ、２２３ａ、２２４ａ）を設けている。
【０１９１】
図１５（Ｂ）の構成では、空き領域２１０内の表示構成は、第１実施形態での空き領域１１０における表示構成と同様となっており、空き領域２１０の内部には、情報追加領域２２１、２２２、２２３、２２４の範囲を示す識別表示（マーク２２１ａ、２２２ａ、２２３ａ、２２４ａ）がそれぞれ設けられており、この情報追加領域２２１、２２２、２２３、２２４の内部に事後的に書き込み（例えば黒色による塗り潰し）が行えるようになっている。具体的には、情報追加領域２２１、２２２、２２３、２２４におけるマーク２２１ａ、２２２ａ、２２３ａ、２２４ａ内のそれぞれの部分が１又は複数の所定色（例えば白色等）で構成されており、それら情報追加領域１２１、１２２、１２３、１２４の外縁部を示すマーク１２１ａ、１２２ａ、１２３ａ、１２４ａが所定色（情報追加領域１２１、１２２、１２３、１２４におけるマーク内の領域を構成する色）とは異なる色（例えば黒色等）により識別表示として示されている。このように構成されているため、情報追加領域１２１、１２２、１２３、１２４に対して前記所定色（情報追加領域１２１、１２２、１２３、１２４におけるマーク内の領域を構成する背景色）とは異なる他の色によって書き込むことが可能となり、所定色とは異なる色によって書き込まれたときには、上述の情報コード読取装置１０により、その書き込みを認識できるようになっている。
【０１９２】
この例でも、識別表示として、四角形状の図形からなるマーク２２１ａ、２２２ａ、２２３ａ、２２４ａが用いられ、マーク２２１ａ、２２２ａ、２２３ａ、２２４ａのそれぞれの内側が情報追加領域２２１、２２２、２２３、２２４として構成されているが、情報追加領域２２１、２２２、２２３、２２４の境界（外縁）が特定できる構成であれば、識別表示の形状や構成はどのようなものであってもよい。例えば、情報追加領域２２１、２２２、２２３、２２４が所定色（例えば白色）によって構成されている場合、情報追加領域２２１、２２２、２２３、２２４の周囲に隣接する背景がその所定色以外であれば、情報追加領域と背景とが異なる色によって区分けされることになる。この場合、情報追加領域の周囲に隣接する背景が識別表示に相当することになる。
【０１９３】
また、図１５（Ｂ）の構成では、空き領域２１０の構成以外は、公知のＱＲコード（登録商標）として構成されており、まず、図１５（Ａ）のように、コード領域の内部に、位置検出パターン２０４などの固定パターンが配置される特定パターン領域と、解読対象データなどが記録されるデータ記録領域と、複数種類のセルによって誤り訂正符号を記録する誤り訂正符号記録領域とを設けている。なお、データ記録領域でのデータコードワードの記録方法及び誤り訂正符号記録領域での誤り訂正コードワードの記録方法は公知のＱＲコード（登録商標）と同様であり、例えば、ＪＩＳＸ０５１０で規定される方式でコード領域内の位置検出パターン２０４の配置、データ記録領域におけるデータコードワードの配置、誤り訂正符号記録領域での誤り訂正コードワードの配置が定められている。
【０１９４】
但し、図１５（Ａ）のように、一部領域のコードワードを、白セルのみによって表現されるコードワードとして構成した情報コード２００’を生成し、このように白セルのみによって表現される領域ＡＲを空き領域２１０として、図１５（Ｂ）のように、この空き領域２１０内に図形、模様、色彩又はこれらの結合からなるデザイン、又は１又は複数の記号によって表わされる情報の少なくともいずれかを表示している。図１５（Ａ）の構成は、コード領域内に汚れ等の誤りがない状態で空き領域２１０内が全て明色（白色）となるようなセル配列となっており、図１５（Ａ）のような構成をベースとして、図１５（Ｂ）のように空き領域２１０にマーク２２１ａ、２２２ａ、２２３ａ、２２４ａやガイド表示を設けた場合、図１５（Ａ）のような本来のデータ表示とは異なった構成になるが、この空き領域２１０でのデータの誤りは、誤り訂正符号記録領域に記録された誤り訂正符号を用いて公知の誤り訂正を行えばよい。例えば、図１５（Ｃ）のように空き領域２１０内に書き込みがなされ、マーク２２１ａ、２２２ａ、２２３ａ、２２４ａや文字情報２２５などによるガイド表示、及び書き込みによる表示部分により、各セル位置の明暗が、図１５（Ａ）のような本来のデータ構成の明暗とは異なる構成になったとしても、その部分は、誤り訂正符号記録領域に記録された誤り訂正符号を用いて公知の誤り訂正方式で誤りを訂正すればよい。
【０１９５】
また、図１５（Ｂ）に示す情報コード２００では、空き領域２１０の位置が予め特定されるため、空き領域２１０内にデザインや情報を付加して表示する場合にはこの表示による誤り位置が予め分かっていることになる。このような場合、読取装置１０は、既知の空き領域２１０の位置に基づき、空き領域２１０の位置を誤り位置として消失訂正を行うように誤り訂正符号記録領域の誤り訂正符号を構成することもできる。この場合、空き領域２１０の位置を示す情報を予めデータ記録領域に記録しておいたり、或いは、予め読取装置１０（図１）内に記憶しておくことで、読取時に読取装置１０が空き領域２１０の位置（即ち、誤りが生じているデータコードワードの位置）を特定することができるようになり、読取装置１０は、このように位置が特定された空き領域２１０に存在するデータコードワードの誤りを訂正するように、誤り訂正符号記録領域に記録された誤り訂正符号を用いて消失訂正を行うようにすればよい。このように消失訂正を行う場合、空き領域２１０内に少なくとも一部が存在するコードワードを全て誤りが生じているコードワードとして扱い、これらのコードワードの誤りを訂正するようにしてもよい。
【０１９６】
また、図１５（Ｂ）のように既存のＱＲコード（登録商標）の一部を空き領域２１０として構成する場合、データ記録領域に記録されるデータにおいて、図１９（Ａ）のような識別情報を含ませておけばよい。図１９（Ａ）は、データ記録領域に記録される解読対象データ構成を概念的に示しており、この例では、解読対象データの先頭部分に、所定構成（％％ＭＡＲＫＳＨＥＥＴ％％）のデータが付されている。このように構成しておけば、読取装置１０は、データ記録領域に記録される解読対象データの中からこの識別情報（％％ＭＡＲＫＳＨＥＥＴ％％）を検出したときに、情報追加領域２２１、２２２、２２３、２２４の認識処理を行うことができるようになり、逆に、識別情報（％％ＭＡＲＫＳＨＥＥＴ％％）を検出できないときには情報追加領域２２１、２２２、２２３、２２４の認識処理を行わずに通常のデコード処理を行うことになる。また、この例では、データ記録領域のデータとして、通常のデータ以外に、情報追加領域２２１、２２２、２２３、２２４の位置を特定する位置データや、その他の付随情報が含まれていることが望ましい。
【０１９７】
なお、図１９（Ａ）に示すデータは、データ記録領域に記録されるデータの内、終端子（解読対象データの終わりを示すデータ）よりも前に配置される解読対象データを示しており、終端子よりも後に配置される埋め草コードワード（解読対象とならない余剰データ）は省略している。本構成では、例えば、この埋め草コードワードの領域を全て白セルのみで表示するようにし、この領域を空き領域２１０として扱うようにすることができる。
【０１９８】
また、識別情報の例はこの例に限られるものではなく、例えばモード番号として専用のモード番号を用いるようにしてもよい。例えば、ＱＲコードの規格では、１：数字モード、２：英数字モード、３：連結モード等が定められており、このようなモード番号の１つとして１４：追加情報認識モードを設けるようにしてもよい。このような例では、データ記録領域内にモード番号として「１４」が記録されている場合に、情報追加領域２２１、２２２、２２３、２２４の認識処理を行えばよい。
【０１９９】
なお、第３実施形態の代表例又は後述する変更例の情報コードは、第１実施形態だけでなく、第１実施形態以外の上述又は後述の実施形態の情報コードとして適用してもよい。
【０２００】
［第３実施形態の変更例１]
次に、第３実施形態の変更例１について説明する。
この変更例１の情報コード２００は、図１６（Ｂ）のように、空き領域２１０内のマーク２２１ａ、２２２ａ、２２３ａ、２２４ａや文字情報２２５の濃度が第３実施形態の代表例（図１５（Ｂ）の構成）よりも低い点のみが第３実施形態の代表例（図１５の構成）と異なり、それ以外は、第３実施形態の代表例（図１５の構成）と同様である。なお、この例でも、代表例と同様、公知のＱＲコード（登録商標）と同様の方法でデータ記録領域の読み取りを行うことができる。
【０２０１】
この例でも、情報コード生成装置２は、明色セル又は暗色セルを配列した構成となるように、公知のＱＲコード（登録商標）と同様の方法で特定パターン領域（位置検出パターン２０４の領域）及びデータ記録領域を形成しており、更に、少なくともデータ記録領域の一部を、情報追加領域２２１、２２２、２２３、２２４を含む所定の機能領域（具体的には、文字、図形、記号の少なくともいずれかが表示される領域である空き領域２１０）とする構成で情報コード２００を生成している。この構成では、ＱＲコード（登録商標）においてコードワードが配置されることが予定された領域の一部を、情報追加領域２２１、２２２、２２３、２２４を含む所定の機能領域（空き領域２１０）としている。そして、この所定の機能領域（空き領域２１０）の内部に、記号又は図形からなるガイド情報（マーク２２１ａ、２２２ａ、２２３ａ、２２４ａや文字情報２２５）を形成し、且つ機能領域（空き領域２１０）の内部におけるガイド情報の領域の色、及びガイド情報以外の領域（背景領域）の色をいずれも、情報コード読取装置１０によって明色と判定される明度で形成している。
【０２０２】
この例でも、図１５（Ａ）と同様の構成である図１６（Ａ）の情報コード２００’をベースとして、図１６（Ｂ）のように文字、図形、記号などのガイド情報を形成しており、空き領域２１０においてガイド情報の領域及び情報追加領域２２１、２２２、２２３、２２４の領域以外の領域が背景領域となっている。具体的には、図１６（Ｂ）のように空き領域２１０内の表示（マーク２２１ａ、２２２ａ、２２３ａ、２２４ａや文字情報２２５、マーク２２１ａ、２２２ａ、２２３ａ、２２４ａの内部領域の色、それ以外の背景領域の色）が全て明色と判定される色（例えば、特定パターンやでデータ記録領域を構成する暗色セルよりも濃度が低く、特定パターンやでデータ記録領域を構成する明色セルよりも濃度が高い色）によって構成している。より具体的には、文字情報２２５やマーク２２１ａ、２２２ａ、２２３ａ、２２４ａが明色と判定される薄いグレーによって表示されており、書き込みがなされていない状態で図１６（Ｂ）のコードを読み取った場合には、文字情報２２５やマーク２２１ａ、２２２ａ、２２３ａ、２２４ａの位置が誤りと認識されないようにしている。一方、図１６（Ｃ）のように、情報追加領域２２１、２２２、２２３、２２４に暗色と判定されるべき色（例えば、暗色セルと同色の黒色など、マーク２２１ａ、２２２ａ、２２３ａ、２２４ａや文字情報２２５よりも濃度が低い色）で書き込みがなされた場合には、情報コード２００を読み取った場合に、この書き込み位置が誤りの位置として認識されるようになる。このような構成では、例えば一般的な誤り訂正方法を用い、書き込みがなされた位置のコードワードを、誤り訂正符号記録領域に記録された誤り訂正符号を用いて誤り訂正を行うようにすればよい。この例では、誤りが生じたコードワードを特定することで書き込みの位置を特定するようにしてもよく、情報追加領域２２１、２２２、２２３、２２４の位置の明暗を実際に検出し、書き込みの位置を特定するようにしてもよい。このような構成とすれば、誤り訂正が必要な領域をより抑えやすくなる。
なお、上述の例では、図１６（Ａ）のように、コード領域内に汚れ等の誤りがない状態で空き領域２１０内が全て明色となるようなセル配列を前提とし、このような空き領域２１０内に、図１６（Ｂ）のように、明色と判定される色によるマーク２２１ａ、２２２ａ、２２３ａ、２２４ａや文字情報２２５を表示したが、この例に限られない。例えば、図１６（Ａ）の構成に代え、コード領域内に汚れ等の誤りがない状態で空き領域２１０内が全て暗色となるようなセル配列を前提とし、このような空き領域２１０内に、図１６（Ｂ）と同様の表示（マーク２２１ａ、２２２ａ、２２３ａ、２２４ａや文字情報２２５の表示）を、暗色と判定される色によって表示してもよい。例えば、空き領域２１０内の背景部分を黒色等の暗色によって構成し、マーク２２１ａ、２２２ａ、２２３ａ、２２４ａや文字情報２２５の部分を、背景部分や暗色セルよりも濃度が小さく、明色セルよりも濃度が大きい色（グレーなど）によって構成してもよい。
【０２０３】
［第３実施形態の変更例２]
次に、図１７等を参照し、第３実施形態の変更例２について説明する。
この変更例２の情報コード２００の外観は、例えば図１７（Ａ）のようになっており、この例では、第３実施形態の代表例の情報コード（図１５（Ｂ））と同一の外観となっている。なお、この図１７（Ａ）の例でも、代表例と同様、公知のＱＲコード（登録商標）と同様の方法でデータ記録領域の読み取りを行うことができるようになっている。
この例でも、図１７（Ａ）のように、情報コード生成装置２は、明色セル又は暗色セルを配列した構成で特定パターン領域（位置検出パターン２０４の領域）及びデータ記録領域を形成しており、少なくともデータ記録領域の一部を、情報追加領域２２１、２２２、２２３、２２４を含む所定の機能領域（具体的には、文字、図形、記号の少なくともいずれかが表示される領域である空き領域２１０）とする構成で情報コード２００を生成している。この構成でも、ＱＲコード（登録商標）においてコードワードが配置されることが予定された領域の一部を、情報追加領域２２１、２２２、２２３、２２４を含む所定の機能領域（空き領域２１０）としている。そして、この所定の機能領域（空き領域２１０）の内部に、記号又は図形からなるガイド情報（マーク２２１ａ、２２２ａ、２２３ａ、２２４ａや文字情報２２５）を形成している。
【０２０４】
本構成では、機能領域（空き領域２１０）の内部に形成されるガイド情報（マーク２２１ａ、２２２ａ、２２３ａ、２２４ａや文字情報２２５）の領域と当該ガイド情報以外の領域（背景領域及び情報追加領域２２１、２２２、２２３、２２４）との明暗構成に基づいて機能領域内の各セル位置での明暗を特定する明暗マップが生成された上で、当該明暗マップに基づいてデータ記録領域のコードワード及び誤り訂正符号記録領域のコードワードが設定されている。
【０２０５】
具体的には、図１７（Ａ）、図１７（Ｂ）のような構成で機能領域（空き領域２１０）が設定されている場合、事後的な書き込みがない状態では、この機能領域（空き領域２１０）での各セル位置での明暗構成（明暗マップ）は図１７（Ｃ）のようになる。なお、図１７（Ｂ）の例では、ガイド情報（マーク２２１ａ、２２２ａ、２２３ａ、２２４ａや文字情報２２５）の領域が暗色と判定される色（例えば暗セル（黒セル）と同一の暗色（黒色等））によって表示され、それ以外の領域（背景領域及び情報追加領域２２１、２２２、２２３、２２４）は、明色と判定される色（例えば明セルと同一の明色（白色等）））によって表示される例を示している。また、図１７（Ｃ）の明暗マップは、空き領域２１０内に割り当てられた各セルの領域における各中心位置の明暗度合いに基づき、読取時に各セルの領域が明暗のいずれと認識されるかを特定する情報である。例えば、図１７（Ｂ）において「男」の文字が表されているセル領域では、当該セル領域の中心位置の色が暗色となっており、読取時に各セルの中心位置の色を検出して各セルの明暗を判定する読み取り方法では、「男」が表されたセルは暗色と判定されることになる。従って、明暗マップでは、このセルを暗色とする。同様の方法で、他のセルについても、中心位置が明色であれば明セルとし、中心位置が暗色であれば暗色とするように各セル領域の色を特定する。そして、このような例では、情報コード２００を生成する場合、機能領域（空き領域２１０）内のコードワードにおいてこのようなセル配列がなされているとして、図１７（Ｃ）のような明暗マップ（空き領域２１０内の各セル位置が明色セルと認識されるか暗色セルと認識されるかをそれぞれ特定する情報）を生成し、この明暗マップに基づいて、データ記録領域のコードワード及び誤り訂正符号記録領域のコードワードが設定されればよい。
例えば、空き領域２１０を埋め草コードワードの領域とする場合、空き領域２１０内の埋め草コードワードの各セルの明暗が、図１７（Ｃ）のようになるように各コードワードのデータを構成するようにしてもよい。この場合、空き領域２１０の外側に埋め草コードワード以外のデータコードワード及び誤り訂正コードワードを配置すればよい。
或いは、空き領域２１０の内側にもデータコードワードを配置し、このデータコードワードのセル配列については、図１７（Ｃ）のような明暗マップとなるようなセル配列としてもよい。この場合、空き領域２１０の外側のデータコードワード（読取対象となるデータのコードワード）と、空き領域２１０の内側のデータコードワードとに基づいて誤り訂正符号記録領域のコードワード（誤り訂正コードワード）を構成すればよい。このようにデータ記録領域のコードワード及び誤り訂正符号記録領域のコードワードが記録されている場合、書き込みがなされていない図１７（Ａ）のような情報コードを読み取る際に機能領域（空き領域２１０）が正確に撮像されると、この機能領域（空き領域２１０）内の各セルは図１７（Ｃ）のように明暗が認識されることになり、この機能領域（空き領域２１０）では誤りが生じていないものと扱うことができる。一方、情報追加領域２２１、２２２、２２３、２２４に書き込みがなされた場合には、この書き込み位置が誤りの位置として認識されるようになる。このような構成では、例えば一般的な誤り訂正方法を用い、書き込みがなされた位置のコードワードを、誤り訂正符号記録領域に記録された誤り訂正符号を用いて誤り訂正を行うようにすればよい。この例でも、誤りが生じたコードワードを特定することで書き込みの位置を特定するようにしてもよく、情報追加領域２２１、２２２、２２３、２２４の位置の明暗を実際に検出し、書き込みの位置を特定するようにしてもよい。このような構成とすれば、誤り訂正が必要な領域をより抑えやすくなる。
【０２０６】
[第４実施形態]
次に、第４実施形態について、図面を参照して説明する。
第４実施形態の情報コード利用システムは、ハードウェア構成については第１実施形態と同一であり、上述した図１、図２のような構成が用いられる。
【０２０７】
第４実施形態の情報コード利用システムでは、情報コード生成装置２（図１等参照）により図１８（Ｂ）のような情報コード３００を生成する。この構成でも、コード領域の内部に、予め定められた形状の特定パターン（Ｌ字状のアライメントパターン３０４ａ及び明色セルと暗色セルが１セルずつ交互に配置され、コード領域の境界に沿ったＬ字状の領域を構成するタイミングセル３０４ｂ）が配置される特定パターン領域と、複数種類のセルによってデータを記録するデータ記録領域と、データ記録領域に記録された情報とは別の追加情報を記録可能な情報追加領域２２１，２２２，２２３，２２４とを設け、且つ情報追加領域２２１，２２２，２２３，２２４の範囲を示す識別表示（マーク２２１ａ、２２２ａ、２２３ａ、２２４ａ）を設けている。この構成でも、コード領域の内部において、特定パターン領域以外の位置に、データ記録領域にデータを記録する方法とは異なる方法で、データの記録又はデザインの表示の少なくともいずれかが可能となる空き領域３１０を、単一のセルのサイズよりも大きい所定サイズで設けており、この空き領域３１０が機能領域に相当している。
【０２０８】
この構成では、空き領域３１０の構成以外は、公知のデータマトリックスコードとして構成されており、まず、図１８（Ａ）のように、コード領域の内部に、特定パターン領域と、データ記録領域と、複数種類のセルによって誤り訂正符号を記録する誤り訂正符号記録領域とを設けている。なお、データ記録領域でのデータコードワードの記録方法及び誤り訂正符号記録領域での誤り訂正コードワードの記録方法は公知のデータマトリックスコードと同様であり、コード領域内のアライメントパターン３０４ａやタイミングセル３０４ｂの配置、データ記録領域におけるデータコードワードの配置、誤り訂正符号記録領域での誤り訂正コードワードの配置は、例えばＥＣＣ２００バージョンに従って定められている。
【０２０９】
但し、図１８（Ａ）のように、一部領域のコードワードを、白セルのみによって表現されるコードワードとして構成した情報コード３００’を生成し、このように白セルのみによって表現される領域ＡＲを空き領域３１０として、図１８（Ｂ）のように、この空き領域３１０内にガイド情報（マーク２２１ａ、２２２ａ、２２３ａ、２２４ａや文字情報２２５）の領域を設けている。そして、マーク２２１ａ、２２２ａ、２２３ａ、２２４ａの内部領域を情報追加領域２２１，２２２，２２３，２２４として機能させている。図１８（Ｂ）のように空き領域３１０にガイド情報（マーク２２１ａ、２２２ａ、２２３ａ、２２４ａや文字情報２２５）や情報追加領域２２１，２２２，２２３，２２４を設ける場合、図１８（Ａ）のような本来のデータ表示とは異なった構成になるが、この空き領域３１０でのデータの誤りは、誤り訂正符号記録領域に記録された誤り訂正符号を用いて公知の誤り訂正を行えばよい。
【０２１０】
また、図１８（Ｂ）に示す情報コード３００では、空き領域３１０の位置が予め特定されるため、空き領域３１０内にデザインや情報を付加して表示する場合にはこの表示による誤り位置が予め分かっていることになる。従って、空き領域３１０の位置を誤り位置として消失訂正を行うように誤り訂正符号記録領域の誤り訂正符号を構成することもできる。この場合、空き領域３１０の位置を示す情報を予めデータ記録領域に記録しておいたり、或いは、予め読取装置１０（図１）内に記憶しておくことで、読取時に読取装置１０が空き領域３１０の位置（即ち、誤りが生じているデータコードワードの位置）を特定することができるようになり、読取装置１０は、このように位置が特定された空き領域３１０に存在するデータコードワードの誤りを訂正するように、誤り訂正符号記録領域に記録された誤り訂正符号を用いて消失訂正を行うようにすればよい。
【０２１１】
また、図１８のように既存のデータマトリックスコードの一部を空き領域３１０として構成する場合、データ記録領域に記録されるデータにおいて、図１９（Ｂ）のような識別情報を含ませておけばよい。図１９（Ｂ）は、データ記録領域に記録される解読対象データ構成を概念的に示しており、この例では、解読対象データの先頭部分に、所定構成（％％ＭＡＲＫＳＨＥＥＴ％％）のデータが付されている。このように構成しておけば、読取装置１０は、データ記録領域に記録される解読対象データの中からこの識別情報（％％ＭＡＲＫＳＨＥＥＴ％％）を検出したときに、情報追加領域２２１、２２２、２２３、２２４の認識処理を行うことができるようになり、逆に、識別情報（％％ＭＡＲＫＳＨＥＥＴ％％）を検出できないときには通常のデコード処理を行うことになる。また、この例では、データ記録領域のデータとして、通常のデータ以外に、情報追加領域２２１、２２２、２２３、２２４の位置を特定する位置データや、その他の付随情報が含まれていることが望ましい。
【０２１２】
また、識別情報の例はこの例に限られるものではなく、例えば専用のコードワードを用いるようにしてもよい。データマトリックスコードの仕様として、例えば、０〜１２８をＡＳＣＩＩ文字、２３３を連結モードなどとして定めている場合、「２３４」を画像認識用の特別なコードワードとして新たに定めるようにしてもよい。このような例では、データ記録領域のデータに「２３４」のコードワードが含まれている場合に、情報追加領域２２１、２２２、２２３、２２４の認識処理を行えばよい。また、未使用のコードワードが存在する場合、未使用のコードワードを識別情報として含ませておき、データ記録領域のデータに未使用のコードワードが含まれている場合に、情報追加領域２２１、２２２、２２３、２２４の認識処理を行うようにしてもよい。
【０２１３】
なお、第４実施形態の構成でも、第３実施形態の変更例１のような思想（空き領域３１０内の文字、記号、図形、背景等を全て明色と判定されるように構成する思想）や、第３実施形態の変更例２のような思想（空き領域内の明暗マップに基づいて、誤り訂正符号記録領域を構成する思想）を用いることができる。
【０２１４】
なお、第３実施形態の代表例又は後述する変更例の情報コードは、第１実施形態だけでなく、第１実施形態以外の上述又は後述の実施形態の情報コードとして適用してもよい。
【０２１５】
[第５実施形態]
次に、第５実施形態について、図面を参照して説明する。
第５実施形態の情報コード利用システムは、ハードウェア構成については第１実施形態と同一であり、上述した図１、図２のような構成が用いられる。また、第５実施形態の情報コード利用システムで生成、利用される情報コード４００は、例えば図２０のような構成となっており、空き領域１１０以外の構成は第１実施形態の情報コード１００と同様であり、空き領域１１０以外の部分は、第１実施形態で説明した方法で生成されるようになっている。
【０２１６】
この構成でも、情報コード４００のコード領域の内部に、予め定められた形状の特定パターン（位置検出パターン１０４）が配置される特定パターン領域と、複数種類の前記セルによってデータを記録するデータ記録領域と、複数種類のセルによって誤り訂正符号を記録する誤り訂正符号記録領域とを設けている。
【０２１７】
そして、コード領域の内部において、特定パターン領域、データ記録領域、及び誤り訂正符号記録領域以外の位置に、セルによって解読対象データ（データ記録領域に記録された出力対象となるデータ）が記録されない領域であり、且つ誤り訂正符号記録領域による誤り訂正の対象とならない領域である空き領域１１０を、単一の前記セルのサイズよりも大きいサイズで設けている。更に、この空き領域１１０の内部には、情報追加領域４１４の範囲を示す識別表示（円形且つ暗色（黒色等）の複数のマーク４１４ａ）を設けている。なお、図２０（Ａ）の例では、「割引」の文字と「％」の文字の間が空白となっており、この空白領域も情報追加領域４１２として機能している。この場合、「割引」の文字と「％」の文字が情報追加領域４１２の範囲を示す識別表示に相当している。
【０２１８】
図２０（Ａ）の例では、情報コード４００は、コード領域の内部の情報追加領域にて、色の組み合わせによって追加情報を表現してなる第２情報コード４１０が形成されている。この情報コード４００は、コード領域の内部に、事後的に記入が可能な記入領域（円形のマーク４１４ａの内側の領域である情報追加領域４１４）が複数設けられ、複数の記入領域（情報追加領域４１４）への記入パターンによって第２情報コード４１０が事後的に表現可能となっている。なお、各記入領域（情報追加領域４１４）の各位置を特定する情報は、例えばデータ記録領域に記録されていればよい。
【０２１９】
図２０の例では、図２０（Ａ）のように記入領域４１４が３行４列で規則的に配列されており、このように構成された複数の記入領域４１４での明暗パターンによって情報が特定されるようになっている。例えば、図２０（Ａ）のように３行４列の記入領域４１４のいずれにも記入がなされていない場合（全ての記入領域４１４が明色と認識される場合）には、「０％」と特定され、図２０（Ｂ）のようなパターンの場合には「３０％」と特定されるようになっている。このような情報コード４００を例えば商品に付して用いれば、商品の割引を行わない場合には図２０（Ａ）のように記入を行うことで読取装置に割引がなされないことを認識させることができ、３０％の割引を行う場合には図２０（Ｂ）のように塗り潰すことで商品に対して３０％の割引を行うことを認識させることができる。
【０２２０】
このような情報コード４００を用いる場合、読取装置１０側では、情報記憶部に相当するメモリ３５において、コード領域内の複数の記入領域４１４で事後的に形成可能となる複数の記入パターンのそれぞれに対応付けられた情報を特定可能な情報を記憶しておけばよい。
【０２２１】
例えば、図２０（Ａ）のように全ての記入領域４１４が明色と認識される場合を「０％」と特定し、記入領域４１４の塗り潰しのパターンが図２１（Ａ）のような場合には「１０％」と特定し、記入領域４１４の塗り潰しのパターンが図２１（Ｂ）のような場合には「２０％」と特定し、記入領域４１４の塗り潰しのパターンが図２１（Ｃ）のような場合には「３０％」と特定するように、異なる複数の塗り潰しのパターンのそれぞれに対して数値情報（割引率）を対応付けて記憶しておけばよい。そして、読取装置１０がこのような情報コード４００を読み取る場合、例えばデータ記録領域に記録された位置情報に基づいて、或いは読取装置１０に予め備えられた位置情報に基づいてコード画像の各記入領域４１４を特定し、それら複数の記入領域４１４を解析することとで３行４列で規則的に配列された記入領域４１４がどのような明暗パターンになっているか（即ち、複数の記入領域４１４のどの位置が塗り潰されているか）を特定する。そして、読取装置１０のメモリ３５（情報記憶部）に記憶された情報に基づき、その特定された明暗パターンに対応付けられた数値情報を読み出すように、複数の記入領域４１４での記入内容で表された第２情報コード４１０を解読した情報（上述の例では割引率の情報）を生成し、出力するようにすればよい。
【０２２２】
なお、本構成では、制御回路４０が追加情報取得部の一例に相当し、少なくともコード画像に含まれる第２情報コード４１０の画像を解析し、第２情報コード４１０に記録された追加情報を取得するように機能しており、具体的には、コード画像の複数の記入領域４１４を解析し、メモリ３５（情報記憶部）に記憶された情報に基づき、記入領域４１４での記入内容で表された第２情報コード４１０を解読した情報を生成するように機能する。
【０２２３】
また、図２０の例では、例えば店員などによって希望する割引率に対応する記入を行った後、記入領域４１２に具体的な割引率の数値などを表示できるようになっている。このようにすれば、読取装置１０に割引率の情報を取得させることを可能としつつ、商品を購入する客にも割引率を認識させることができ、利便性が一層高まる。
【０２２４】
また、上述したように、メモリ３５（情報記憶部）において、異なる複数の塗り潰しのパターンのそれぞれに対して割引率を対応付けて記憶する場合、例えば、候補となる各割引率に対応付けられた塗り潰しのパターンを定期的（例えば日毎）に変更するようにしてもよい。このようにすれば、不正書き込み等に起因する損失をより確実に抑えやすくなる。例えば、図２１のように各パターンに割引率が対応付けて登録されている場合、図２２（Ａ）のような「１０％」を割り引く正規のパターンに対して図２２（Ｂ）のような不正な書き込みがあっても、このパターンが正規に登録されたものでなければ不正なパターンとして扱うことができる。
【０２２５】
また、図２０（Ａ）から若干変更した図２３（Ａ）のような情報コードを、値引きサービスなどに用いてもよい。図２３（Ａ）の情報コード４００は、文字表示や領域４１２を省略した点のみが図２０（Ａ）の情報コードと異なり、それ以外は図２０（Ａ）の情報コード４００と同様である。この例では、例えば、店員と客との間で値引き交渉が行われ、値引き率が決まった場合に、店員がその値引き率に対応するパターンで記入領域４１４の塗り潰しを行えばよい。例えば、１０％の値引きを行うことが交渉で決まった場合、例えば商品に付す情報コード４００に対して図２３（Ｂ）のように、１０％に対応付けて読取装置１０に登録されているパターンを記入すれば、読取装置１０が情報コード４００を読み取ったときに、値引き率が１０％であることを特定できるようになる。なお、この例でも、図２０の例と同様、読取装置１０のメモリ３５において、異なる複数の塗り潰しのパターンのそれぞれに対して数値情報（値引き率）を対応付けて記憶しておき、情報コード４００の空き領域４１０から認識された塗り潰しパターンに対応する数値情報を読み出して利用すればよい。
【０２２６】
また、図２０（Ａ）から若干変更した図２４（Ａ）のような情報コードを、ポイントサービスなどに用いてもよい。図２４（Ａ）の情報コード４００は、文字表示や領域４２２のみが図２０（Ａ）の情報コードと異なり、それ以外は図２０（Ａ）の情報コード４００と同様である。この例では、例えば、店側が商品に対応付けてポイント（当該商品を購入した消費者に付与するポイント）を設定する場合に、例えば商品に対して図２４（Ａ）のような情報コード４００を付すように扱い、この情報コード４００の複数の記入領域４１４に対して、その商品の購入者に付与するポイントに対応するパターンを店員が記入すればよい。例えば、１０点のポイントを付与すべき商品に付す情報コード４００に対しては、図２４（Ｂ）のように、１０点に対応するパターン（読取装置１０において、１０点に対応するパターンとして登録された記入パターン）を記入しておけば、読取装置１０が情報コード４００を読み取ったときに、ポイントを１０点付与すべきであることを特定できるようになる。なお、この例でも、図２０の例と同様、メモリ３５において、異なる複数の塗り潰しのパターンのそれぞれに対してポイント数を対応付けて記憶しておけばよい。このようにすれば、読取装置１０側、ひいては店側でポイント数をより効率的に管理できるようになる。
【０２２７】
また、図２０（Ａ）から若干変更した図２５（Ａ）のような情報コードを、くじのサービスなどに用いてもよい。図２５（Ａ）の情報コード４００は、文字表示のみが図２０（Ａ）の情報コードと異なり、それ以外は図２０（Ａ）の情報コード４００と同様である。この例では、例えば、店側が予め１又は複数の当たりパターン（当たりとなる塗り潰しパターン）を用意しておき、この当たりパターンを読取装置１０のメモリ３５に記憶しておく。そして、図２５（Ａ）のような情報コード４００が付された媒体（紙など）を客に提供し、客が情報コード４００の記入領域４１４を自由に塗り潰せるようにすればよい。この例では、記入がなされた情報コード４００（図２５（Ｂ）参照）を読取装置１０が読み取ったときに、読取装置１０は、その情報コード４００に記入された塗り潰しパターンを認識し、その認識された塗り潰しパターンが、予め当該読取装置１０に登録された当たりパターンに該当するか否かを判断する。そして、当たりパターンに該当する場合には、その旨の出力（当たり情報の表示やデータ送信）や記憶を行うようにすればよい。このようにすれば、大掛かりな仕組みを用いることなく、「くじ」のサービスを提供することが可能となる。
【０２２８】
なお、上記実施形態では、規則的に配列された記入領域４１４で表される明暗パターンによって第２情報コード４１０が表現されていたが、例えば、図２６（Ａ）のように、形状の組合せによって第２情報コード４１０が表現されてもよい。この場合、例えば候補となる各形状に対してそれぞれ固有の数値や記号等を割り当てておき、読取時には、第２情報コード４１０で表現される各形状を認識し、各形状で特定される情報によってデータを構成するようにしてもよい。例えば丸を１、星を２、四角を３といった具合に、読取装置１０において各形状に対応付けて情報を予め登録しておき、読取時には、空き領域１１０内に付された形状を認識してそれら形状に対応付けて登録された情報を解読データとしてそれぞれ読み出すようにしてもよい。この解読データは、データ記録領域を解読したデータと共に読み出してもよく、データ記録領域を解読したデータとは別で読み出してもよい。この場合、図２６（Ａ）のような図形５１２ａ、５１２ｂ、５１２ｃは、情報コード４００の形成時に形成されたものであってもよく、情報コード４００の形成後に事後的に形成されたものであってもよい。
【０２２９】
また、上記実施形態では、規則的に配列された記入領域４１４で表される２色のパターンによって第２情報コード４１０が表現されていたが、例えば、図２６（Ｂ）のように、３色以上を候補色として、各記入領域で表現される候補色の組み合わせによって情報が表現されるようになっていてもよい。例えば青色を１、赤色を２、黄色を３といった具合に、読取装置１０において各色に対応付けて情報を登録しておき、空き領域１１０内に付された各図形の色を認識してそれら色に対応付けて登録された情報を解読データとしてそれぞれ読み出すようにしてもよい。この場合、図２６（Ｂ）のような図形５２２ａ、５２２ｂ、５２２ｃは、情報コード４００の形成時に形成されたものであってもよく、情報コード４００の形成後に事後的に形成されたものであってもよい。
【０２３０】
なお、上述の例では、複数設けられた記入領域での記入パターンによって第２情報コードの解読データを特定していたが、複数設けられた記入領域での記入数のみ、あるいは記入位置のみによって第２情報コードの解読データを特定してもよい。例えば、複数設けられた記入領域の記入数や記入位置をそのまま出力するようにしてもよく、予め読取装置１０において各記入数や各記入位置にデータを対応付けて登録しておき、読取時には、複数設けられた記入領域での記入数や記入位置に対応付けられたデータを出力するようにしてもよい。
また、図２０〜図２５などの例では、情報コード４００の形成後、使用段階で第２情報コードが事後的に形成される例を示したが、情報コード４００の形成時に既に塗り潰しがなされた第２情報コードが形成されてもよい。
【０２３１】
[第６実施形態]
次に、第６実施形態について、図面を参照して説明する。
まず、図２７等を参照して第６実施形態の代表例を説明する。
第６実施形態の情報コード利用システムは、ハードウェア構成については第１実施形態と同一であり、上述した図１、図２のような構成が用いられる。また、第６実施形態の情報コード利用システムで生成、利用される情報コード６００は、例えば図２７のような構成となっており、空き領域６１０以外の構成は第１実施形態の情報コード１００と同様であり、空き領域６１０以外の部分は、第１実施形態で説明した方法で生成されるようになっている。
【０２３２】
この構成でも、図２７のように、情報コード６００のコード領域の内部に、予め定められた形状の特定パターン（位置検出パターン１０４）が配置される特定パターン領域と、複数種類のセルによってデータを記録するデータ記録領域と、複数種類のセルによって誤り訂正符号を記録する誤り訂正符号記録領域とを設けている。
【０２３３】
そして、コード領域の内部において、特定パターン領域、データ記録領域、及び誤り訂正符号記録領域以外の位置に、セルによって解読対象データ（データ記録領域に記録された出力対象となるデータ）が記録されない領域であり、且つ誤り訂正符号記録領域による誤り訂正の対象とならない領域である空き領域６１０を、単一のセルのサイズよりも大きいサイズで設けている。
【０２３４】
本構成では、空き領域６１０の全体が情報追加領域として構成されており、商品又は役務の価格情報、割引額情報、割引率情報、商品又は役務に付随する利益を特定する情報の少なくともいずれかの情報を追加する領域として構成されている。商品又は役務の価格情報としては、「１０００円」等の商品やサービスの価格（値段）が挙げられる。また、割引額情報は、「１００円引き」「２００円キャッシュバック」等の割引額などが挙げられる。割引率情報としては、「１０％引き」、「２割引」、「半額」等の、割引率を特定する情報が挙げられる。また、「商品又は役務に付随する利益を特定する情報」としては、「ポイント１００点付与」「お菓子サービス」「抽選でハワイ旅行招待」など、利用者にとって利益になる情報又は利益になり得る情報などが挙げられる。これらの情報の追加方法は、シールなどのシート状の媒体であってもよく、手書きなどであってもよい。或いは、プリンタ等による印刷などであってもよい。
【０２３５】
以下では、商品に直接又はタグなどによって間接的に付された情報コード６００、或いはサービスのメニューなどに付された情報コード６００の空き領域６１０に割引率情報を追加する例を代表例として説明する。図２７の例では、割引率情報として「半額」の文字情報６１３が表示されたシール６１２が用いられ、このシール６１２が、情報コード６００が印刷された媒体（商品の包装やシールなど）の空き領域６１０に貼り付けられている。一方、情報コード６００のデータ記録領域には、コード情報として、商品又は役務を特定する特定情報、若しくは、商品又は役務の価格を特定する価格情報を記録している。例えば、図２８の例では、情報コード６００が付される商品を特定する情報として商品番号（４８１２０４４５８）が記録されており、図２８の例では、この商品番号（４８１２０４４５８）は、寿司（梅）を示す番号となっている。なお、読取装置１０には、各商品番号に対応付けて商品名及びその商品の価格が登録されており、情報コード６００の読み取りによって当該情報コード６００に記録された商品番号が特定されれば、商品名及び価格が特定できるようになっている。
【０２３６】
このような情報コード６００を用いて商品管理を行う場合、まず、店舗の商品（例えば生鮮商品や惣菜等）に対し、その商品の商品番号（特定情報）がデータ記録領域に記録された情報コード６００を商品に貼り付ける。このときの情報コード６００は、図２７のような情報コード６００において空き領域６１０を空白にしたものを用いる。この情報コード６００は、商品番号（特定情報）がデータ記録領域に記録されるため、精算時に読取装置１０によって情報コード６００を読み取れば、読取装置１０では、商品番号に対応付けられた当該商品の価格（情報コード６００が付された商品の割引前の価格）を特定できる。
【０２３７】
また、商品の値引きを行う場合には、上述したように貼り付け時に空き領域６１０が空白とされていた情報コード６００の空き領域６１０（空白領域）に対し、例えば、図２７のように割引情報が表示されたシールを貼り付ける。なお、図２８では、割引情報が表示されたシールを貼り付ける例を示しているが、割引情報を手書きによって追加してもよい。また、追加する割引情報は、割引率であってもよく、割引額であってもよい。このように、本構成では、情報コード６００の空き領域６１０（情報追加領域）が、データ記録領域のデータ（特定情報）で特定される商品又は役務の価格に対する割引額情報又は割引率情報を追加する領域として構成される。
【０２３８】
このような商品の精算を行う場合、レジの一部として構成される、又はレジに付随して設けられる読取装置１０によって図２７、図２８のような情報コード６００を読み取る。読取装置１０で情報コード６００を読み取る場合、データ記録領域に記録されたデータ（商品番号など）を解読すると共に、空き領域６１０（キャンバスエリア）のデータ（キャンバス情報）を公知のＯＣＲ技術を用いて読み取り、これらの読取結果から値段を決定する。例えば、図２８のように、データ記録領域に記録された商品番号（４８１２０４４５８）によって７８０円の寿司（梅）が特定され、空き領域６１０（キャンバスエリア）に割引率として「半額」の情報が記録されている場合、７８０円の半額として、３９０円が当該商品の精算金額となる。
なお、ここでは情報コード６００のデータ記録領域に商品番号を記録した例を示したが、情報コード６００のデータ記録領域に商品名及び価格が記録されていても同様の方法で割引処理を行うことができる。また、空き領域６１０に割引額が記録される場合も同様に割引処理を行うことができ、上述の例において、「半額」のシールの代わりに「１００円引き」のシールが付されている場合、「１００」の文字、又は「１００円引き」の文字を公知のＯＣＲ（optical character recognition）技術を用いて認識し、認識された１００円の金額を、商品番号で特定される７８０円の金額から引くように精算金額を算出すればよい。
また、読取装置１０では、データ記録領域に記録されたデータ（商品番号など）と、空き領域６１０に記録された情報（割引率情報や割引額情報など）の取得のみを行い、これらを外部装置（別途設けられたレジや管理サーバなど）に送信してもよい。そして、この場合、外部装置で精算金額の算出を行えばよい。
【０２３９】
本構成では、図２に示す制御回路４０が「追加情報取得部」の一例に相当し、空き領域６１０（情報追加領域）から割引額情報又は割引率情報の少なくともいずれかを読み取るように機能する。また、制御回路４０が「情報処理部」の一例に相当し、データ記録領域読取部によって読み取られた特定情報又は価格情報のいずれかの読取情報と、追加情報取得部によって取得された割引額情報又は割引率情報の少なくともいずれかの取得情報とに基づき、読取情報及び取得情報を外部に送信する処理、又は読取情報及び取得情報に基づいて商品又は役務の価格を算出する処理を行うように機能する。
【０２４０】
本構成によれば、空き領域６１０（情報追加領域）を利用して、商品又は役務の価格情報、割引額情報、割引率情報、商品又は役務に付随する利益を特定する情報の少なくともいずれかの情報を追加可能となり、これらの情報を読取装置１０などで利用できるようになるため、利便性を効果的に高めることができる。
【０２４１】
また、データ記録領域に、商品又は役務を特定する特定情報、若しくは、商品又は役務の価格を特定する価格情報を記録しておくことで、商品又は役務、若しくは商品又は役務の価格を特定できるようにしておくことができる。更に、空き領域６１０（情報追加領域）を利用して、特定情報で特定される商品又は役務の価格、又は価格情報で特定される価格に対する割引額情報又は割引率情報を追加することができるため、割引額や割引率の事後的な追加を複雑な操作を強いることなく簡単に行うことができ、情報コードの読み取り後に割引額や割引率の情報を容易に利用できるようになる。
【０２４２】
具体的には、情報コード６００と割引シールとを併用し、コード情報とシール情報を共に認識できるようにしているため、割引シールを貼るだけで、レジ等で認識される精算金額を変化させることができる。特に、従来では、レジ操作を行う者がシールを見たときに手入力によって割引情報を入力していたが、本構成では、用意してある値引きシールを空き領域６１０（キャンバスエリア）内に貼るだけで良く、レジではそれを読むだけでよいため、手入力作業を大幅に削減することができ、新規にバーコードを発行する装置などを用いずに済む。
【０２４３】
[第６実施形態の変更例１]
変更例１では、図２９（Ａ）、図３０のような情報コード６００が用いられる。なお、この変更例１では、情報コード６００の空き領域６１０以外は第６実施形態の代表例と同様である。
第６実施形態の代表例では、割引率情報又は割引額情報として、文字情報を例示したが、各割引率毎に図形や記号を対応付けておいたり、各割引額毎に記号や図形を対応付けておいたりしてもよい。例えば、図３０のような候補図形６２３、６２４、６２５を用意し、三角の図形６２３を「２割引」、丸の図形６２４を「３割引」、四角の図形を「５割引」などとして予め、図形毎の割引率を図１、図２に示す読取装置１０に登録しておけば、読取装置１０が図２９（Ａ）のような情報コード６００を読み取り、空き領域６１０から三角の図形が認識できた場合に、読取装置１０に登録された情報を参照することで空き領域６１０から「２割引」という割引率情報が取得できることになる。なお、この場合も、空き領域６１０（キャンバスエリア）から図形を認識する方法としては公知のＯＣＲ（optical character recognition）技術を用いればよく、例えば、空き領域６１０の画像の中から空き領域６１０に描かれた図形の外縁を抽出するエッジ探索を行い、予め用意された複数の文字や図形の中から抽出された外縁図形に適合する文字又は図形を選択するようにすればよい。また、「１」の文字を「１割引」、「２」の文字を２割引といった具合に、各数字と割引率とを対応付けておいてもよく、この場合、「１」の文字が空き領域６１０に記録された情報コード６００を読み取ったときに、空き領域６１０から「１割引」という割引率情報が取得できることになる。或いは、「１」の文字を「１００円引」、「２」の文字を「２００円引」といった具合に、各数字と割引額とを対応付けておいてもよく、この場合、「１」の文字が空き領域６１０に記録された情報コード６００を読み取ったときに、空き領域６１０から「１００円引」という割引額情報が取得できることになる。なお、図３０の例では、各候補図形６２３、６２４、６２５をシール６２２で表す例を示しているが、これらの図形は手書きによって追加されてもよい。
【０２４４】
[第６実施形態の変更例２]
変更例２では、図２９（Ｂ）のような情報コード６００が用いられる。なお、この変更例２では、情報コード６００の空き領域６１０以外は第６実施形態の代表例と同様である。
割引率情報や割引額情報は、文字、図形、記号などで表わすことができるが、これらに限られず、例えば、色によって表してもよい。例えば、青色が１割引、赤色が２割引、緑色が３割引といった具合に、読取装置１０において各色と割引率とを対応付ける情報を登録しておいてもよい。この場合、読取装置１０は、図２９（Ｂ）のような情報コード６００（空き領域６１０に青色のシール６２２が付された情報コード）を読み取ったとき、読取装置１０に登録された情報（各色と割引率とを対応付けた情報）に基づいて空き領域６１０から「１割引」という割引率情報を取得できることになる。なお、空き領域６１０への色の追加は、各色のシールを貼り付ける方法であってもよく、手書きによる塗り潰しなどであってもよく、
【０２４５】
[第６実施形態の変更例３]
変更例３は、第６実施形態の代表例の内容を全て含み、更に、データ記録領域に製造時間を記録している点、及び空き領域６１０の内容に基づく認証処理を行う点が追加されている。
変更例３では、図３１のように、情報コード６００のデータ記録領域に、商品番号（４８１２０４４５８）だけでなく、値引きの判断基準となるデータとして、製造時間情報（１３．１１．２５  １２：３０）が記録されている。一方、情報コード読取装置１０のメモリ３５には、各商品番号に対応付けて商品名及び価格が登録され、更に、製造時間に対応する複数の値引き時間帯が登録され、各時間帯ごとに値引き率が設定されている。例えば、製造時間が１３．１１．２５  １２：３０であれば、２０１３年１１月２５日の１８：３０〜１９：３０が２割引、２０１３年１１月２５日の１９：３０〜２０：３０が３割引、２０１３年１１月２５日の１９：３０以降が半額といった具合に、各々の時間帯での正規情報として、各々の時間帯での正規の割引率情報が登録されている。なお、情報コード読取装置１０のメモリ３５は、正規情報登録部の一例に相当する。
【０２４６】
このような事前登録を前提とし、情報コード６００の読み取り時には、まず、情報コード６００を読み取った時間を特定する。そして、代表例と同様、情報コード６００のデータ記録領域に記録された商品番号と、空き領域６１０（情報追加領域）に記録された値引き情報とを把握し、空き領域６１０から得られた値引き情報が正規の情報であるかを判定する。例えば、図３１の例では、読み取った時間が１９：５０である場合、この時間帯の正規情報（正規の値引き率情報）として読取装置１０に予め登録された値引き率情報は「３割引」であるため、本来なら空き領域６１０から３割引の情報が認識されるべきであるところ、図３１の例では、「半額」の値引き率情報が得られている。このように空き領域６１０から取得した値引き率情報が登録された正規情報に合わない場合、この情報コード３００の「半額」の情報は不正に追加された情報であると判定することができる。逆に、情報コード６００を１９：５０に読み取ったときに、正規情報である「３割引」の情報が空き領域６１０（情報追加領域）から取得できた場合、その情報は正しい情報であると判定することができる。
【０２４７】
本構成では、図２に示す読取装置１０の制御回路４０が「読取時間特定部」の一例に相当し、情報コード６００が読み取られた時間を特定する機能を有する。なお、「情報コード６００が読み取られた時間」は、情報コード６００が撮像された時間としてもよく、情報コード６００のデータ記録領域が解読された時間としてもよく、空き領域６１０から値引き率情報又は値引き額情報が認識できた時間としてもよい。また、読取装置１０の制御回路４０が「判定部」の一例に相当し、情報コード６００の読み取りの際に追加情報取得部によって取得された割引額情報又は割引率情報の少なくともいずれかと、メモリ３５（正規情報登録部）において当該情報コード６００の読み取られた時間帯に対応付けて登録された正規情報とに基づき、追加情報取得部が取得した情報の正否を判定するように機能する。
【０２４８】
このような構成によれば、読み取りがなされた時間と登録された正規情報とに基づいて、追加情報取得部によって取得された情報（割引額情報や割引率情報など）が正しいものであるか否かをより正確に判定できるようになる。
【０２４９】
[第７実施形態]
次に、第７実施形態について、図面を参照して説明する。
第７実施形態の情報コード利用システムは、ハードウェア構成については第１実施形態と同一であり、上述した図１、図２のような構成が用いられる。また、第７実施形態の情報コード利用システムで生成、利用される情報コード７００は、例えば図３２のような構成となっており、空き領域７１０以外の構成は第１実施形態の情報コード１００と同様であり、空き領域７１０以外の部分は、第１実施形態で説明した方法で生成されるようになっている。
【０２５０】
この構成でも、図３２のように、情報コード７００のコード領域の内部に、予め定められた形状の特定パターン（位置検出パターン１０４）が配置される特定パターン領域と、複数種類のセルによってデータを記録するデータ記録領域と、複数種類のセルによって誤り訂正符号を記録する誤り訂正符号記録領域とを設けている。
【０２５１】
そして、コード領域の内部において、特定パターン領域、データ記録領域、及び誤り訂正符号記録領域以外の位置に、セルによって解読対象データ（データ記録領域に記録された出力対象となるデータ）が記録されない領域であり、且つ誤り訂正符号記録領域による誤り訂正の対象とならない領域である空き領域７１０を、単一のセルのサイズよりも大きいサイズで設けている。
【０２５２】
本構成では、図３２のように、情報コード７００が付される対象物が、配送物に付される帳票（具体的には不在票）となっている。そして、情報コード７００は、空き領域７１０の一部が情報追加領域として構成されている。具体的には、情報追加領域として、電話番号や住所などの連絡先を特定する情報を記録するための連絡先記録領域７１２と、配送物の配達時期を指定する情報を記録するための配達時期記録領域７２２ａ，７２２ｂとが設けられている。また、情報コードのデータ記録領域には、当該情報コード７００が付された対象物を特定する対象物特定情報（具体的には、配送物を特定する配送物番号（配達番号）や、配送物名（配達物名）など）、配送者名、データの送信先を特定する送信先情報（メールアドレスやＵＲＬなど）などが記録されている。
【０２５３】
このような不在票を用いて再配達の連絡を行う場合、例えば、図３３のような流れで行う。この例では、まず、配達希望者が、図３２のように、連絡先記録領域７１２に電話番号や住所などの連絡先を記入し、更に、配達時期記録領域７２２ａ，７２２ｂに希望する配達時期を記入する（Ｓ７０１）。
【０２５４】
そして、このように記入がなされた情報コード７００を携帯電話機やスマートフォンなどの読取装置１０で読み取る（Ｓ７０２）。読取装置１０が図３２の情報コード７００を読み取る際には、データ記録領域を解読することで、配送物を特定する配送物番号（配達番号）、配送物名（配達物）、配送者名（配達担当）、データの送信先を特定する送信先情報（メールアドレスなど）を取得する。また、空き領域７１０（情報追加領域）については、連絡先記録領域７１２を公知のＯＣＲ技術を用いて解析し、例えば数字情報（電話番号）を取得する。更に、配達時期記録領域７２２ａ，７２２ｂのいずれが塗り潰されているかを特定することで、指定された配達時間の情報を取得する。なお、配達時期記録領域の記録方法は、例えば、１３：００といった数字や記号、９時といった数字や文字などによって希望時間を指定するような方法であってもよい。
【０２５５】
このように読み取りがなされた後には、必要な情報が正確に取得されたか否かを確認し（Ｓ７０３）、Ｓ７０２で読み取られた情報を、データ記録領域に記録された送信先（例えばメールアドレスやＵＲＬで特定されるサーバなど）に送信する（Ｓ７０４）。これにより、配送物を特定する配送物番号（配達番号）、配送物名（配達物）、配送者名（配達担当）などの情報と、連絡先記録領域７１２に記入された電話番号などの情報と、配達時期記録領域７２２ａ，７２２ｂに記入された配達時間の情報とが、指定された送信先（例えばメールアドレス）に送信される。なお、この送信先は、配送を行う配送会社が管理する管理サーバが取得できるメールアドレスであってもよく、配送者名（配達担当）で特定される配送者が所持する携帯端末のメールアドレスであってもよい。
【０２５６】
本構成では、図２に示す制御回路４０が「追加情報取得部」の一例に相当し、連絡先記録領域７１２に記録された連絡先特定情報、及び配達時期記録領域に記録された配達時期指定情報を取得するように機能する。また、制御回路４０及び通信部が「送信処理部」の一例に相当し、データ記録領域読取部によって読み取られた対象物特定情報、追加情報取得部によって取得された連絡先特定情報、配達時期指定情報を、データ記録領域読取部によって読み取られた送信先情報で特定される送信先に送信するように機能する。
【０２５７】
なお、ここでは、連絡先記録領域に連絡先を記録する例を示したが、このような領域を省略してもよい。この場合、読取装置１０に予め登録された個人情報（プロフィール情報など）から連絡先を特定し、情報コード７００から取得された配達時期指定情報と共に、送信先に送信すればよい。
【０２５８】
本構成によれば、連絡先記録領域に連絡先を特定する情報を記録した上で当該情報コードを読み取ることにより、連絡先を特定する情報と、対象物を特定する対象物特定情報とを、予め決められた送信先（送信先情報で特定される送信先）に容易に送信できるようになる。これにより、その送信先では、どの対象物に関する情報が送られてきたかを、指定された連絡先と共に把握可能となる。
【０２５９】
具体的には、配送物の配達時期を、連絡先及び対象物特定情報と共に特定の送信先に簡単に送信することが可能となる。特に、配達時期の指定や連絡先の入力を、複雑なキー入力等を必須とせずに行えるため、配達時期の連絡を行おうとする利用者にとって利便性が高いものとなる。
【０２６０】
従来の宅配システムでは、再配達の連絡を、電話やインターネットなどで行う必要があり、例えば電話でこの作業を行う場合には、不在票にかかれている番号や、時間指定など、不在票を見ながら、電話のアナウンスに従い、１つ１つ入力する手間がかかっていたが、本構成によれば、このような負担を大幅に軽減できる。
【０２６１】
[第８実施形態]
次に、第８実施形態について、図面を参照して説明する。
第８実施形態の情報コード利用システムは、ハードウェア構成については第１実施形態と同一であり、上述した図１、図２のような構成が用いられる。また、第８実施形態の情報コード利用システムで生成、利用される情報コード８００は、例えば図３４のような構成となっており、空き領域８１０以外の構成は第１実施形態の情報コード１００と同様であり、空き領域８１０以外の部分は、第１実施形態で説明した方法で生成されるようになっている。
【０２６２】
この構成でも、図３４のように、情報コード８００のコード領域の内部に、予め定められた形状の特定パターン（位置検出パターン１０４）が配置される特定パターン領域と、複数種類のセルによってデータを記録するデータ記録領域と、複数種類のセルによって誤り訂正符号を記録する誤り訂正符号記録領域とを設けている。
【０２６３】
そして、コード領域の内部において、特定パターン領域、データ記録領域、及び誤り訂正符号記録領域以外の位置に、セルによって解読対象データ（データ記録領域に記録された出力対象となるデータ）が記録されない領域であり、且つ誤り訂正符号記録領域による誤り訂正の対象とならない領域である空き領域８１０を、単一のセルのサイズよりも大きいサイズで設けている。
【０２６４】
本構成では、図３４のように、情報コード８００に構成された空き領域８１０の一部が情報追加領域となっており、情報追加領域として、情報コード読取装置１０の機能を設定するための設定情報を記録する設定情報記録領域８１２ａ，８１２ｂ，８１２ｃ，８２２ａ，８２２ｂ，８３２ａ，８３２ｂ，８３２ｃ，８３２ｄが設けられている。また、これら設定情報記録領域８１２ａ，８１２ｂ，８１２ｃ，８２２ａ，８２２ｂ，８３２ａ，８３２ｂ，８３２ｃ，８３２ｄのそれぞれに隣接して、各領域がどのような設定を指定するかを示す文字情報８１１ａ，８１１ｂ，８１１ｃ，８１１ｄ，８２１ａ，８２１ｂ，８３１ａが表示されている。
【０２６５】
このような情報コード８００を用いて読取装置１０の機能設定を行う場合、まず、作業者が、図３４のように、設定情報記録領域８１２ａ，８１２ｂ，８１２ｃ，８２２ａ，８２２ｂ，８３２ａ，８３２ｂ，８３２ｃ，８３２ｄのいずれか１又は複数の箇所に記入を行い、設定を希望する項目の指定を行う。そして、このように記入がなされた情報コード８００を読取装置１０で読み取る。情報コード７００を読み取る際には、設定情報記録領域８１２ａ，８１２ｂ，８１２ｃ，８２２ａ，８２２ｂ，８３２ａ，８３２ｂ，８３２ｃ，８３２ｄのいずれに記入がなされているかを解析することで、読取装置１０は、どの設定項目の指定がなされているかを把握することができる。そして、その指定された設定項目に従うように、装置内の機能を設定し、設定情報を保存しておく。
図３４の例では、情報コード読取装置１０において画像フィルタを設定する各設定項目の領域８１２ａ，８１２ｂ，８１２ｃが設けられ、領域８１２ａが記入された場合には、フィルタ指定なしの設定（撮像画像に対して黒膨張処理及び黒収縮処理を行わない設定）が指定され、領域８１２ｂが記入された場合には黒膨張の画像フィルタを行う設定（撮像画像に対して公知の黒膨張処理を行う設定）が指定され、領域８１２ｂが記入された場合には黒収縮の画像フィルタを行う設定（撮像画像に対して公知の黒収縮処理を行う設定）が指定される。従って、領域８１２ａ，８１２ｂ，８１２ｃのいずれかが記入された情報コード８００を読み取った場合、読取装置１０では、その記入された位置で指定される設定となり、以降は、撮像画像に対して指定された画像処理を行う設定がなされる。
また、領域８３２ａ，８３２ｂ，８３２ｃ，８３２ｄは、複数の照明光源の中でどの位置の照明光源を動作させるかを指定する項目であり、領域８３２ａが記入された場合には、上位置の照明光源を動作させる指定、領域８３２ｂが記入された場合には、左位置の照明光源を動作させる指定、領域８３２ｃが記入された場合には、下位置の照明光源を動作させる指定、領域８３２ｄが記入された場合には、右位置の照明光源を動作させる指定がなされる。従って、領域８１２ａ，８１２ｂ，８１２ｃのいずれかが記入された情報コード８００を読み取った場合、読取装置１０では、その記入された位置に対応する照明光源を動作させる設定となり、以降は、情報コードの読み取りを行う度に、指定された位置の照明光源を動作させて読み取りを行うことになる。
【０２６６】
本構成では、図２に示す情報コード読取装置１０の制御回路４０が追加情報取得部の一例に相当し、設定情報記録領域に記録された設定情報を取得するように機能する。また、制御回路４０は、設定部の一例に相当し、追加情報取得部によって取得された設定情報に基づいて、当該情報コード読取装置１０における１又は複数の機能の設定を行うように機能する。
【０２６７】
本構成では、設定情報記録領域に設定情報が記録された情報コード８００を読み取るという簡単な操作で、読取装置１０内の機能を容易に設定することが可能となる。
【０２６８】
特に、従来では、液晶画面のついていない読み取り機器等の設定を行うために、設定用のコードを読み取る方法や、パソコンにつないでツールで設定する方法などが用いられていたが、コード読み取りによって複数のパラメータを設定する場合には、何種類もある設定用のコードから目的のものを探し、１つ１つ読む必要があり非常に手間がかかっていた。また、パソコンで設定する場合も、設定変更するたびにパソコンに接続する必要があり、非常に手間がかかっていた。これに対し、本構成では、情報コード８００に、設定できる項目が並べられ、希望する設定項目を塗り潰す等の簡単な作業で指定が行えるため、指定作業の手間を大幅に軽減できる。また、情報コード８００を読み取るだけで、指定された設定情報を一括して読取装置１０に入力し、設定することができるため、設定対象となる読取装置１０に入力し、認識させる手間も大幅に軽減できる。更に、本構成では、１つの情報コード８００で、複数の設定項目を設定できるため、設定用のコードを多数並べる必要がなくなる。このため、どのコードを読んだか途中でわからなくなるといったことも防ぐことができる。
【０２６９】
なお、上述した例では、設定対象として読み取り機器（読取装置１０）を例示しているが、ビデオカメラの機器設定（明るさ、シャッター等）、wi-fi設定等、撮像機能があり設定項目が多い装置の一括設定などにも利用できる。
【０２７０】
[第９実施形態]
次に、第９実施形態について、図面を参照して説明する。まず、第９実施形態の代表例を説明する。
第９実施形態の情報コード利用システムは、ハードウェア構成については第１実施形態と同一であり、上述した図１、図２のような構成が用いられる。また、第９実施形態の情報コード利用システムで生成、利用される情報コード９００は、例えば図３５のような構成となっており、空き領域９１０以外の構成は第１実施形態の情報コード１００と同様であり、空き領域９１０以外の部分は、第１実施形態で説明した方法で生成されるようになっている。
【０２７１】
この構成でも、図３５のように、情報コード９００のコード領域の内部に、予め定められた形状の特定パターン（位置検出パターン１０４）が配置される特定パターン領域と、複数種類のセルによってデータを記録するデータ記録領域と、複数種類のセルによって誤り訂正符号を記録する誤り訂正符号記録領域とを設けている。
【０２７２】
そして、コード領域の内部において、特定パターン領域、データ記録領域、及び誤り訂正符号記録領域以外の位置に、セルによって解読対象データ（データ記録領域に記録された出力対象となるデータ）が記録されない領域であり、且つ誤り訂正符号記録領域による誤り訂正の対象とならない領域である空き領域９１０を、単一のセルのサイズよりも大きいサイズで設けている。
【０２７３】
本構成では、図３５のように、情報コード９００のデータ記録領域に、物品の種別を特定する種別特定情報が記録されており、具体的には、種別特定情報として、商品番号（商品種別番号）が記録されている。また、情報コード９００に構成された空き領域９１０の一部が情報追加領域となっており、情報追加領域として、商品番号（商品種別番号）で特定される商品種別（物品種別）での具体的内容を記録する内容記録領域９２２ａ，９２２ｂ，９２２ｃ，９３２ａ，９３２ｂ，９３２ｃ，９４３が設けられている。また、これら内容記録領域９２２ａ，９２２ｂ，９２２ｃ，９３２ａ，９３２ｂ，９３２ｃ，９４３のそれぞれに隣接して、各領域がどのような内容を指定するかを示す文字情報９１１ａ，９２１，９３１，９４１が表示されている。この例では、例えば複数のサイズ指定領域９２２ａ，９２２ｂ，９２２ｃのいずれかへの記入によってサイズが記録できるようになっており、複数の股下指定領域９３２ａ，９３２ｂ，９３２ｃのいずれかへの記入によって股下が記録できるようになっている。また、色指定領域９４３への色の記入によって色を記録できるようになっている。
【０２７４】
このような情報コード９００を用いて商品の管理を行う場合、作業者が、図３５のように、内容記録領域９２２ａ，９２２ｂ，９２２ｃ，９３２ａ，９３２ｂ，９３２ｃ，９４３の複数の箇所に記入を行うことで、情報コード９００には、その情報コード９００が付される商品の具体的内容が記録されることになる。例えば、図３５、図３６の情報コード９００は、データ記録領域のデータによって商品番号（商品種別番号）が１２３４５であることを特定し、空き領域９１０の内容によって、サイズがＭであり、股下が６７であり、色が青であることを特定している。
【０２７５】
また、図３６のように、店舗などに設けられる管理装置９０の記憶部には、商品番号（商品種別番号）で特定される商品群の各商品の固有番号が登録されている。例えば、商品番号（商品種別番号）が１２３４５である商品群において、サイズがＳ、股下が６７、色が青の商品については、１２３４５６７８９０の商品固有番号が付されている。また、１２３４５である商品群において、サイズがＭ、股下が６７、色が青の商品については、１２３４５６７８９１の商品固有番号が付されている。従って、読取装置１０は、管理装置９０にアクセスすることで、記入後の内容で特定される情報コード９００に対応した商品固有番号を取得することができる。具体的には、図３５、図３６のように記入がなされた情報コード９００を読取装置１０で読み取り、データ記録領域に記録された商品番号（商品種別番号）の情報と、内容記録領域９２２ａ，９２２ｂ，９２２ｃ，９３２ａ，９３２ｂ，９３２ｃ，９４３で指定されたサイズ情報、股下情報、色情報とを管理装置９０に送信する。例えば、図３６の（２）の例では、商品番号が１２３４５、サイズがＭ、股下が６７、色が青の読み取りデータを管理装置９０に送信する例を示している。管理装置９０では、送られてきた商品番号（商品種別番号）、サイズ情報、股下情報、色情報の組み合わせで特定される商品固有情報を読み出し、読取装置１０に送信する（図３６の（３）対応データ受信を参照）。このようにすることで、商品群を１つの情報コード９００で管理することができ、尚且つ、具体的な商品を固有番号によって管理することも可能となる。
【０２７６】
本構成では、図２の制御回路４０が追加情報取得部の一例に相当し、情報コード９００の内容記録領域に記録された具体的内容の情報を取得するように機能する。更に、制御回路４０は、種類特定部の一例に相当し、データ記録領域に記録された種別特定情報と、追加情報取得部によって取得された具体的内容の情報とに基づき、物品の具体的種類を特定するように機能する。
【０２７７】
本構成によれば、１つの物品種別が更に多種類に細分化されるような対象物品を管理する上で、多種類の情報コードを用意する必要がなく、１つの種類の情報コードを多種類の物品に兼用できるようになる。
【０２７８】
特に、従来では、商品ごとの情報を保持するために、わずかな違い（例えば衣服のサイズや色等）であっても、それぞれのコードを作成し、タグ付けしたため、サイズや色等、様々な違いが絡んでくると膨大な数のコードを用意する必要があり、付け間違い等もおきやすくなっていたが、本構成によれば、このような問題を解消することができる。
【０２７９】
[第９実施形態の変更例１]
次に、図３７を用いて第９実施形態の変更例１を説明する。なお、空き領域９１０の内容は第９実施形態の代表例と同一であるため、詳細な説明は省略する。
本構成でも、情報コード９００の空き領域９１０において、情報追加領域として、複数種類の記録パターンのいずれかで情報を追加可能な内容記録領域９２２ａ，９２２ｂ，９２２ｃ，９３２ａ，９３２ｂ，９３２ｃ，９４３を設けている。
【０２８０】
一方、データ記録領域には、内容記録領域９２２ａ，９２２ｂ，９２２ｃ，９３２ａ，９３２ｂ，９３２ｃ，９４３で記録可能となる複数種類の記録パターンのそれぞれのパターンに対応したパターン別識別情報を記録している。例えば、記録パターンが１番目（サイズＳ）、４番目（股下６７）、９番目（色が青）のパターンの場合には、１２３４５６７８９０の固有番号が対応付けられており、記録パターンが２番目（サイズＭ）、４番目（股下６７）、９番目（色が青）のパターンの場合には、１２３４５６７８９１の固有番号が対応付けられている。このような方法で、全ての記録パターンのそれぞれに固有番号が対応付けられ、そのデータがデータ記録領域に記録されている。
【０２８１】
このような情報コード９００を読み取る際には、読取装置１０は、内容記録領域９２２ａ，９２２ｂ，９２２ｃ，９３２ａ，９３２ｂ，９３２ｃのいずれに記入がなされているかを解析することで、チェック部分の番号を特定する。また、内容記録領域９４３の色がいずれであるかを特定することで、色に対応する番号を特定する。そして、データ記録領域に記録されたデータ（固有番号リスト）の中から、チェック部分の番号と、色の番号の組み合わせに対応する固有番号を特定することで、記入後の内容で特定される情報コード９００に対応した商品固有番号を取得することができる。
【０２８２】
本構成では、図２の制御回路４０が追加情報取得部の一例に相当し、内容記録領域に記録された記録パターンの種類を特定するように機能する。また、制御回路４０は、識別情報特定部の一例に相当し、データ記録領域の記録内容に基づき、追加情報取得部によって把握された記録パターンの種類に対応するパターン別識別情報（固有番号）を特定するように機能する。
【０２８３】
本構成によれば、１つの物品種別が更に多種類に細分化されるような対象物品を管理する上で、多種類の情報コードを用意する必要がなく、１つの種類の情報コードを多種類の物品に兼用できるようになる。更に、内容記録領域に記録されたパターンに対応するパターン別識別情報を利用できるため、多種類の情報コードを用意しなくても、内容記録領域に記録されたパターンで特定される種類に固有に割り当てられた情報を用いて管理することが可能となる。また、管理装置９０などにアクセスしなくても、商品固有のパターン別識別情報（固有番号）を取得することが可能となるため、システム構成の簡略化、処理時間の短縮化を図りやすくなる。
【０２８４】
[第９実施形態の変更例２]
次に、図３８を用いて第９実施形態の変更例２を説明する。なお、空き領域９１０の内容は第９実施形態の代表例と同一であるため、詳細な説明は省略する。
本構成でも、情報コード９００の空き領域９１０内に構成される情報追加領域において、複数の個別記録領域（サイズの記録領域９２２ａ，９２２ｂ，９２２ｃ，股下の記録領域９３２ａ，９３２ｂ，９３２ｃ、色の記録領域９４３）が含まれており、各々の個別記録領域を、複数種類の記録が可能な構成としている。
【０２８５】
一方、データ記録領域内には、複数の個別記録領域の記録の種類に対応付けて数字情報が割り当てられている。例えば、サイズの記録領域９２２ａ，９２２ｂ，９２２ｃにおいて、Ｓの領域（１番目の領域）９２２ａの記録の場合には「１１１」、Ｍの領域（２番目の領域）９２２ｂの記録の場合には「２２２」といった具合に数字情報が割り当てられている。また、色の記録領域９４３において、７番目に対応する色（赤）の場合には７７７、８番目に対応する色（緑）の場合には８８８といった具合に数字情報が割り当てられている。
【０２８６】
このような情報コード９００を読み取る際には、読取装置１０は、内容記録領域９２２ａ，９２２ｂ，９２２ｃ，９３２ａ，９３２ｂ，９３２ｃのいずれに記入がなされているかを解析することで、チェック部分の番号を特定する。また、内容記録領域９４３の色がいずれであるかを特定することで、色に対応する番号を特定する。そして、データ記録領域に記録されたデータの中から、チェック部分の番号に対応する数字情報と、色の番号に対応する数字情報を読み出す。なお、データ記録領域には、図３８下図のように、各番号に対応する数字情報が特定文字（♯）で区切った形で記録されており、チェック部分の番号に対応する数字情報は、その番号に対応する位置の数字情報を読み出すことで取得できる。また、色の番号に対応する数字情報も、その番号に対応する位置の数字情報を読み出すことで取得できる。そして、このように取得された数字情報を、番号の若い順に並べることで固有情報が生成される。この例でも、記入後の内容で特定される情報コード９００に対応した商品固有番号を取得することができる。
【０２８７】
本構成では、図２の制御回路４０が追加情報取得部の一例に相当し、複数の個別記録領域における各々の記録の種類を特定するように機能する。また、制御回路４０は、反映情報生成部の一例に相当し、追加情報取得部によって特定された各々の個別記録領域の記録の種類を反映した情報を生成して記憶又は出力するように機能する。
【０２８８】
本構成によれば、各個別記録領域に記録された内容を全て反映した固有情報を生成し、利用することが可能となる。例えば、１つの物品種別が更に多種類に細分化されるような対象物品を管理するために情報コードを用いる場合、各個別記録領域での記録内容によって具体的な物品種類を特定する構成とすれば、その具体的な物品種類に対応する固有情報を生成し、管理することができる。
【０２８９】
［他の実施形態］
本発明は上記記述及び図面によって説明した実施形態に限定されるものではなく、例えば次のような実施形態も本発明の技術的範囲に含まれる。
【０２９０】
上記実施形態では、情報コード１００内に、情報追加領域の位置を示す位置データ（例えば、図３に示すチェック欄位置情報など）を含ませるようにしていたが、このような例に限られない。例えば、情報コード生成装置２が、空き領域において予め定められた所定位置に情報追加領域を配置するように情報コードを生成する構成であってもよい。この場合、所定位置を特定する情報（図３に示すチェック欄位置情報などの情報や、図１２に示す記入欄位置情報などの情報）が記憶部５に記憶されていればよい。また、この場合、情報コード読取装置１０には、情報コード生成装置２と同様、所定位置を特定する特定情報（図３に示すチェック欄位置情報などの情報や、図１２に示す記入欄位置情報などの情報）をメモリ３５に記憶しておけばよい。なお、この構成では、メモリ３５が特定情報記録部の一例に相当する。そして、情報コード読取装置１０では、図９のＳ４６や図１３のＳ６６において、メモリ３５からこのような特定情報を読み出して情報追加領域を特定した上で、それ以降の処理を行えばよい。また、この場合、図３に示すチェック欄位置情報や、図１２に示す記入欄位置情報は、ヘッダデータに含めなくてもよい。
この構成では、追加情報取得部に相当する制御回路４０は、特定情報記録部に記録された特定情報に基づいてコード画像内での情報追加領域の位置を特定し、当該情報追加領域を解析して追加情報を取得するように機能する。
この構成では、空き領域内における情報追加領域を配置すべき位置が情報コード生成装置において予め定められ、情報コード読取装置には、その情報追加領域の位置を特定し得る情報が予め記録されているため、情報コード内に特別な位置情報等を含ませなくても読み取り時に情報追加領域の位置をより正確に特定することが可能となる。
【０２９１】
本発明は、上述したいずれか１又は複数若しくは全ての情報コードを表示し得る表示装置として構成することもできる。また、上述したいずれか１又は複数若しくは全ての情報コードを印刷し得る印刷装置として構成することもできる。更に、上述したいずれか１又は複数若しくは全ての情報コードを生成するためのコンピュータ読取可能なプログラムとして構成することもできる。また、上述した１又は複数若しくは全ての情報コードを生成するためのプログラムを記録した記録媒体として構成することもできる。更に、上述した１又は複数若しくは全ての情報コードが付された情報コード媒体（印刷物、ダイレクトマーキング等によって構成された形成物など）として把握することもできる。また、上述した１又は複数若しくは全ての情報コードが表示された表示画像として把握することもできる。
【０２９２】
図１等の構成では、情報コード生成装置２と情報コード読取装置１０が別々の装置として構成された例を示しているが、情報コード生成装置２が情報コード読取装置１０として構成されていてもよい。
【０２９３】
上記実施形態では、コード領域の中央部に空き領域１１０を設けた例を示したが、空き領域１１０の配置はこの例に限られない。例えば、コード領域の周縁付近に空き領域を設けてもよい。また、空き領域にはデザインが表示されていてもよく、１又は複数の記号によって表わされる情報が表示されていてもよい。或いは、デザインと情報が共に表示されていてもよい。デザインとしては、図形、模様、色彩又はこれらの結合からなる構成であれば他の様々なデザインを採用することができる。また、デザインに代えて、或いはデザインと共に情報を表示する場合、その情報の内容は様々である。例えば、情報コード１００に記録されるデータを提供する提供主体（事業主や個人等）の名称や当該提供主体のサイトのアドレスなどであってもよく、或いは情報コード１００に記録されるデータに関する商品名や役務名などであってもよい。
【０２９４】
上記実施形態では、他種コードとしてＱＲコードを例に挙げ、情報コード１００で用いる特定パターンとしてＱＲコードの特定パターンを例に挙げたが、これ以外の種類の二次元コードを用いてもよい。例えば、他種コードとしてデータマトリックスコードを用い、情報コード１００で用いる特定パターンをデータマトリックスコードの特定パターンとしてもよい。
【０２９５】
図５のように設定した配置変換表における対応関係は、図７のように任意に変更することができる。例えば、情報コード生成装置２、情報コード読取装置１０において図５のように設定されていた配置変換表を図７のように変更した場合、生成される情報コード１００では、２２〜２３番目のコードワードの配置が、図５右図のような配置（２２〜２３番の配置候補位置に記録する配置）から図７右図のような配置（４２〜４３番の配置候補位置に記録する配置）に変更され、これにより空き領域１１０の位置や形状も変化することになる。この場合、２２〜２３番の配置候補位置は空き領域としてもよく、他のコードワードの配置位置としてもよい。つまり、この構成では、配置変換表を調整することで空き領域１１０の位置や形状を調整することができ、空き領域を構成する上での自由度をより高めることができる。
【０２９６】
上記実施形態では、コード領域内を構成する複数種類のセルとして、白色セルなどの明セルと黒色セルなどの暗セルを例示したが、コード領域内の特定パターン領域、データ記録領域、誤り訂正符号記録領域が、所定の濃度、輝度、色彩の第１種セルと、この第１種セルとは濃度、輝度、色彩のいずれかが異なる第２種セルに構成されていてもよい。或いは、コード領域内の特定パターン領域、データ記録領域、誤り訂正符号記録領域が、濃度、輝度、色彩のいずれかがそれぞれ異なる三種類以上のセルによって構成されていてもよい。
【０２９７】
上記実施形態では、コード領域内の特定パターン領域、データ記録領域、誤り訂正符号記録領域において、外形が正方形状のセルを複数配列した例を示したが、各セルの外形は正方形以外の四角形であってもよく、四角形以外の多角形や、円形、楕円形などの図形であってもよい。
【０２９８】
上記実施形態では、特定パターンの例として位置検出パターン１０４、タイミングパターン１０６、アライメントパターン１０８などを例示したが、データ記録領域及び誤り訂正符号記録領域の内容に関係なく固定のパターンとして構成される領域であれば、特定パターンを構成する図形は他の固有図形であってもよい。
【０２９９】
上記実施形態では、情報追加領域の識別表示の例として、情報追加領域の範囲を示す識別表示などを例示したが、情報追加領域の存在を把握できる表示であれば上述の例に限られない。例えば、矢印、線、三角形などの識別表示よって情報追加領域の位置を示してもよく、文字や記号などの識別表示によって情報追加領域の存在を示してもよい。例えば、上記実施形態のいずれの情報コードにおいても、空き領域内に、文字や記号などによって当該空き領域内又は当該空き領域内の所定位置への情報の記入を促す文言（例えば、「空白領域に文字を記入してください」といった文言や、「該当する箇所を塗り潰してください」といった文言など）を識別表示として表示してもよい。
【０３００】
上記実施形態では、「コード領域」の一例を示したが、「コード領域」は、情報コードを構成する複数種類のセルを全て含む最小の正方形領域又は長方形領域であればよく、コード領域の内縁部の一部にセルが配列されていなくてもよい。例えば、図３９の情報コード１０００ように、空き領域１０１０がコード領域の周縁部に隣接して形成されていてもよい。この場合、情報コード１０００を構成する複数種類のセルを全て含む最小の正方形領域又は長方形領域は、一点鎖線ＡＲのようになり、空き領域１０１０の外縁は、例えば二点鎖線ＡＲ２のようになる。また、情報追加領域はコード領域内に少なくとも一部が存在すればよく、図４０の情報追加領域ＡＲ３ように、残余の部分がコード領域外に存在するような構成であってもよい。図４０のような例では、予め情報追加領域ＡＲ３がどのような範囲になるかを特定する情報をデータ記録領域に記録しておけばよい。
【０３０１】
上記実施形態では、空き領域の一例を示したが、空き領域は、セルによって解読対象データが記録されない領域であり、データ記録領域にデータを記録する方法とは異なる方法で情報の表示又は画像の表示がなされる領域であればよい。例えば、第１実施形態のように、コードワードが全く配置されない領域として空き領域が構成されていてもよく、公知のＱＲコードなどにおいて、誤り訂正符号を表現する誤り訂正コードワードや解読対象データを表現するデータコードワードが配置されず、埋め草コードワードが配置される領域を空き領域としてもよい。また、いずれの空き領域の場合でも、「セルによってデータ記録領域にデータを記録する方法とは異なる方法で情報の表示」を行うことができ、この情報の表示は、例えば、文字、数字、その他の記号などによって情報を表示してもよく、商標などによって特定の商品やサービスを表すような情報の表示方法であってもよい。また、空き領域では、「セルによってデータ記録領域にデータを記録する方法とは異なる方法では画像の表示」を行うことができ、この画像の表示は、様々な形状、模様、色彩、それらの結合などを表すことができる。
【０３０２】
また、図４１の情報コード１１００のように構成してもよい。この例は、第１実施形態と同様の空き領域を設ける構成であるが、空き領域の特定のみが第１実施形態と異なっている。なお、図４１の例では、一部の特定パターン以外の領域の具体的内容は省略して示しており、実際は、空き領域１１１０外の外部領域に明色セルや暗色セルが配置されることになる。また、空き領域１１１０内は、例えば第１実施形態の空き領域１１０と同様の画像、或いは他の実施形態の空き領域と同様の画像が表示される。
本構成でも、情報コード１１００の種別において複数の型番が用意されており、型番毎にセルの行数及び列数、特定パターンの形状及び位置、フォーマット情報の位置、コードワードの候補位置（アドレス）が予め定められている。そして、生成装置２が情報コード１１００を生成する際には、型番情報をコード領域内の決められた位置（図４１の例では予約領域１０７）に配置するようになっている。従って、読取装置１０が情報コード１１００を読み取る際には、情報コード１１００のコード画像を解析し、所定位置に配置された型番情報を読み取ることで、情報コード１１００のセルの行数及び列数、特定パターンの形状及び位置、フォーマット情報の位置、コードワードの候補位置（アドレス）を把握できることになる。
情報コード１１００を生成する際には、予め用意された複数の型番の中からいずれかの型番を選択する。これにより、コード領域内の基本構成（特定パターン１０４の位置、セルの行数及び列数、コードワードの候補位置）が決定する。例えば、図４１に示す構成の型番では、２９行２９列のセル配列となっており、予め定められた３つの角部に、ＱＲコード（登録商標）の切り出しシンボルと同一の構造の特定パターン１０４が配置されるようになっている。そして、特定パターン１０４の近くの所定位置に、フォーマット情報を記録する領域（所定位置１０５）が設けられている。また、２９行２９列のマトリックス領域において、特定パターン１０４及び所定位置１０５以外の位置に、予めコードワードの候補位置が定められており、各候補位置に０〜６７までのアドレスが割り当てられている。このように、型番に対応する構成で予めコード領域内の構成が規定されているため、型番が特定されれば、どの順番のコードワードがどの位置に配置されるかを特定することが可能となる。なお、決定した型番の情報は、その型番の配列において予め定められた固定位置に記録される。例えば図４１の例では、所定種類のハッチングで特定される領域１０７に型番の情報が記録されるようになっている。
そして、型番が決定し、コード領域内の基本構成が決定した後には、空き領域の形状及び位置を決定する。空き領域の形状の決定方法は、例えば、予め用意された複数の候補形状の中から選定する方式で決定してもよく、或いは、情報コード生成装置２に対して外部から入力された形状指定情報に従った形状に設定する方式で決定してもよい。或いは、決められた固定形状のみに決定してもよい。また、空き領域の位置については、予め決められた固定位置に決定してもよく、ユーザが位置を指定する情報を入力することで、その位置に決定するようにしてもよい。
そして、空き領域が決定した後には、決定された空き領域の位置から外れるコードワードの候補位置に、データ記録領域のコードワード及び誤り訂正符号記録領域のコードワードをそれぞれ配置する構成で情報コード１１００を生成する。例えば、図４１のような構成の型番では、３つの角部に特定パターン１０４が配置され、これら特定パターン１０４の位置を基準として、０〜６７の番号が付された６８個のコードワードの候補位置が予め規定されている。このようなレイアウトにおいて、図４１のように空き領域１１１０が決定した場合、少なくとも一部が空き領域１１１０内に入るコードワードの候補位置を配置対象位置から除外し、その除外されたコードワードの位置を飛ばすようにして、順番にコードワードを配置する。例えば、図４１の例では、５０、５１番、５３、５４番、６０〜６７番のコードワードの候補位置に入り込むように空き領域１１１０が設定されているため、これら５０、５１番、５３、５４番、６０〜６７番のコードワードの候補位置にはコードワードを配置しないようにする。即ち、０〜４９番の位置に順番にコードワードを配置した後、５０、５１番を飛ばして５２番の位置にコードワードを配置し、その後、５３、５４番を飛ばして５５〜５９番の位置にコードワードを順番に配置することになる。このようにすれば、解読対象データを符号化したデータコードワードと、誤り訂正符号を表す誤り訂正コードワードとを、空き領域１１１０から外れた候補位置に確実に配置することができる。
このように特定パターン領域（特定パターン１０４やその他の特定パターンの領域）、フォーマット領域（所定位置１０５）、型番領域１０７、各コードワード領域などを決定した後には、空き領域１１１０の具体的な内容を決定する。この情報コード１１００でも、空き領域１１１０に、空き領域１１０と同様の画像を表すことで、図１と同様の機能を有する情報コード１１００を構成することができる。なお、情報コード１１００の利用方法は第１実施形態やその他の実施形態と同様である。
【符号の説明】
【０３０３】
１…情報コード利用システム
２…情報コード生成装置
３…制御部（データ取得部、データ記録領域生成部）
４…操作部（データ取得部）
５…記憶部（配置位置情報記録部）
７…通信部（データ取得部）
１０…情報コード読取装置
２３…受光センサ（撮像部）
３５…メモリ（対応情報記録部、特定情報記憶部）
４０…制御回路（データ記録領域読取部、追加情報取得部、検出部、色判別部、出力部、解読部、判別部）
１００…情報コード
１０２…セル
１０４…位置検出パターン（特定パターン）
１１０…空き領域
１２０…他種のコード
【図１】
2015084199.tif 000003
【図２】
2015084199.tif 000004
【図３】
2015084199.tif 000005
【図４】
2015084199.tif 000006
【図５】
2015084199.tif 000007
【図６】
2015084199.tif 000008
【図７】
2015084199.tif 000009
【図８】
2015084199.tif 000010
【図９】
2015084199.tif 000011
【図１０】
2015084199.tif 000012
【図１１】
2015084199.tif 000013
【図１２】
2015084199.tif 000014
【図１３】
2015084199.tif 000015
【図１４】
2015084199.tif 000016
【図１５】
2015084199.tif 000017
【図１６】
2015084199.tif 000018
【図１７】
2015084199.tif 000019
【図１８】
2015084199.tif 000020
【図１９】
2015084199.tif 000021
【図２０】
2015084199.tif 000022
【図２１】
2015084199.tif 000023
【図２２】
2015084199.tif 000024
【図２３】
2015084199.tif 000025
【図２４】
2015084199.tif 000026
【図２５】
2015084199.tif 000027
【図２６】
2015084199.tif 000028
【図２７】
2015084199.tif 000029
【図２８】
2015084199.tif 000030
【図２９】
2015084199.tif 000031
【図３０】
2015084199.tif 000032
【図３１】
2015084199.tif 000033
【図３２】
2015084199.tif 000034
【図３３】
2015084199.tif 000035
【図３４】
2015084199.tif 000036
【図３５】
2015084199.tif 000037
【図３６】
2015084199.tif 000038
【図３７】
2015084199.tif 000039
【図３８】
2015084199.tif 000040
【図３９】
2015084199.tif 000041
【図４０】
2015084199.tif 000042
【図４１】
2015084199.tif 000043